(57)【要約】【課題】周回体の回転制御を好適に行うことが可能な遊技機を提供すること。【解決手段】各リールにはステッピングモータ３３が接続されており、ステッピングモータ３３が励磁されることにより対応するリールが回転する。主側ＭＰＵはリールの回転を加速させる所定駆動制御を実行する。所定駆動制御において、主側ＭＰＵは、回転初期用テーブルに基づいて、モータドライバ９６に対して出力する励磁データを設定することにより第１加速期間におけるリールの駆動制御を行う。モータドライバ９６は、主側ＭＰＵから受信した励磁データに基づいてステッピングモータ３３を励磁し、対応するリールを回転させる。主側ＭＰＵは、所定駆動制御の途中で、モータドライバ９６に対して無励磁データを出力することによりステッピングモータ３３に対して何ら励磁が行われない無励磁期間を発生させる。【選択図】      図２１
2019202037.tif 000002
【特許請求の範囲】
【請求項１】
周回体と、
前記周回体を回転させる駆動手段と、
前記駆動手段を駆動制御する駆動制御手段と、
を備え、
前記駆動手段は、励磁されることにより前記周回体を回転させるステッピングモータであり、
前記駆動制御手段は、前記駆動手段を励磁して前記周回体の回転を加速させる所定駆動制御を行う所定駆動制御手段を備えており、
当該所定駆動制御手段は、前記所定駆動制御が行われる加速期間の途中で前記駆動手段に対して何ら励磁を行わない無励磁期間を発生させることを特徴とする遊技機。
【請求項２】
前記所定駆動制御手段は、初期励磁として前記駆動手段に対して所定相励磁を行った後、前記無励磁期間を発生させることを特徴とする請求項１に記載の遊技機。
【請求項３】
前記所定駆動制御手段が初期励磁として前記駆動手段に対して前記所定相励磁を行う期間は、前記駆動手段に対して励磁可能な期間における最短期間の４倍以下の期間であることを特徴とする請求項２に記載の遊技機。
【請求項４】
前記所定駆動制御手段は、初期励磁として第１期間に亘って前記駆動手段に対して所定相励磁を行った後、第２期間に亘って前記無励磁期間を発生させ、その後に第３期間に亘って前記駆動手段に対して前記初期励磁と同一の前記所定相励磁を行うことを特徴とする請求項１乃至３のいずれか１に記載の遊技機。
【請求項５】
前記第２期間は、前記駆動手段に対して励磁可能な期間における最短期間の４倍以上の期間であることを特徴とする請求項４に記載の遊技機。
【請求項６】
前記第３期間は、前記駆動手段に対して励磁可能な期間における最短期間の１０倍以上の期間であることを特徴とする請求項４又は５に記載の遊技機。
【請求項７】
前記所定相励磁は２相励磁であることを特徴とする請求項２乃至６のいずれか１に記載の遊技機。
【請求項８】
前記駆動制御手段は、
前記駆動手段に対して、前記所定相励磁よりも励磁力が弱い特定相励磁と前記所定相励磁とを交互に行う所定回転制御を行う所定回転制御手段と、
前記所定回転制御中に所定契機が発生したことに基づいて、前記所定相励磁及び前記特定相励磁よりも励磁力が弱い特別相励磁を行った後、前記特定相励磁を行う所定制動制御を行う所定制動手段と、
を備えていることを特徴とする請求項２乃至７のいずれか１に記載の遊技機。
【発明の詳細な説明】
【技術分野】
【０００１】
本発明は、遊技機に関するものである。
【背景技術】
【０００２】
周回体を利用する遊技機としては、例えばスロットマシンがある。スロットマシンは、外周部に複数の図柄が付与されたリールを複数備えており、表示部を通じて各リールに付与された図柄の一部が視認可能な構成となっている。そして遊技者がメダルを投入してスタートレバーを操作することで各リールが回転を開始し、各リールが回転を開始した後にストップボタンを操作することで各リールが順次停止する。また、スロットマシンの内部ではメダルの投入とスタートレバーの操作を条件として抽選を行っており、抽選の結果が当選であり且つ予め設定された有効ライン上に遊技者が当選となった図柄を停止させることを条件として所定枚数のメダルが払い出されたり、遊技者に有利な所定のゲームが発生するなどの特典が付与される（例えば特許文献１参照）。
【０００３】
また、上記のように周回体としてリールを利用する遊技機としては、スロットマシン以外にも、遊技媒体としてメダルの代わりに遊技球を用いて上記スロットマシンと同様の遊技を行うことを可能とする遊技機が挙げられる。また、パチンコ機において内部抽選の結果に応じた演出を遊技者に提供するために上記周回体を利用するものも挙げられる。
【０００４】
上記のような周回体を周回させるための駆動手段としては、ステッピングモータが一般的に用いられている。この場合、周回開始条件が成立した場合には、ステッピングモータによる駆動が開始されて、加速期間を経て定速期間へと移行する。そして、この定速期間が所定の期間に亘って継続された後に、周回停止条件の成立に基づき停止される。
【先行技術文献】
【特許文献】
【０００５】
【特許文献１】特開２０１４−１９５６３５号公報
【発明の概要】
【発明が解決しようとする課題】
【０００６】
ここで、上記例示などのような遊技機においては周回体の回転制御を好適に行う必要があり、この点について未だ改良の余地がある。
【０００７】
本発明は、上記例示した事情等に鑑みてなされたものであり、周回体の回転制御を好適に行うことが可能な遊技機を提供することを目的とするものである。
【課題を解決するための手段】
【０００８】
上記課題を解決すべく請求項１記載の発明は、周回体と、
前記周回体を回転させる駆動手段と、
前記駆動手段を駆動制御する駆動制御手段と、
を備え、
前記駆動手段は、励磁されることにより前記周回体を回転させるステッピングモータであり、
前記駆動制御手段は、前記駆動手段を励磁して前記周回体の回転を加速させる所定駆動制御を行う所定駆動制御手段を備えており、
当該所定駆動制御手段は、前記所定駆動制御が行われる加速期間の途中で前記駆動手段に対して何ら励磁を行わない無励磁期間を発生させることを特徴とする。
【発明の効果】
【０００９】
本発明によれば、周回体の回転制御を好適に行うことが可能となる。
【図面の簡単な説明】
【００１０】
【図１】第１の実施形態におけるスロットマシンの正面図である。
【図２】前面扉を開いた状態を示すスロットマシンの斜視図である。
【図３】左リールの組立斜視図である。
【図４】各リールの図柄配列を示す図である。
【図５】表示窓部から視認可能となる図柄と組合せラインとの関係を示す説明図である。
【図６】入賞態様と付与される特典との関係を示す説明図である。
【図７】スロットマシンの電気的構成図である。
【図８】主側ＭＰＵにて実行されるメイン処理を示すフローチャートである。
【図９】主側ＭＰＵにて実行されるタイマ割込み処理を示すフローチャートである。
【図１０】主側ＭＰＵにて実行される通常処理を示すフローチャートである。
【図１１】主側ＭＰＵにて実行される抽選処理を示すフローチャートである。
【図１２】通常モード用抽選テーブルを説明するための説明図である。
【図１３】通常モード用抽選テーブルが選択された場合におけるリールの停止順序と成立する入賞態様との関係を説明するための説明図である。
【図１４】第１ＲＴモード用抽選テーブルを説明するための説明図である。
【図１５】第１ＲＴモード用抽選テーブルが選択された場合におけるリールの停止順序と成立する入賞態様との関係を説明するための説明図である。
【図１６】第２ＲＴモード用抽選テーブルを説明するための説明図である。
【図１７】第２ＲＴモード用抽選テーブルが選択された場合におけるリールの停止順序と成立する入賞態様との関係を説明するための説明図である。
【図１８】主側ＭＰＵにて実行される報知制御処理を示すフローチャートである。
【図１９】主側ＭＰＵにて実行される遊技終了時の対応処理を示すフローチャートである。
【図２０】主側ＭＰＵにて実行されるＢＢ用処理を示すフローチャートである。
【図２１】（ａ）ステッピングモータの駆動系を示す接続図であり、（ｂ）ステッピングモータの駆動特性を示す図である。
【図２２】励磁順テーブルの内容を説明するための説明図である。
【図２３】ステッピングモータに要求される駆動特性を説明するための説明図である。
【図２４】従来のスロットマシンにおける回転初期用テーブルの一例を説明するための説明図である。
【図２５】励磁パターンＡの回転初期用テーブルを説明するための説明図である。
【図２６】主側ＭＰＵにて実行されるリール制御処理を示すフローチャートである。
【図２７】主側ＭＰＵにて実行される回転開始処理を示すフローチャートである。
【図２８】主側ＭＰＵにて実行されるステッピングモータ制御処理を示すフローチャートである。
【図２９】主側ＭＰＵにて実行されるモータ制御処理を示すフローチャートである。
【図３０】主側ＭＰＵにて実行される励磁データ設定処理を示すフローチャートである。
【図３１】実施例１により作成したリールユニットについて図２２に示すような励磁順テーブル及び図２５に示すような回転初期用テーブルを利用して図２６〜図３０に示すような制御処理を行った第１試験の結果を示す図である。
【図３２】励磁パターンＢの回転初期用テーブルを説明するための説明図である。
【図３３】励磁パターンＣの回転初期用テーブルを説明するための説明図である。
【図３４】励磁パターンＤの回転初期用テーブルを説明するための説明図である。
【図３５】励磁パターンＥの回転初期用テーブルを説明するための説明図である。
【図３６】励磁パターンＦの回転初期用テーブルを説明するための説明図である。
【図３７】励磁パターンＧの回転初期用テーブルを説明するための説明図である。
【図３８】励磁パターンＨの回転初期用テーブルを説明するための説明図である。
【図３９】励磁パターンＩの回転初期用テーブルを説明するための説明図である。
【図４０】励磁パターンＪの回転初期用テーブルを説明するための説明図である。
【図４１】励磁パターンＫの回転初期用テーブルを説明するための説明図である。
【図４２】励磁パターンＬの回転初期用テーブルを説明するための説明図である。
【図４３】励磁パターンＭの回転初期用テーブルを説明するための説明図である。
【図４４】実施例１における第１加速期間の励磁パターンＡ〜Ｍについて各種評価を行った結果を示す図である。
【図４５】比較試験用の回転初期用テーブルを説明するための説明図である。
【図４６】第２試験Ａ〜Ｄにおける回転速度の経時変化を示す図である。
【図４７】比較試験Ａ〜Ｄにおける回転速度の経時変化を示す図である。
【図４８】励磁パターンＮの回転初期用テーブルを説明するための説明図である。
【図４９】励磁パターンＯの回転初期用テーブルを説明するための説明図である。
【図５０】励磁パターンＰの回転初期用テーブルを説明するための説明図である。
【図５１】励磁パターンＱの回転初期用テーブルを説明するための説明図である。
【図５２】励磁パターンＲの回転初期用テーブルを説明するための説明図である。
【図５３】励磁パターンＳの回転初期用テーブルを説明するための説明図である。
【図５４】励磁パターンＴの回転初期用テーブルを説明するための説明図である。
【図５５】励磁パターンＵの回転初期用テーブルを説明するための説明図である。
【図５６】実施例１における定速期間の励磁パターンＡ，Ｎ〜Ｕについて各種評価を行った結果を示す図である。
【発明を実施するための形態】
【００１１】
＜第１の実施形態＞
以下、遊技機の一種であるスロットマシンに本発明を適用した場合の第１の実施形態を、図面に基づいて詳細に説明する。図１はスロットマシン１０の正面図であり、図２はスロットマシン１０の前面扉１２を開いた状態の斜視図である。
【００１２】
図２に示すように、スロットマシン１０は、その外殻を形成する筐体１１を備えている。筐体１１は、複数の木製パネルが固定されることにより、全体として前方に開放された箱状に形成されている。
【００１３】
筐体１１の前面側には、前面扉１２が取り付けられている。前面扉１２はその左側部を回動軸として、筐体１１の内部空間を開閉可能とするように筐体１１に支持されている。なお、前面扉１２は、その裏面に設けられた施錠装置１３によって開放不能に施錠状態とされており、この施錠状態は、キーシリンダ１４への所定のキーによる解錠操作により解除される。
【００１４】
前面扉１２の中央部上寄りには、図１に示すように、遊技者に遊技状態を報知する遊技パネル２０が設けられている。遊技パネル２０には、縦長の３つの表示窓部２１Ｌ，２１Ｍ，２１Ｒが横並びとなるように形成されている。表示窓部２１Ｌ，２１Ｍ，２１Ｒは透明又は半透明な材質により形成されており、各表示窓部２１Ｌ，２１Ｍ，２１Ｒを通じてスロットマシン１０の内部が視認可能な状態となっている。
【００１５】
図２に示すように、筐体１１は仕切り板によりその内部が上下２分割されており、仕切り板の上部にはリールユニット３１が取り付けられている。リールユニット３１は、円筒状にそれぞれ形成された左リール３２Ｌ、中リール３２Ｍ及び右リール３２Ｒを備えている。各リール３２Ｌ，３２Ｍ，３２Ｒは、その中心軸線が当該リール３２Ｌ，３２Ｍ，３２Ｒの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓部２１Ｌ，２１Ｍ，２１Ｒと１対１で対応している。したがって、各リール３２Ｌ，３２Ｍ，３２Ｒの表面の一部はそれぞれ対応する表示窓部２１Ｌ，２１Ｍ，２１Ｒを通じて視認可能な状態となっている。また、リール３２Ｌ，３２Ｍ，３２Ｒが正回転すると、各表示窓部２１Ｌ，２１Ｍ，２１Ｒを通じてリール３２Ｌ，３２Ｍ，３２Ｒの表面は上から下へ向かって移動しているかのように映し出される。
【００１６】
これら各リール３２Ｌ，３２Ｍ，３２Ｒは、それぞれがステッピングモータ３３（図３参照）に連結されており、各ステッピングモータ３３の駆動により各リール３２Ｌ，３２Ｍ，３２Ｒが個別に、即ちそれぞれ独立して回転駆動し得る構成となっている。これら各リール３２Ｌ，３２Ｍ，３２Ｒは同様の構成をしているため、ここでは左リール３２Ｌを例に挙げて図３に基づいて説明する。なお、図３は左リール３２Ｌの組立斜視図である。
【００１７】
左リール３２Ｌは、円筒状のかごを形成する円筒骨格部材３４と、その外周面において無端状に巻かれた帯状のリールテープ（図３では図示略）とを備えている。そして、その巻かれた状態を維持するように、リールテープの長辺両側に沿って形成された一対のシール部を介して円筒骨格部材３４に貼付されている。前記リールテープの外周面には、識別情報としての図柄が等間隔ごとに多数印刷されている。円筒骨格部材３４の中心部はステッピングモータ３３の駆動軸に取り付けられている。したがって、ステッピングモータ３３の駆動軸が回転することによりその駆動軸を中心として円筒骨格部材３４が回転され、左リール３２Ｌが回転するようになっている。
【００１８】
ステッピングモータ３３は、リールユニット３１内において起立状態に配置されたモータプレート３５の側面にねじ固定されている。モータプレート３５には、発光素子３６ａと受光素子３６ｂとが所定間隔をおいて保持されたリールインデックスセンサ３６が設置されている。一方、円筒骨格部材３４には、半径方向に延びるセンサカットバン３７がねじ固定されている。このセンサカットバン３７の先端部３７ａは、略直角に屈曲されてリールインデックスセンサ３６の両素子３６ａ，３６ｂの間を通過できるように位置合わせがなされている。そして、左リール３２Ｌが１回転するごとにセンサカットバン３７の先端部３７ａの通過をリールインデックスセンサ３６が検出し、その検出の都度、後述する主制御装置７０に検出信号が出力される。したがって、主制御装置７０はこの検出信号に基づいて左リール３２Ｌの角度位置を１回転ごとに確認し補正できる。
【００１９】
ステッピングモータ３３は例えば５０４パルスの励磁信号を与えることにより５０４ステップ進むことで１回転されるように設定されており、このステップ数によってステッピングモータ３３の回転位置、すなわち左リール３２Ｌの回転位置が制御される。各リール３２Ｌ，３２Ｍ，３２Ｒの各リールテープ上には、その長辺方向（周回方向）に複数個、具体的には２１個の図柄が描かれている。主制御装置７０は、リールインデックスセンサ３６の検出信号が出力された時点からのステップ数（すなわちパルス数）により、どの図柄が表示窓部２１Ｌから視認可能な状態となっているかを認識したり、任意の図柄を表示窓部２１Ｌから視認可能な状態としたりする制御を行うことができる。
【００２０】
図１に示すように、遊技パネル２０の下方左側には、各リール３２Ｌ，３２Ｍ，３２Ｒの回転を開始させるために操作されるスタートレバー４１が設けられている。メダルがベットされているときにこのスタートレバー４１が操作されると、各リール３２Ｌ，３２Ｍ，３２Ｒが一斉に回転を始める。
【００２１】
スタートレバー４１の右側には、回転している各リール３２Ｌ，３２Ｍ，３２Ｒを個別に停止させるために操作されるストップボタン４２，４３，４４が設けられている。各ストップボタン４２，４３，４４は停止対象となるリール３２Ｌ，３２Ｍ，３２Ｒに対応する表示窓部２１Ｌ，２１Ｍ，２１Ｒの直下にそれぞれ配置されている。各ストップボタン４２，４３，４４は、左リール３２Ｌが回転を開始してから所定時間が経過すると停止させることが可能な状態となる。
【００２２】
なお、スタートレバー４１の操作に基づき各リール３２Ｌ，３２Ｍ，３２Ｒの回転が開始され、各ストップボタン４２，４３，４４の操作に基づき各リール３２Ｌ，３２Ｍ，３２Ｒが回転を停止して、メダル付与及び遊技状態の管理といった各種処理の実行が完了するまでが、１回のゲーム（遊技回）に相当する。
【００２３】
表示窓部２１Ｌ，２１Ｍ，２１Ｒの下方右側には、投資価値としてのメダルを投入するためのメダル投入口４５が設けられている。メダル投入口４５から投入されたメダルは、図２に示すように、前面扉１２の背面に設けられたセレクタ５２によって、受付許可時であればホッパ装置５３へ導かれ、受付禁止時であれば前面扉１２の前面下部に設けられたメダル排出口５８（図１）からメダル受け皿５９（図１）へと導かれる。なお、ホッパ装置５３は、有効ライン上に遊技媒体の付与に対応した入賞が成立した場合に、貯留タンクに貯留されたメダルを、メダル排出口５８を通じてメダル受け皿５９に払い出す機能を有している。
【００２４】
メダル投入口４５の下方には、図１に示すように、メダル投入口４５に投入されたメダルがセレクタ５２（図２）内に詰まった際に押される返却ボタン４６が設けられている。また、表示窓部２１Ｌ，２１Ｍ，２１Ｒの下方左側には、クレジットされた仮想メダルを一度にベット可能な最大分投入するための第１クレジット投入ボタン４７と、仮想メダルを一度に２枚投入するための第２クレジット投入ボタン４８と、仮想メダルを一度に１枚投入するための第３クレジット投入ボタン４９とが設けられている。
【００２５】
スタートレバー４１の左側には、精算ボタン５１が設けられている。すなわち、本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算ボタン５１を操作された場合、仮想メダルが現実のメダルとしてメダル排出口５８から払い出されるようになっている。
【００２６】
筐体１１の内部においてホッパ装置５３の左方には、図２に示すように、電源装置５４が設けられている。電源装置５４には、電源投入時や電源遮断時に操作される電源スイッチ５５と、スロットマシン１０の各種状態をリセットするためのリセットボタン５６と、スロットマシン１０の設定状態を「設定１」から「設定６」の範囲で変更するために操作される設定キー挿入孔５７とが設けられている。
【００２７】
＜各リール３２Ｌ，３２Ｍ，３２Ｒに付されている図柄＞
次に、各リール３２Ｌ，３２Ｍ，３２Ｒに付されている図柄について説明する。
【００２８】
図４には、左リール３２Ｌ，中リール３２Ｍ，右リール３２Ｒの図柄配列が示されている。同図に示すように、各リール３２Ｌ，３２Ｍ，３２Ｒには、それぞれ２１個の図柄が一列に配置されている。また、各リール３２Ｌ，３２Ｍ，３２Ｒに対応して番号が０〜２０まで付されているが、これら番号は主制御装置７０が表示窓部２１Ｌ，２１Ｍ，２１Ｒから視認可能な状態となっている図柄を認識するための番号であり、リール３２Ｌ，３２Ｍ，３２Ｒに実際に付されているわけではない。但し、以下の説明では当該番号を使用して説明する。
【００２９】
図柄としては、「ベル」図柄（例えば、左リール３２Ｌの２０番目）、「リプレイ」図柄（例えば、左リール３２Ｌの１９番目）、「スイカ」図柄（例えば、左リール３２Ｌの１８番目）、「赤７」図柄（例えば、左リール３２Ｌの１５番目）、「ＢＡＲ」図柄（例えば、左リール３２Ｌの１０番目）、「チェリー」図柄（例えば、左リール３２Ｌの９番目）、「白７」図柄（例えば、左リール３２Ｌの５番目）の７種類がある。そして、各リール３２Ｌ，３２Ｍ，３２Ｒにおいて各種図柄の数や配置順序は全く異なっている。
【００３０】
図５は、表示窓部２１Ｌ，２１Ｍ，２１Ｒの正面図である。各表示窓部２１Ｌ，２１Ｍ，２１Ｒは、対応するリールに付された２１個の図柄のうち図柄全体を視認可能となる図柄が３個となるように形成されている。このため、各リール３２Ｌ，３２Ｍ，３２Ｒがすべて停止している状態では、３×３＝９個の図柄が表示窓部２１Ｌ，２１Ｍ，２１Ｒを介して視認可能な状態となる。
【００３１】
本スロットマシン１０では、各リール３２Ｌ，３２Ｍ，３２Ｒの図柄が視認可能となる位置を結ぶようにして、１本のメインラインＭＬが設定されている。メインラインＭＬは、各リール３２Ｌ，３２Ｍ，３２Ｒの基点位置を結んだラインであり、具体的には、左リール３２Ｌの中段図柄、中リール３２Ｍの中段図柄及び右リール３２Ｒの中段図柄を結んだラインである。規定数のメダルがベットされた状態で各リール３２Ｌ，３２Ｍ，３２Ｒの回転が開始され、当該メインラインＭＬ上に当選役に対応した入賞が成立した場合には、メダルの払い出しという特典、再遊技という特典及び遊技状態の移行という特典のいずれかが付与される。
【００３２】
つまり、本スロットマシン１０では、入賞が成立し得るラインとして１本のメインラインＭＬのみが設定されている。そして、当該メインラインＭＬは一直線に延びるラインとして設定されている。左リール３２Ｌの上段図柄、中リール３２Ｍの中段図柄及び右リール３２Ｒの下段図柄を結んだサブラインＳＬ１と、左リール３２Ｌの上段図柄、中リール３２Ｍの上段図柄及び右リール３２Ｒの上段図柄を結んだサブラインＳＬ２と、左リール３２Ｌの下段図柄、中リール３２Ｍの下段図柄及び右リール３２Ｒの下段図柄を結んだサブラインＳＬ３と、左リール３２Ｌの下段図柄、中リール３２Ｍの中段図柄及び右リール３２Ｒの上段図柄を結んだサブラインＳＬ４といった１直線に延びるライン上に、入賞対象となる図柄の組合せが成立したとしても、入賞は成立しない。なお、メインラインＭＬは１本に限定されることはなく２本、３本、４本又は５本以上であってもよく、このようにメインラインＭＬが複数設定されている構成においてはベット枚数に応じて有効化されるメインラインＭＬの数が相違する構成としてもよい。また、メインラインＭＬが一直線に延びるラインである構成に限定されることはなく、折れ曲がりラインであってもよい。
【００３３】
以下、図６を参照しながら、入賞となる図柄の組合せと、入賞となった場合に付与される特典との対応関係を説明する。図６は、入賞となる図柄の組合せと、入賞となった場合に付与される特典との対応関係を説明するための説明図である。
【００３４】
遊技媒体の付与が行われる小役入賞としては、第１補填入賞、第２補填入賞、第３補填入賞、ベル入賞、スイカ入賞、及びチェリー入賞がある。詳細には、メインラインＭＬ上において左リール３２Ｌの停止図柄が「ベル」図柄であり、中リール３２Ｍの停止図柄が「リプレイ」図柄であり、右リール３２Ｒの停止図柄が「ベル」図柄である場合、第１補填入賞となる。また、メインラインＭＬ上において左リール３２Ｌの停止図柄が「スイカ」図柄であり、中リール３２Ｍの停止図柄が「ベル」図柄であり、右リール３２Ｒの停止図柄が「ベル」図柄である場合、第２補填入賞となる。また、メインラインＭＬ上において左リール３２Ｌの停止図柄が「リプレイ」図柄であり、中リール３２Ｍの停止図柄が「ベル」図柄であり、右リール３２Ｒの停止図柄が「ベル」図柄である場合、第３補填入賞となる。第１補填入賞〜第３補填入賞のいずれかとなった場合における遊技媒体の付与対象数は「１」となる。
【００３５】
メインラインＭＬ上において左リール３２Ｌの停止図柄が「ベル」図柄であり、中リール３２Ｍの停止図柄が「ベル」図柄であり、右リール３２Ｒの停止図柄が「ベル」図柄である場合、ベル入賞となる。ベル入賞となった場合における遊技媒体の付与対象数は「８」となる。
【００３６】
メインラインＭＬ上において左リール３２Ｌの停止図柄が「スイカ」図柄であり、中リール３２Ｍの停止図柄が「スイカ」図柄及び「チェリー」図柄のいずれかであり、右リール３２Ｒの停止図柄が「スイカ」図柄及び「白７」図柄のいずれかである場合、スイカ入賞となる。スイカ入賞となった場合における遊技媒体の付与対象数は「８」となる。
【００３７】
メインラインＭＬ上において左リール３２Ｌの停止図柄が「チェリー」図柄となった場合、中リール３２Ｍの停止図柄及び右リール３２Ｒの停止図柄がいずれであったとしてもチェリー入賞となる。チェリー入賞となった場合における遊技媒体の付与対象数は「２」となる。
【００３８】
遊技媒体をベットすることなく次ゲームの遊技を行うことが可能な再遊技の特典が付与される入賞として、通常リプレイ入賞、第１ＲＴリプレイ入賞、第２ＲＴリプレイ入賞、第１転落リプレイ入賞及び第２転落リプレイ入賞がある。詳細には、メインラインＭＬ上において左リール３２Ｌの停止図柄が「リプレイ」図柄であり、中リール３２Ｍの停止図柄が「リプレイ」図柄であり、右リール３２Ｒの停止図柄が「リプレイ」図柄である場合、又は左リール３２Ｌの停止図柄が「リプレイ」図柄であり、中リール３２Ｍの停止図柄が「チェリー」図柄であり、右リール３２Ｒの停止図柄が「ベル」図柄である場合、通常リプレイ入賞となる。メインラインＭＬ上において左リール３２Ｌの停止図柄が「ベル」図柄であり、中リール３２Ｍの停止図柄が「リプレイ」図柄であり、右リール３２Ｒの停止図柄が「リプレイ」図柄である場合、第１ＲＴリプレイ入賞となる。メインラインＭＬ上において左リール３２Ｌの停止図柄が「スイカ」図柄であり、中リール３２Ｍの停止図柄が「リプレイ」図柄であり、右リール３２Ｒの停止図柄が「リプレイ」図柄である場合、第２ＲＴリプレイ入賞となる。メインラインＭＬ上において左リール３２Ｌの停止図柄が「リプレイ」図柄であり、中リール３２Ｍの停止図柄が「チェリー」図柄であり、右リール３２Ｒの停止図柄が「リプレイ」図柄である場合、第１転落リプレイ入賞となる。メインラインＭＬ上において左リール３２Ｌの停止図柄が「リプレイ」図柄であり、中リール３２Ｍの停止図柄が「リプレイ」図柄であり、右リール３２Ｒの停止図柄が「ベル」図柄である場合、第２転落リプレイ入賞となる。
【００３９】
上記いずれかのリプレイ入賞となった場合、遊技媒体の新たなベットを不要としながら次ゲームの遊技を行うことが可能となる。具体的には、遊技媒体を３枚ベットしたゲームにおいていずれかのリプレイ入賞となった場合、遊技媒体の新たなベットを不要としながら、３枚ベット状態で次ゲームの遊技を開始することが可能となる。
【００４０】
上記各種リプレイ入賞のうち、第１ＲＴリプレイ入賞、第２ＲＴリプレイ入賞、第１転落リプレイ入賞及び第２転落リプレイ入賞は、リプレイ入賞の特典の付与契機となるだけではなく抽選モードの移行契機となる。本スロットマシン１０では役の抽選処理（図１１）において抽選対象となる役の種類及び各役の当選確率が相違するように複数種類の抽選モードが設定されており、これら抽選モード間の移行は抽選モードの移行契機となるリプレイ入賞が成立した場合に発生する。各抽選モードの内容及び各抽選モードへの移行条件については後に詳細に説明する。
【００４１】
遊技状態の移行のみが行われる状態移行入賞として、第１ＢＢ入賞及び第２ＢＢ入賞がある。詳細には、メインラインＭＬ上において左リール３２Ｌの停止図柄が「赤７」図柄であり、中リール３２Ｍの停止図柄が「赤７」図柄であり、右リール３２Ｒの停止図柄が「赤７」図柄である場合、第１ＢＢ入賞となる。メインラインＭＬ上において左リール３２Ｌの停止図柄が「白７」図柄であり、中リール３２Ｍの停止図柄が「白７」図柄であり、右リール３２Ｒの停止図柄が「白７」図柄である場合、第２ＢＢ入賞となる。第１ＢＢ入賞又は第２ＢＢ入賞が成立した場合には、遊技状態がＢＢ状態に移行する。
【００４２】
本スロットマシン１０には、遊技状態としてＢＢ状態と、ＢＢ状態ではない非ＢＢ状態とが設定されている。そして、非ＢＢ状態には、通常遊技状態と、通常遊技状態よりも遊技者にとって有利なＡＲＴ状態と、ＡＲＴ状態への前段階である準備状態とが設けられている。ＢＢ状態とは、後述する通常モードであって非ＡＴ状態である場合よりも単位ゲーム数あたりの遊技媒体の付与期待枚数が高くなる遊技状態である。さらにいうと、ＢＢ状態とは、当該ＢＢ状態以外のいずれの遊技状態よりも単位ゲーム数あたりの遊技媒体の付与期待数が高くなる遊技状態である。
【００４３】
具体的には、ＢＢ状態では、ベル入賞の成立を可能とさせる役に他の遊技状態の場合よりも高い確率（例えば１／２）で当選するとともに、当該役に当選した場合には各リール３２Ｌ，３２Ｍ，３２Ｒの停止順序及び各リール３２Ｌ，３２Ｍ，３２Ｒの回転位置に対するストップボタン４２〜４４の停止操作タイミングとは無関係にベル入賞が成立することとなる。また、スイカ入賞の成立を可能とさせる役に他の遊技状態の場合よりも高い確率（例えば１／４）で当選するとともに、当該役に当選した場合には各リール３２Ｌ，３２Ｍ，３２Ｒの停止順序及び各リール３２Ｌ，３２Ｍ，３２Ｒの回転位置に対するストップボタン４２〜４４の停止操作タイミングとは無関係にスイカ入賞が成立することとなる。これにより、ＢＢ状態において遊技媒体の付与対象となる入賞が複数種類存在している構成であっても、遊技媒体の付与対象となる入賞に対応する役に当選した場合にはその当選役に対応する入賞が確実に成立することとなる。
【００４４】
ＢＢ状態は、複数ゲームに亘って継続し、ゲームの実行内容に応じた事象の発生に基づき終了条件が成立した場合に終了する。当該終了条件は任意であるが、本スロットマシン１０ではＢＢ状態が開始されてから付与された遊技媒体の合計数が終了基準数以上となることが終了条件として設定されている。ＢＢ状態には第１ＢＢ状態と第２ＢＢ状態とが設定されており、これら第１ＢＢ状態と第２ＢＢ状態とで終了基準数が相違している。具体的には、第１ＢＢ状態の終了基準数は「４１」に設定されているとともに、第２ＢＢ状態の終了基準数は「８９」に設定されている。
【００４５】
＜各種報知及び各種演出を実行するための装置＞
次に、各種報知及び各種演出を実行するための装置について説明する。
【００４６】
前面扉１２の上部には、図１に示すように、上部ランプ６１及びスピーカ６２が設けられているとともに画像表示装置６３が設けられている。上部ランプ６１は、スロットマシン１０において異常が発生した場合に当該異常に対応した態様で発光制御されるとともに、入賞結果に応じた態様で発光制御される。また、上部ランプ６１は、画像表示装置６３における表示演出に対応した発光演出が行われるように発光制御される。スピーカ６２は左右一対として設けられており、スロットマシン１０において異常が発生した場合に当該異常に対応した音又は音声が出力されるように音出力制御されるとともに、入賞結果に対応した音又は音声が出力されるように音出力制御される。また、スピーカ６２は、画像表示装置６３における表示演出に対応した音出力演出が行われるように音出力制御される。
【００４７】
画像表示装置６３は表示面６３ａを有しており、スロットマシン１０において異常が発生した場合には当該異常に対応した画像が当該表示面６３ａにて表示されるように表示制御される。また、画像表示装置６３は、内部抽選における役の当選結果及び各ゲームにおける入賞結果に対応した画像が表示面６３ａにて表示されるように表示制御される。
【００４８】
次に、本スロットマシン１０の電気的構成について、図７のブロック図に基づいて説明する。
【００４９】
主制御装置７０の主制御基板７１にはＭＰＵ７２が搭載されている。ＭＰＵ７２には、当該ＭＰＵ７２により実行される各種の制御プログラムや固定値データを記憶したＲＯＭ７３と、そのＲＯＭ７３内に記憶される制御プログラムの実行に際して各種のデータ等を一時的に記憶するためのメモリであるＲＡＭ７４と、所定周波数の矩形波を出力するクロック回路と、割込回路、データ入出力回路、乱数発回路などが内蔵されている。なお、ＭＰＵ７２に対してＲＯＭ７３及びＲＡＭ７４が１チップ化されていることは必須の構成ではなく、それぞれが個別にチップ化された構成としてもよい。
【００５０】
ＭＰＵ７２には、入力ポート及び出力ポートがそれぞれ設けられている。ＭＰＵ７２の入力側には、リールユニット３１、スタートレバー４１の操作を検出するスタート検出センサ４１ａ、各ストップボタン４２，４３，４４の操作を個別に検出するストップ検出センサ４２ａ，４３ａ，４４ａ、メダル投入口４５から投入されたメダルを検出する投入メダル検出センサ４５ａ、各クレジット投入ボタン４７，４８，４９の操作を個別に検出するクレジット投入検出センサ４７ａ，４８ａ，４９ａ、精算ボタン５１の操作を検出する精算検出センサ５１ａ、ホッパ装置５３の払出検出センサ、並びに電源装置５４に設けられたリセットボタン５６の操作を検出するリセット検出センサ及び設定キー挿入孔５７に設定キーが挿入されたことを検出する設定キー検出センサ等の各種センサが接続されており、これら各センサからの信号はＭＰＵ７２に入力される。
【００５１】
ＭＰＵ７２の出力側には、リールユニット３１、セレクタ５２に設けられたセレクタ駆動部５２ａ、ホッパ装置５３の払出モータ、クレジット表示部６５、付与数表示部６６及び演出制御装置８０等が接続されている。各ゲームにおいてはリールユニット３１の各リール３２Ｌ，３２Ｍ，３２Ｒの回転駆動制御がＭＰＵ７２により行われる。セレクタ５２は、メダル投入口４５から投入されたメダルを、受付許可時であれば投入メダル検出センサ４５ａにて検出させた後にホッパ装置５３へ導き、受付禁止時であれば投入メダル検出センサ４５ａにて検出させることなくメダル受け皿５９へ排出する機能を有する。セレクタ駆動部５２ａはセレクタ５２の状態を受付許可状態と受付禁止状態との間で切り換えるための機能を有しており、具体的にはセレクタ５２に設けられた通路切換片を受付許可用の位置と受付禁止用の位置との間で動作させる。ＭＰＵ７２はセレクタ駆動部５２ａへの駆動信号の出力状態及び停止状態を切り換えることにより、セレクタ５２の状態を受付許可状態と受付禁止状態との間で切り換える。
【００５２】
ＭＰＵ７２は、貯留記憶された仮想メダルの数が表示されるようにクレジット表示部６５を表示制御する。また、ＭＰＵ７２は、小役入賞が成立してメダルの払い出しを実行する場合にはホッパ装置５３の駆動制御を実行する。さらにまた、ＭＰＵ７２は、遊技媒体の付与が発生した場合にはその付与対象となった遊技媒体の数が表示されるように付与数表示部６６を表示制御する。また、ＭＰＵ７２は、各ゲームの各タイミングで演出制御装置８０にコマンドを送信する。
【００５３】
ＭＰＵ７２の入力側には、電源装置５４に設けられた停電監視回路が接続されている（図示略）。電源装置５４には、主制御装置７０をはじめとしてスロットマシン１０の各電子機器に駆動電力を供給する電源部及び停電監視回路が搭載されており、停電監視回路は、外部電源から電源部に印加されている電圧を監視し、当該電圧が基準電圧以下となった場合にＭＰＵ７２に停電信号を出力する。ＭＰＵ７２は、停電信号を受信することにより停電時処理を実行し、復電後において停電前の処理状態への復帰を可能とする。また、電源装置５４には、外部電源からの動作電力の供給が遮断されている状況において電断中電力としてバックアップ電力をＲＡＭ７４に供給するための電断中電源部が設けられている。これにより、外部電源からの動作電力の供給が遮断されている状況であっても、電断中電源部においてバックアップ電力を供給可能な状況（例えば１日や２日）ではＲＡＭ７４においてデータが記憶保持される。但し、電源装置５４に設けられたリセットボタン５６を押圧操作した状態でスロットマシン１０の電源のＯＮ操作を行うことで、ＲＡＭ７４に記憶保持されているデータは初期化される。
【００５４】
演出制御装置８０は、各種報知や各種演出の実行を制御するための演出制御基板８１を具備している。演出制御基板８１には、ＭＰＵ８２が搭載されている。ＭＰＵ８２には、当該ＭＰＵ８２により実行される各種の制御プログラムや固定値データを記憶したＲＯＭ８３、及びそのＲＯＭ８３内に記憶される制御プログラムの実行に際して各種のデータ等を一時的に記憶するためのメモリであるＲＡＭ８４が内蔵されているとともに、所定周波数の矩形波を出力するクロック回路、割込回路、データ入出力回路及び乱数発回路などが内蔵されている。
【００５５】
なお、ＭＰＵ８２に対してＲＯＭ８３及びＲＡＭ８４が１チップ化されていることは必須の構成ではなく、それぞれが個別にチップ化された構成としてもよい。また、ＲＡＭ８４には、外部電源からの動作電力の供給が遮断されている状況において電源装置５４の電断中電源部からバックアップ電力が供給されないが、ＲＡＭ８４に対してバックアップ電力が供給される構成としてもよい。
【００５６】
ＭＰＵ８２には、入力ポート及び出力ポートがそれぞれ設けられている。ＭＰＵ８２の入力側には、既に説明したとおり主制御装置７０のＭＰＵ７２が接続されており、当該ＭＰＵ７２から各種コマンドを受信する。ＭＰＵ８２の出力側には、上部ランプ６１、スピーカ６２及び画像表示装置６３が接続されている。ＭＰＵ８２は、主制御装置７０のＭＰＵ７２から受信したコマンドに基づき、上部ランプ６１の発光制御、スピーカ６２の音出力制御、及び画像表示装置６３の表示制御を実行することで、各種報知や各種演出が行われるようにする。
【００５７】
なお、以下の説明では説明の便宜上、主制御装置７０のＭＰＵ７２、ＲＯＭ７３及びＲＡＭ７４をそれぞれ主側ＭＰＵ７２、主側ＲＯＭ７３及び主側ＲＡＭ７４といい、演出制御装置８０のＭＰＵ８２、ＲＯＭ８３及びＲＡＭ８４をそれぞれ演出側ＭＰＵ８２、演出側ＲＯＭ８３及び演出側ＲＡＭ８４という。
【００５８】
次に、主側ＭＰＵ７２により実行される処理について説明する。まず、主側ＭＰＵ７２への動作電力の供給が開始された場合に当該主側ＭＰＵ７２にて実行されるメイン処理について図８のフローチャートを参照しながら説明する。
【００５９】
メイン処理ではまず初期化処理を実行する（ステップＳ１０１）。初期化処理では、タイマ割込み処理による割込みを許可し、さらに主側ＭＰＵ７２内のレジスタ群及びＩ／Ｏ装置等に対する各種の初期設定を行う。その後、設定キーが設定キー挿入孔５７に挿入されて電源ＯＮが行われているか否かを判定する（ステップＳ１０２）。設定キーが挿入された状態で電源ＯＮが行われている場合には（ステップＳ１０２：ＹＥＳ）、電源ＯＮに際してリセットボタン５６がＯＮ操作されていないのであれば（ステップＳ１０３：ＮＯ）、そのまま当選確率設定処理を実行する（ステップＳ１０５）。一方、電源ＯＮに際してリセットボタン５６がＯＮ操作されているのであれば（ステップＳ１０３：ＹＥＳ）、クリア処理（ステップＳ１０４）を実行した後に、当選確率設定処理を実行する（ステップＳ１０５）。
【００６０】
クリア処理では、主側ＲＡＭ７４における全部のエリアを初期化する。この場合、主側ＲＡＭ７４においてスロットマシン１０の設定値を記憶するエリア、ＢＢ状態であるか否かを示すデータが記憶されたエリア、遊技状態を示すデータが記憶されたエリア、及びＡＴ状態の終了条件を特定するためのデータが記憶されたエリアも含めて主側ＲＡＭ７４の各エリアを「０」クリアする。クリア処理が実行された場合には、電源遮断前の状態が異常の発生を契機として遊技の進行が規制された状態であった場合にはその異常状態が解除される。
【００６１】
当選確率設定処理では、設定キーが挿入されてＯＮ操作されていることを条件として現在の設定値を読み込むとともに、クレジット表示部６５に現在の設定値を表示する。なお、主側ＲＡＭ７４のクリア処理（ステップＳ１０４）が実行された場合には当選確率設定処理の開始に際してクレジット表示部６５には「設定１」に対応する表示が行われ、クリア処理（ステップＳ１０４）が実行されていない場合には電源遮断前の状態における設定値に対応する表示が行われる。当選確率設定処理では、リセットボタン５６が操作される度に設定値を１更新するとともに、その更新後の設定値をクレジット表示部６５に表示する。なお、設定値が「設定６」である状況でリセットボタン５６が操作された場合には設定値は「設定１」に更新される。スタートレバー４１が操作された後に設定キーのＯＮ操作が解除された場合に当選確率設定処理を終了する。この場合、クレジット表示部６５における設定値の表示が終了される。
【００６２】
当選確率設定処理を実行した後は、通常処理に移行する（ステップＳ１０６）。通常処理については後に詳細に説明する。また、メイン処理において設定キーのＯＮ操作が行われていない場合（ステップＳ１０２：ＮＯ）、ステップＳ１０７以降の復電処理を実行する。復電処理とは、スロットマシン１０の状態を電源遮断前の状態に復帰させるための処理である。復電処理では、主側ＲＡＭ７４を確認することでスロットマシン１０の設定値が正常か否かを判定する（ステップＳ１０７）。具体的には、設定値が「設定１」〜「設定６」のいずれかである場合に正常であると判定し、「０」又は「７」以上である場合に異常であると判定する。設定値が正常である場合には、停電フラグに「１」がセットされているか否かを判定する（ステップＳ１０８）。停電フラグは主側ＲＡＭ７４に設けられており、主側ＭＰＵ７２への動作電力の供給が停止される場合において予め定められた停電時処理が正常に実行された場合には当該停電フラグに「１」がセットされることとなる。停電フラグに「１」がセットされている場合には、ＲＡＭ判定値が正常であるか否かを確認する（ステップＳ１０９）。具体的には、主側ＲＡＭ７４のチェックサム値を調べ、その値が正常であるか否かを確認する。
【００６３】
ステップＳ１０７〜ステップＳ１０９の全てにおいて肯定判定をした場合には前回の電断時における停電時処理が正常に実行されたことを意味する。この場合、主側ＲＡＭ７４に保存されたスタックポインタの値を主側ＭＰＵ７２のスタックポインタに書き込み、主側ＲＡＭ７４に退避させたデータを主側ＭＰＵ７２のレジスタに復帰させることで、主側ＭＰＵ７２のレジスタの状態を電源が遮断される前の状態に復帰させる（ステップＳ１１０）。また、主側ＲＡＭ７４の停電フラグを「０」クリアする（ステップＳ１１１）。その後、復電処理の実行を認識させるための復電コマンドを演出側ＭＰＵ８２に送信した後に（ステップＳ１１２）、電源遮断前の番地に戻る（ステップＳ１１３）。
【００６４】
一方、ステップＳ１０７〜ステップＳ１０９のいずれかで否定判定をした場合には動作禁止処理を実行する。動作禁止処理では、次回のタイマ割込み処理（図９）の実行を禁止し（ステップＳ１１４）、主側ＭＰＵ７２の全ての出力ポートを「０」クリアすることにより当該出力ポートに接続された全てのアクチュエータをＯＦＦ状態とし（ステップＳ１１５）、ホール管理者等にエラーの発生を報知するためのエラー報知処理を実行する（ステップＳ１１６）。そして、無限ループとなる。当該動作禁止処理は、クリア処理（ステップＳ１０４）が実行されることにより解除される。
【００６５】
次に、主側ＭＰＵ７２にて実行されるタイマ割込み処理について、図９のフローチャートを参照しながら説明する。タイマ割込み処理は、１．４９ｍｓｅｃごとに起動される。
【００６６】
レジスタ退避処理（ステップＳ２０１）では、後述する通常処理で使用している主側ＭＰＵ７２内の全レジスタの値を主側ＲＡＭ７４に退避させる。ステップＳ２０２では停電フラグに「１」がセットされているか否かを確認し、停電フラグに「１」がセットされているときにはステップＳ２０３に進み、停電時処理を実行する。
【００６７】
停電フラグは、電源装置５４の停電監視回路からの停電信号が主側ＭＰＵ７２に入力された場合にセットされる。停電時処理では、まずコマンドの送信が終了しているか否かを判定し、送信が終了していない場合には本処理を終了してタイマ割込み処理に復帰し、コマンドの送信を終了させる。コマンドの送信が終了している場合には、主側ＭＰＵ７２のスタックポインタの値を主側ＲＡＭ７４に保存する。その後、主側ＭＰＵ７２の出力ポートの出力状態をクリアし、図示しない全てのアクチュエータをオフ状態にする。そして、停電解消時に主側ＲＡＭ７４のデータが正常か否かを判定するための判定値を算出して当該主側ＲＡＭ７４に保存し、それ以後のＲＡＭアクセスを禁止する。以上の処理を行った後は、電源が完全に遮断して処理が実行できなくなるのに備え、無限ループに入る。
【００６８】
ステップＳ２０２にて停電フラグに「１」がセットされていない場合には、ステップＳ２０４以降の各種処理を行う。ステップＳ２０４では、誤動作の発生を監視するためのウオッチドッグタイマの値を初期化するウオッチドッグタイマのクリア処理を行う。ステップＳ２０５では、主側ＭＰＵ７２自身に対して次回のタイマ割込みを設定可能とする割込み終了宣言処理を行う。ステップＳ２０６では、各リール３２Ｌ，３２Ｍ，３２Ｒを回転させるために、これら各リール３２Ｌ，３２Ｍ，３２Ｒに設けられたステッピングモータ３３を駆動させるステッピングモータ制御処理を行う。なお、ステッピングモータ制御処理の詳細については後述する。ステップＳ２０７では、入力ポートに接続された各種センサの状態を読み込むとともに、読み込み結果が正常か否かを監視するセンサ監視処理を行う。
【００６９】
ステップＳ２０８では、各カウンタやタイマの値を減算するタイマ減算処理を行う。ステップＳ２０９では、メダルのベット数や、払出枚数をカウントした結果を外部へ出力するカウンタ処理を行う。ステップＳ２１０では、各種コマンドを演出側ＭＰＵ８２へ送信するコマンド出力処理を行う。ステップＳ２１１では、入出力ポートからＩ／Ｏ装置に対応するデータを出力するポート出力処理を行う。ステップＳ２１２では、先のステップＳ２０１にて主側ＲＡＭ７４に退避させた各レジスタの値をそれぞれ主側ＭＰＵ７２内の対応するレジスタに復帰させる。その後、ステップＳ２１３にて次回のタイマ割込みを許可する割込み許可処理を行い、この一連のタイマ割込み処理を終了する。
【００７０】
次に、主側ＭＰＵ７２にて実行される通常処理について図１０のフローチャートに基づき説明する。
【００７１】
先ず次回のタイマ割込みを許可する割込み許可処理を行う（ステップＳ３０１）。その後、開始待ち処理を実行する（ステップＳ３０２）。開始待ち処理では、前回の遊技でいずれかのリプレイ入賞が発生したか否かを判定する。いずれかのリプレイ入賞が発生していた場合には、前回のベット数と同数の仮想メダルを自動投入する自動投入処理を行い、開始待ち処理を終了する。いずれのリプレイ入賞も発生していなかった場合には、精算ボタン５１が操作されたか否かを判定し、精算ボタン５１が操作された場合には、クレジットされた仮想メダルと同数のメダルを払い出すメダル返却処理を行う。メダル返却処理の終了後又は精算ボタン５１が操作されていない場合には、前回の開始待ち処理から今回の開始待ち処理までの間にメダルの投入又はクレジット投入ボタン４７〜４９の操作がなされたか否かを判定し、いずれかが行われた場合には、ベット数の変更等を行うメダル投入処理を行い、開始待ち処理を終了する。また、前回の開始待ち処理から今回の開始待ち処理までの間にメダルの投入とクレジット投入ボタン４７〜４９の操作との両方が行われていない場合にはそのまま開始待ち処理を終了する。
【００７２】
ステップＳ３０２の開始待ち処理の実行後、メダルのベット数が規定数（具体的には「３」）に達しているか否かを判定し（ステップＳ３０３）、ベット数が規定数に達していない場合には開始待ち処理（ステップＳ３０２）に戻る。ベット数が規定数に達している場合にはスタートレバー４１が操作されたか否かを判定する（ステップＳ３０４）。スタートレバー４１が操作されていない場合には、開始待ち処理（ステップＳ３０２）に戻る。一方、スタートレバー４１が操作された場合には、メインラインＭＬを有効化させた後に、受付禁止処理を実行する（ステップＳ３０５）。受付禁止処理が実行されることにより、メダル投入口４５にメダルが投入されたとしても、当該メダルは投入メダル検出センサ４５ａにて検出されることなくメダル受け皿５９へ排出される。その後、今回のゲームにおける役の抽選を行うための抽選処理を実行し（ステップＳ３０６）、各リール３２Ｌ，３２Ｍ，３２Ｒを今回の抽選処理の結果に対応した態様で駆動制御するためのリール制御処理を実行する（ステップＳ３０７）。なお、リール制御処理の詳細については後述する。
【００７３】
その後、媒体付与処理を実行する（ステップＳ３０８）。媒体付与処理では、今回のゲームにおいて小役入賞が成立している場合に、当該小役入賞に対応した数の遊技媒体を遊技者に付与するための処理を実行する。具体的には、仮想メダルを付与する場合には主側ＲＡＭ７４に設けられたクレジットカウンタに今回の小役入賞に対応した値を加算し、クレジットカウンタの値が上限貯留数に達している場合にはその上限貯留数を超えた数分のメダルがメダル受け皿５９に払い出されるようにホッパ装置５３を駆動制御する。
【００７４】
ステップＳ３０８にて媒体付与処理を実行した後は、今回のゲームの結果に対応する遊技状態の設定を可能とするための遊技終了時の対応処理を実行する（ステップＳ３０９）。その後、スロットマシン１０の状態を遊技ホールの管理コンピュータに出力するための外部出力設定処理を実行し（ステップＳ３１０）、受付許可処理を実行して（ステップＳ３１１）、ステップＳ３０１の処理に戻る。受付許可処理が実行されることにより、メダル投入口４５から投入されたメダルは、投入メダル検出センサ４５ａにて検出された後にホッパ装置５３にて回収されることとなる。
【００７５】
＜抽選処理＞
次に、通常処理（図１０）のステップＳ３０６にて実行される抽選処理について、図１１のフローチャートを参照しながら説明する。
【００７６】
抽選処理では、先ず役の当否判定を行う際に用いる乱数を取得する乱数取得処理を実行する（ステップＳ４０１）。本スロットマシン１０では、スタートレバー４１が操作されると、ハード回路がその時点におけるフリーランカウンタの値をラッチする構成となっている。フリーランカウンタは０〜６５５３５の乱数を生成しており、主側ＭＰＵ７２は、スタートレバー４１の操作を確認した後、ハード回路がラッチした値を主側ＲＡＭ７４に格納する。かかる構成とすることにより、スタートレバー４１が操作されたタイミングで速やかに乱数を取得することが可能となり、同期等の問題が発生することを回避することが可能となる。本スロットマシン１０のハード回路は、スタートレバー４１が操作される毎にその都度のフリーランカウンタの値をラッチする構成となっている。
【００７７】
ステップＳ４０１にて乱数を取得した後は、役の当否判定を行うための抽選テーブルを主側ＲＯＭ７３から読み出す（ステップＳ４０２）。ここで、本スロットマシン１０では、非ＢＢ状態について、「１」の設定値から「６」の設定値まで６段階の当選確率が予め用意されており、設定キー挿入孔５７に設定キーを挿入してＯＮ操作するとともに所定の操作を行うことにより、いずれの当選確率に基づいて抽選処理を実行させるのかを設定することができる。「ｎ」の設定値よりも「ｎ＋１」の設定値の方がＢＢ状態への移行契機となるＢＢ役の当選確率が高い確率となるため、「ｎ」の設定値よりも「ｎ＋１」の設定値の方が遊技者にとって有利となる。また、同一の段階の設定値であっても主側ＭＰＵ７２において抽選テーブルが相違する抽選モードとして、通常モードと、第１ＲＴモードと、第２ＲＴモードとの３種類が存在している。また、遊技状態として、これら各抽選モードの状態とは別にＢＢ状態が存在している。ステップＳ４０２では、現状の設定値と、現状の遊技状態との組合せに対応する抽選テーブルを選択する。
【００７８】
設定値が「３」である場合を例に挙げて、通常モード、第１ＲＴモード、及び第２ＲＴモードのそれぞれに対応する抽選テーブルについて説明する。まず通常モードである場合に選択される通常モード用抽選テーブルについて説明する。図１２は通常モード用抽選テーブルを説明するための説明図であり、図１３は通常モード用抽選テーブルにおけるリール３２Ｌ，３２Ｍ，３２Ｒの停止順序と成立可能な入賞の種類との関係を示す図である。
【００７９】
図１２に示すように、通常モード用抽選テーブルには、インデックス値ＩＶが設定されており、各インデックス値ＩＶには、当選となる役がそれぞれ対応付けられるとともにポイント値ＰＶが設定されている。ポイント値ＰＶは、対応する抽選役の当選確率をフリーランカウンタの最大値（「６５５３５」）との関係で定めるものである。
【００８０】
具体的には、インデックス値ＩＶ＝１には、ベル当選データと、第１補填当選データとが設定されている。インデックス値ＩＶ＝１で当選となった場合、図１３に示すように、第１停止（最初に停止指令が発生したリール）が左リール３２Ｌである場合に第２停止対象及び第３停止対象のリールの種類及び各ストップボタン４２〜４４の操作タイミングに関係なくベル入賞が確実に発生し、それ以外の場合には第１補填入賞が確実に発生する。
【００８１】
本スロットマシン１０においてはストップボタン４２〜４４が操作されてから最大４図柄分まで滑らせることが可能なリール制御が各リール３２Ｌ，３２Ｍ，３２Ｒについて行われる。換言すれば、ストップボタン４２〜４４が操作されてから規定時間（１９０ｍｓｅｃ）が経過するまでに停止させるリール制御が各リール３２Ｌ，３２Ｍ，３２Ｒについて行われる。このようなリール制御が行われることにより、当選している役に対応した入賞を成立させ易くすることが可能となるとともに、当選していない役に対応した入賞が成立してしまうことを回避することが可能となる。但し、滑らせることが可能なリール３２Ｌ，３２Ｍ，３２Ｒの回転量が上記のように制限されているため、一のリール３２Ｌ，３２Ｍ，３２Ｒにおいて、入賞を成立させるための図柄の組合せを構成する構成図柄間に５図柄以上が存在していると、対応するストップボタン４２〜４４の操作タイミングによっては当該構成図柄がメインラインＭＬ上に停止しないことが起こり得る（当該事象を所謂「取りこぼし」ともいう）。第１補填入賞〜第３補填入賞、ベル入賞、スイカ入賞及び各種リプレイ入賞は対応する順序でリール３２Ｌ，３２Ｍ，３２Ｒが停止された場合には取りこぼしが発生しない入賞態様であり、チェリー入賞、第１ＢＢ入賞及び第２ＢＢ入賞はリール３２Ｌ，３２Ｍ，３２Ｒの回転位置に対するストップボタン４２〜４４の停止操作タイミングによっては取りこぼしが発生し得る入賞態様である。
【００８２】
インデックス値ＩＶ＝２には、図１２に示すように、ベル当選データと、第２補填当選データとが設定されている。インデックス値ＩＶ＝２で当選となった場合、図１３に示すように、第１停止が中リール３２Ｍである場合に第２停止対象及び第３停止対象のリールの種類及び各ストップボタン４２〜４４の操作タイミングに関係なくベル入賞が確実に成立し、それ以外の場合には第２補填入賞が確実に成立する。
【００８３】
インデックス値ＩＶ＝３には、図１２に示すように、ベル当選データと、第３補填当選データとが設定されている。インデックス値ＩＶ＝３で当選となった場合、図１３に示すように、第１停止が右リール３２Ｒである場合に第２停止対象及び第３停止対象のリールの種類及び各ストップボタン４２〜４４の操作タイミングに関係なくベル入賞が確実に成立し、それ以外の場合には第３補填入賞が確実に成立する。
【００８４】
インデックス値ＩＶ＝４には、図１２に示すように、スイカ当選データのみが設定されている。インデックス値ＩＶ＝４で当選となった場合、図１３に示すように、リール３２Ｌ，３２Ｍ，３２Ｒの停止順序に関係なくスイカ入賞が成立する。また、インデックス値ＩＶ＝４で当選となった場合、各ストップボタン４２〜４４の操作タイミングに関係なくスイカ入賞が確実に成立する。
【００８５】
インデックス値ＩＶ＝５には、図１２に示すように、チェリー当選データのみが設定されている。インデックス値ＩＶ＝５で当選となった場合、図１３に示すように、リール３２Ｌ，３２Ｍ，３２Ｒの停止順序に関係なくチェリー入賞が成立し得る。但し、左リール３２Ｌの回転位置に対する左ストップボタン４２の操作タイミングによっては、チェリー入賞が成立しない可能性がある。
【００８６】
インデックス値ＩＶ＝６には、図１２に示すように、第１ＢＢ当選データが設定されている。インデックス値ＩＶ＝６で当選となった場合、図１３に示すように、リール３２Ｌ，３２Ｍ，３２Ｒの停止順序に関係なく第１ＢＢ入賞が成立し得る。但し、各ストップボタン４２〜４４の操作タイミングよっては、第１ＢＢ入賞が成立しない可能性がある。また、インデックス値ＩＶ＝７には、図１２に示すように、第２ＢＢ当選データが設定されている。インデックス値ＩＶ＝７で当選となった場合、図１３に示すように、リール３２Ｌ，３２Ｍ，３２Ｒの停止順序に関係なく第２ＢＢ入賞が成立し得る。但し、各ストップボタン４２〜４４の操作タイミングよっては、第２ＢＢ入賞が成立しない可能性がある。
【００８７】
ここで、第１ＢＢ当選データ及び第２ＢＢ当選データ以外の当選データは入賞が成立したか否かに関係なく当選となったゲームにて消去され、当選となったゲームの次以降のゲームには持ち越されない。これに対して、第１ＢＢ当選データ及び第２ＢＢ当選データは、主側ＲＡＭ７４のクリア処理が行われる場合を除き、当選となったゲームの次以降のゲームであっても対応するＢＢ入賞が成立するまで記憶保持される。この場合に、第１ＢＢ当選データ又は第２ＢＢ当選データが持ち越されている状態のゲームにおいては第１ＢＢ当選データ及び第２ＢＢ当選データに対応するインデックス値ＩＶは抽選対象から除外される。これにより、第１ＢＢ当選データ又は第２ＢＢ当選データが既に記憶保持されているにも関わらずＢＢ当選データが新たに記憶されてしまわないようにすることが可能となり、複数のＢＢ当選データが累積して記憶されてしまわないようにすることが可能となる。
【００８８】
インデックス値ＩＶ＝８〜１１には、図１２に示すように、通常リプレイ当選データと、第１ＲＴリプレイ当選データとが設定されている。この場合、インデックス値ＩＶ＝８で当選となった場合、図１３に示すように、第１停止が中リール３２Ｍであり、第２停止（２番目に停止指令が発生したリール）が左リール３２Ｌであり、第３停止（最後に停止指令が発生したリール）が右リール３２Ｒである場合に各ストップボタン４２〜４４の操作タイミングに関係なく第１ＲＴリプレイ入賞が確実に成立し、それ以外の場合には各ストップボタン４２〜４４の操作タイミングに関係なく通常リプレイ入賞が確実に成立する。また、インデックス値ＩＶ＝９で当選となった場合、第１停止が中リール３２Ｍであり、第２停止が右リール３２Ｒであり、第３停止が左リール３２Ｌである場合に各ストップボタン４２〜４４の操作タイミングに関係なく第１ＲＴリプレイ入賞が確実に成立し、それ以外の場合には各ストップボタン４２〜４４の操作タイミングに関係なく通常リプレイ入賞が確実に成立する。また、インデックス値ＩＶ＝１０で当選となった場合、第１停止が右リール３２Ｒであり、第２停止が左リール３２Ｌであり、第３停止が中リール３２Ｍである場合に各ストップボタン４２〜４４の操作タイミングに関係なく第１ＲＴリプレイ入賞が確実に成立し、それ以外の場合には各ストップボタン４２〜４４の操作タイミングに関係なく通常リプレイ入賞が確実に成立する。また、インデックス値ＩＶ＝１１で当選となった場合、第１停止が右リール３２Ｒであり、第２停止が中リール３２Ｍであり、第３停止が左リール３２Ｌである場合に各ストップボタン４２〜４４の操作タイミングに関係なく第１ＲＴリプレイ入賞が確実に成立し、それ以外の場合には各ストップボタン４２〜４４の操作タイミングに関係なく通常リプレイ入賞が確実に成立する。
【００８９】
図１２の通常モード用抽選テーブルが選択される場合、インデックス値ＩＶ＝１の際に当選となる確率、インデックス値ＩＶ＝２の際に当選となる確率、及びインデックス値ＩＶ＝３の際に当選となる確率は、それぞれ約１／５．０であり、インデックス値ＩＶ＝４の際に当選となる確率は約１／７７であり、インデックス値ＩＶ＝５の際に当選となる確率は約１／４２３であり、インデックス値ＩＶ＝６の際に当選となる確率は約１／１３１であり、インデックス値ＩＶ＝７の際に当選となる確率は約１／６５５であり、インデックス値ＩＶ＝８の際に当選となる確率、インデックス値ＩＶ＝９の際に当選となる確率、インデックス値ＩＶ＝１０の際に当選となる確率、及びインデックス値ＩＶ＝１１の際に当選となる確率は、それぞれ約１／２８．０である。
【００９０】
ここで、通常モード用抽選テーブルには、既に説明したとおり、インデックス値ＩＶ＝８〜１１の当選データとして、通常リプレイ当選データ以外に第１ＲＴリプレイ当選データが設定されている（図１２参照）。これらインデックス値ＩＶ＝８〜１１のいずれかに当選する確率は約１／７．０である。そして、インデックス値ＩＶ＝８〜１１のいずれかで当選となった場合、リール３２Ｌ，３２Ｍ，３２Ｒの第１停止、第２停止及び第３停止の停止順序が当選となった役に対応する停止順序となった場合に第１ＲＴリプレイ入賞が成立し、抽選モードが通常モードから第１ＲＴモードに移行する。第１ＲＴモードに移行した場合、抽選処理（図１１）において参照される抽選テーブルは第１ＲＴモード用抽選テーブルとなる。
【００９１】
次に、「設定３」であって第１ＲＴモードである場合に選択される第１ＲＴモード用抽選テーブルについて説明する。図１４及び図１５は第１ＲＴモード用抽選テーブルを説明するための説明図である。
【００９２】
第１ＲＴモード用抽選テーブルにおいては、図１４に示すように、インデックス値ＩＶ＝１〜７のそれぞれに設定されている当選役データ及び各インデックス値ＩＶの当選確率が、通常モード用抽選テーブル（図１２）と同一となっている。この場合、インデックス値ＩＶ＝１〜５には遊技媒体の付与を可能とする役が設定されており、当該インデックス値ＩＶ＝１〜５のそれぞれに設定されている当選役データ及び各当選確率が同一となっていることにより、遊技媒体の付与を可能とする役の種類及びそれらの役の当選確率は通常モード及び第１ＲＴモードのそれぞれにおいて相互に同一となっている。また、インデックス値ＩＶ＝６〜７には通常モード用抽選テーブルと同様にＢＢ当選データが設定されており、その当選確率は通常モード用抽選テーブルと同一となっている。つまり、通常モード及び第１ＲＴモードにおいていずれかのＢＢ役に当選する確率は同一となっている。
【００９３】
インデックス値ＩＶ＝８以降に設定されている当選役データは、通常モードと相違している。詳細には、第１ＲＴモード用抽選テーブルにおいては、図１４に示すように、インデックス値ＩＶ＝８〜１１の当選データとして、通常リプレイ当選データ以外に第２ＲＴリプレイ当選データが設定されている。これらインデックス値ＩＶ＝８〜１１のいずれかに当選する確率は約１／１０．１である。インデックス値ＩＶ＝８で当選となった場合、図１５に示すように、第１停止が中リール３２Ｍであり、第２停止が左リール３２Ｌであり、第３停止が右リール３２Ｒである場合に第２ＲＴリプレイ入賞が各ストップボタン４２〜４４の操作タイミングに関係なく確実に発生し、それ以外の場合には通常リプレイ入賞が各ストップボタン４２〜４４の操作タイミングに関係なく確実に発生する。また、インデックス値ＩＶ＝９で当選となった場合、第１停止が中リール３２Ｍであり、第２停止が右リール３２Ｒであり、第３停止が左リール３２Ｌである場合に第２ＲＴリプレイ入賞が各ストップボタン４２〜４４の操作タイミングに関係なく確実に発生し、それ以外の場合には通常リプレイ入賞が各ストップボタン４２〜４４の操作タイミングに関係なく確実に発生する。また、インデックス値ＩＶ＝１０で当選となった場合、第１停止が右リール３２Ｒであり、第２停止が左リール３２Ｌであり、第３停止が中リール３２Ｍである場合に第２ＲＴリプレイ入賞が各ストップボタン４２〜４４の操作タイミングに関係なく確実に発生し、それ以外の場合には通常リプレイ入賞が各ストップボタン４２〜４４の操作タイミングに関係なく確実に発生する。また、インデックス値ＩＶ＝１１で当選となった場合、第１停止が右リール３２Ｒであり、第２停止が中リール３２Ｍであり、第３停止が左リール３２Ｌである場合に第２ＲＴリプレイ入賞が各ストップボタン４２〜４４の操作タイミングに関係なく確実に発生し、それ以外の場合には通常リプレイ入賞が各ストップボタン４２〜４４の操作タイミングに関係なく確実に発生する。第１ＲＴモードにおいてインデックス値ＩＶ＝８〜１１のいずれかで当選となり、リール３２Ｌ，３２Ｍ，３２Ｒの第１停止、第２停止及び第３停止の停止順序が当選となった役に対応する停止順序となった場合に、第２ＲＴリプレイ入賞が成立して抽選モードが第１ＲＴモードから第２ＲＴモードに移行する。第２ＲＴモードに移行した場合、抽選処理（図１１）において参照される抽選テーブルは第２ＲＴモード用抽選テーブルとなる。
【００９４】
第１ＲＴモード用抽選テーブルには、図１４に示すように、インデックス値ＩＶ＝１２〜１７の当選データとして、通常リプレイ当選データ以外に、第１転落リプレイ当選データが設定されている。これらインデックス値ＩＶ＝１２〜１７のいずれかに当選する確率は約１／１０．９である。
【００９５】
第１ＲＴモード用抽選テーブルにおいてインデックス値ＩＶ＝１２で当選となった場合、図１５に示すように、第１停止が左リール３２Ｌであり、第２停止が中リール３２Ｍであり、第３停止が右リール３２Ｒである場合に通常リプレイ入賞が各ストップボタン４２〜４４の操作タイミングに関係なく確実に発生し、それ以外の場合には第１転落リプレイ入賞が各ストップボタン４２〜４４の操作タイミングに関係なく確実に発生する。また、インデックス値ＩＶ＝１３で当選となった場合、第１停止が左リール３２Ｌであり、第２停止が右リール３２Ｒであり、第３停止が中リール３２Ｍである場合に通常リプレイ入賞が各ストップボタン４２〜４４の操作タイミングに関係なく確実に発生し、それ以外の場合には第１転落リプレイ入賞が各ストップボタン４２〜４４の操作タイミングに関係なく確実に発生する。また、インデックス値ＩＶ＝１４で当選となった場合、第１停止が中リール３２Ｍであり、第２停止が左リール３２Ｌであり、第３停止が右リール３２Ｒである場合に通常リプレイ入賞が各ストップボタン４２〜４４の操作タイミングに関係なく確実に発生し、それ以外の場合には第１転落リプレイ入賞が各ストップボタン４２〜４４の操作タイミングに関係なく確実に発生する。また、インデックス値ＩＶ＝１５で当選となった場合、第１停止が中リール３２Ｍであり、第２停止が右リール３２Ｒであり、第３停止が左リール３２Ｌである場合に通常リプレイ入賞が各ストップボタン４２〜４４の操作タイミングに関係なく確実に発生し、それ以外の場合には第１転落リプレイ入賞が各ストップボタン４２〜４４の操作タイミングに関係なく確実に発生する。また、インデックス値ＩＶ＝１６で当選となった場合、第１停止が右リール３２Ｒであり、第２停止が左リール３２Ｌであり、第３停止が中リール３２Ｍである場合に通常リプレイ入賞が各ストップボタン４２〜４４の操作タイミングに関係なく確実に発生し、それ以外の場合には第１転落リプレイ入賞が各ストップボタン４２〜４４の操作タイミングに関係なく確実に発生する。また、インデックス値ＩＶ＝１７で当選となった場合、第１停止が右リール３２Ｒであり、第２停止が中リール３２Ｍであり、第３停止が左リール３２Ｌである場合に通常リプレイ入賞が各ストップボタン４２〜４４の操作タイミングに関係なく確実に発生し、それ以外の場合には第１転落リプレイ入賞が各ストップボタン４２〜４４の操作タイミングに関係なく確実に発生する。第１転落リプレイ入賞が成立した場合、抽選モードが通常モードに移行する。通常モードに移行した場合、抽選処理（図１１）において参照される抽選テーブルは通常モード用抽選テーブルとなる。
【００９６】
第１ＲＴモード用抽選テーブルにはインデックス値ＩＶ＝１８に通常リプレイ当選データのみが設定されている。インデックス値ＩＶ＝１８において当選となる確率は他の役に当選する確率よりも高く設定されており、具体的には約１／６．７で当選となる。そして、このインデックス値ＩＶ＝１８で当選となった場合にはリール３２Ｌ，３２Ｍ，３２Ｒの停止順序及び各リール３２Ｌ，３２Ｍ，３２Ｒの停止操作タイミングとは無関係に通常リプレイ入賞が成立することとなる。
【００９７】
第１ＲＴモード用抽選テーブルにはインデックス値ＩＶ＝８〜１８にリプレイ入賞の成立を可能とさせる役が設定されている。そして、これら役の当選確率が既に説明したような確率に設定されていることにより、第１ＲＴモードにおいてリプレイ入賞の成立を可能とさせる役の当選確率（以下、リプレイ確率ともいう）は、約１／２．９となっている。これに対して、通常モードにおけるリプレイ確率は約１／７．０となっている。つまり、第１ＲＴモードは通常モードよりもリプレイ確率が高い遊技状態となっている。
【００９８】
次に、「設定３」であって第２ＲＴモードである場合に選択される第２ＲＴモード用抽選テーブルについて説明する。図１６及び図１７は第２ＲＴモード用抽選テーブルを説明するための説明図である。
【００９９】
第２ＲＴモード用抽選テーブルにおいては、図１６に示すように、インデックス値ＩＶ＝１〜７のそれぞれに設定されている当選役データ及び各インデックス値ＩＶの当選確率が、通常モード用抽選テーブル（図１２）及び第１ＲＴモード用抽選テーブル（図１４）と同一となっている。この場合、インデックス値ＩＶ＝１〜５には遊技媒体の付与を可能とする役が設定されており、当該インデックス値ＩＶ＝１〜５のそれぞれに設定されている当選役データ及び各当選確率が同一となっていることにより、遊技媒体の付与を可能とする役の種類及びそれらの役の当選確率は通常モード、第１ＲＴモード及び第２ＲＴモードのそれぞれにおいて相互に同一となっている。また、インデックス値ＩＶ＝６〜７には通常モード用抽選テーブル及び第１ＲＴモード用抽選テーブルと同様にＢＢ当選データが設定されており、その当選確率は通常モード用抽選テーブル及び第１ＲＴモード用抽選テーブルと同一となっている。つまり、通常モード、第１ＲＴモード及び第２ＲＴモードにおいていずれかのＢＢ役に当選する確率は同一となっている。
【０１００】
インデックス値ＩＶ＝８以降に設定されている当選役データは、通常モード及び第１ＲＴモードと相違している。詳細には、第２ＲＴモード用抽選テーブルにおいては、図１６に示すように、インデックス値ＩＶ＝８〜１３の当選データとして、通常リプレイ当選データ以外に、第２転落リプレイ当選データが設定されている。これらインデックス値ＩＶ＝８〜１３のいずれかに当選する確率は約１／５．５である。
【０１０１】
第２ＲＴモード用抽選テーブルにおいてインデックス値ＩＶ＝８で当選となった場合、図１７に示すように、第１停止が左リール３２Ｌであり、第２停止が中リール３２Ｍであり、第３停止が右リール３２Ｒである場合に通常リプレイ入賞が各ストップボタン４２〜４４の操作タイミングに関係なく確実に発生し、それ以外の場合には第２転落リプレイ入賞が各ストップボタン４２〜４４の操作タイミングに関係なく確実に発生する。また、インデックス値ＩＶ＝９で当選となった場合、第１停止が左リール３２Ｌであり、第２停止が右リール３２Ｒであり、第３停止が中リール３２Ｍである場合に通常リプレイ入賞が各ストップボタン４２〜４４の操作タイミングに関係なく確実に発生し、それ以外の場合には第２転落リプレイ入賞が各ストップボタン４２〜４４の操作タイミングに関係なく確実に発生する。また、インデックス値ＩＶ＝１０で当選となった場合、第１停止が中リール３２Ｍであり、第２停止が左リール３２Ｌであり、第３停止が右リール３２Ｒである場合に通常リプレイ入賞が各ストップボタン４２〜４４の操作タイミングに関係なく確実に発生し、それ以外の場合には第２転落リプレイ入賞が各ストップボタン４２〜４４の操作タイミングに関係なく確実に発生する。また、インデックス値ＩＶ＝１１で当選となった場合、第１停止が中リール３２Ｍであり、第２停止が右リール３２Ｒであり、第３停止が左リール３２Ｌである場合に通常リプレイ入賞が各ストップボタン４２〜４４の操作タイミングに関係なく確実に発生し、それ以外の場合には第２転落リプレイ入賞が各ストップボタン４２〜４４の操作タイミングに関係なく確実に発生する。また、インデックス値ＩＶ＝１２で当選となった場合、第１停止が右リール３２Ｒであり、第２停止が左リール３２Ｌであり、第３停止が中リール３２Ｍである場合に通常リプレイ入賞が各ストップボタン４２〜４４の操作タイミングに関係なく確実に発生し、それ以外の場合には第２転落リプレイ入賞が各ストップボタン４２〜４４の操作タイミングに関係なく確実に発生する。また、インデックス値ＩＶ＝１３で当選となった場合、第１停止が右リール３２Ｒであり、第２停止が中リール３２Ｍであり、第３停止が左リール３２Ｌである場合に通常リプレイ入賞が各ストップボタン４２〜４４の操作タイミングに関係なく確実に発生し、それ以外の場合には第２転落リプレイ入賞が各ストップボタン４２〜４４の操作タイミングに関係なく確実に発生する。第２転落リプレイ入賞が成立した場合、抽選モードが第１ＲＴモードに移行する。第１ＲＴモードに移行した場合、抽選処理（図１１）において参照される抽選テーブルは第１ＲＴモード用抽選テーブルとなる。
【０１０２】
第２ＲＴモード用抽選テーブルにはインデックス値ＩＶ＝１４に通常リプレイ当選データのみが設定されている。インデックス値ＩＶ＝１４において当選となる確率は他の役に当選する確率よりも高く設定されており、具体的には約１／６．３で当選となる。そして、このインデックス値ＩＶ＝１４で当選となった場合にはリール３２Ｌ，３２Ｍ，３２Ｒの停止順序及び各リール３２Ｌ，３２Ｍ，３２Ｒの停止操作タイミングとは無関係に通常リプレイ入賞が成立することとなる。
【０１０３】
第２ＲＴモード用抽選テーブルにはインデックス値ＩＶ＝８〜１４にリプレイ入賞の成立を可能とさせる役が設定されている。そして、これら役の当選確率が既に説明したような確率に設定されていることにより、第２ＲＴモードにおいてリプレイ入賞の成立を可能とさせる役の当選確率（以下、リプレイ確率ともいう）は、約１／２．９となっている。これに対して、通常モードにおけるリプレイ確率は約１／７．０となっている。つまり、第２ＲＴモードは通常モードよりもリプレイ確率が高い遊技状態となっている。一方、第１ＲＴモードにおけるリプレイ確率は約１／２．９となっている。つまり、第２ＲＴモードはリプレイ確率が第１ＲＴモードと同一となっている。但し、第１ＲＴモードにおけるリプレイ確率が第２ＲＴモードにおけるリプレイ確率と同一である構成に限定されることはなく、例えば第１ＲＴモードと第２ＲＴモードとでリプレイ確率が若干相違しているものの略同一である構成としてもよく、第２ＲＴモードの方が第１ＲＴモードよりもリプレイ確率が高い構成としてもよく、第１ＲＴモードの方が第２ＲＴモードよりもリプレイ確率が高い構成としてもよい。
【０１０４】
なお、通常モード用抽選テーブル、第１ＲＴモード用抽選テーブル及び第２ＲＴモード用抽選テーブルは「設定１」〜「設定６」のそれぞれに１対１で対応させて設定されており、設定値が高いほどＢＢ役の当選確率が高くなる構成となっているが、各抽選モードにおいて設定されているリプレイ確率はいずれの設定値であっても同一又は略同一となっている。また、いずれかのＢＢ役に当選している状況であればＢＢ役に重複して当選しないように、通常モード、第１ＲＴモード及び第２ＲＴモードのいずれであったとしても第１ＢＢ役及び第２ＢＢ役が抽選対象から除外される。また、主側ＲＯＭ７３には、通常モード用抽選テーブル、第１ＲＴモード用抽選テーブル及び第２ＲＴモード用抽選テーブル以外にも第１ＢＢ状態又は第２ＢＢ状態である場合に抽選処理（図１１）にて参照されるＢＢ用抽選テーブルが記憶されている。ＢＢ用抽選テーブルにおいては、抽選対象の役として、ベル役、スイカ役及び通常リプレイ役の３種類のみが設定されており、ベル役の当選確率は約１／２に設定され、スイカ役の当選確率は約１／４に設定され、通常リプレイ役の当選確率は約１／４に設定されている。これにより、ＢＢ状態においては単位ゲーム数あたりにおける遊技媒体の付与期待数が他の遊技状態よりも高くなる。
【０１０５】
抽選処理（図１１）の説明に戻り、ステップＳ４０２にて抽選テーブルを選択した後、ステップＳ４０３ではインデックス値ＩＶを「１」とし、続くステップＳ４０４では役の当否を判定する際に用いる判定値ＤＶを設定する。かかる判定値設定処理では、現在の判定値ＤＶに、現在のインデックス値ＩＶと対応するポイント値ＰＶを加算して新たな判定値ＤＶを設定する。なお、初回の判定値設定処理では、ステップＳ４０１にて取得した乱数値を現在の判定値ＤＶとし、この乱数値に現在のインデックス値ＩＶである「１」と対応するポイント値ＰＶを加算して新たな判定値ＤＶとする。
【０１０６】
その後、ステップＳ４０５ではインデックス値ＩＶと対応する役の当否判定を行う。役の当否判定では判定値ＤＶが「６５５３５」を超えたか否かを判定する。「６５５３５」を超えた場合には、ステップＳ４０６に進み、そのときのインデックス値ＩＶと対応する当選役のデータを主側ＲＡＭ７４にセットするための当選データの取得処理を実行する。
【０１０７】
一方、ステップＳ４０５にて判定値ＤＶが「６５５３５」を超えなかった場合には、インデックス値ＩＶと対応する役に外れたことを意味する。かかる場合にはステップＳ４０７にてインデックス値ＩＶを１加算し、続くステップＳ４０８ではインデックス値ＩＶと対応する役があるか否か、すなわち当否判定すべき判定対象があるか否かを判定する。具体的には、１加算されたインデックス値ＩＶが抽選テーブルに設定されたインデックス値ＩＶの最大値を超えたか否かを判定する。当否判定すべき判定対象がある場合にはステップＳ４０４に戻り、役の当否判定を継続する。このとき、ステップＳ４０４では、先の役の当否判定に用いた判定値ＤＶ（すなわち現在の判定値ＤＶ）に現在のインデックス値ＩＶと対応するポイント値ＰＶを加算して新たな判定値ＤＶとし、ステップＳ４０５では、当該判定値ＤＶに基づいて役の当否判定を行う。
【０１０８】
ステップＳ４０８にて当否判定すべき判定対象がないと判定した場合、今回のゲームの抽選処理結果は外れ結果であることを意味する。ステップＳ４０６の処理を実行した場合、又はステップＳ４０８にて否定判定を行った場合には、役の当否判定が終了したことを意味する。この場合には、ステップＳ４０９にてリール停止制御用の停止情報を設定する停止情報第１設定処理を実行し、ステップＳ４１０にて、ゲーム開始コマンドの送信処理を実行する。
【０１０９】
ゲーム開始コマンドの送信処理（ステップＳ４１０）では、今回の抽選処理（図１１）にていずれかの役に当選となっている場合にはその当選となった役に対応する当選番号の情報と、現状の抽選モード及び現状の遊技状態に対応する情報と、をゲーム開始コマンドに設定し、そのゲーム開始コマンドを演出側ＭＰＵ８２に送信する。ゲーム開始コマンドとは、新たなゲームが開始されたことを演出側ＭＰＵ８２に認識させるためのコマンドである。演出側ＭＰＵ８２は、受信したゲーム開始コマンドに設定された当選番号の情報、抽選モード及び遊技状態に対応する情報に基づいて、上部ランプ６１の発光制御、スピーカ６２の音出力制御及び画像表示装置６３の表示制御を実行する。
【０１１０】
ステップＳ４１０にてゲーム開始コマンド送信処理を実行した後は、ステップＳ４１１にて、ベル入賞を成立させるための停止順序、昇格リプレイ（第１ＲＴリプレイ及び第２ＲＴリプレイ）を成立させるための停止順序、又は転落リプレイ（第１転落リプレイ及び第２転落リプレイ）の成立を回避するための停止順序を報知するための処理を実行する報知制御処理を実行して、本抽選処理を終了する。
【０１１１】
次に、主側ＭＰＵ７２にて実行される報知制御処理について図１８のフローチャートを参照しながら説明する。なお、報知制御処理は、役の抽選処理（図１１）のステップＳ４１１にて実行される。
【０１１２】
報知制御処理では、先ず非ＢＢ状態で実行された役の抽選処理（図１１）においてインデックス値ＩＶ＝１〜３に当選したか否かについて判定する（ステップＳ５０１）。既に説明したとおり、インデックス値ＩＶ＝１〜３には、ベル当選データと、いずれかの補填当選データ（第１補填当選データ〜第３補填当選データ）とが設定されている。インデックス値ＩＶ＝１〜３に当選している場合（ステップＳ５０１：ＹＥＳ）には、準備状態及びＡＲＴ状態のいずれかであるか否かについて判定する（ステップＳ５０２）。既に説明したとおり、ＡＲＴ状態は、非ＢＢ状態において通常遊技状態よりも遊技者にとって有利な遊技状態として設けられているとともに、準備状態は、当該ＡＲＴ状態の前段階の遊技状態として設けられている。ステップＳ５０２において、準備状態及びＡＲＴ状態のいずれでもない場合には、そのまま本報知制御処理を終了する。
【０１１３】
一方、準備状態及びＡＲＴ状態のいずれかである場合（ステップＳ５０２：ＹＥＳ）には、ベル入賞用の停止順把握処理を実行する（ステップＳ５０３）。当該停止順把握処理では、役の抽選処理（図１１）にて当選したインデックス値ＩＶに応じて、ベル入賞の成立を可能とするリール３２Ｌ，３２Ｍ，３２Ｒの停止順序の情報を把握する。その後、演出側ＭＰＵ８２への送信対象として、ベル入賞用コマンドをセットして（ステップＳ５０４）、本報知制御処理を終了する。当該ベル入賞用コマンドは、今回のゲームにおいてベル入賞の成立を可能とするリール３２Ｌ，３２Ｍ，３２Ｒの停止順序を演出側ＭＰＵ８２にて特定可能とするコマンドである。ベル入賞用コマンドを受信した演出側ＭＰＵ８２は、ベル入賞用停止順報知を実行するために画像表示装置６３の表示制御を実行するとともにスピーカ６２の音出力制御を実行する。
【０１１４】
ステップＳ５０１にてインデックス値ＩＶ＝１〜３に当選していなかった場合には、いずれかの昇格リプレイ（第１ＲＴリプレイ又は第２ＲＴリプレイ）に当選したか否かについて判定する（ステップＳ５０５）。いずれかの昇格リプレイに当選している場合（ステップＳ５０５：ＹＥＳ）には、準備状態及びＡＲＴ状態のいずれかであるか否かについて判定し（ステップＳ５０６）、準備状態及びＡＲＴ状態のいずれでもない場合（ステップＳ５０６：ＮＯ）には、そのまま本報知制御処理を終了する。
【０１１５】
一方、ステップＳ５０６にて準備状態及びＡＲＴ状態のいずれかであった場合には、昇格リプレイ用の停止順把握処理を実行する（ステップＳ５０７）。当該昇格リプレイ用の停止順把握処理では、今回の当選結果に対応する第１ＲＴリプレイ入賞又は第２ＲＴリプレイ入賞の成立を可能とするリール３２Ｌ，３２Ｍ，３２Ｒの停止順序の情報を把握する。その後、演出側ＭＰＵ８２への送信対象として昇格用コマンドをセットして（ステップＳ５０８）、本報知制御処理を終了する。当該昇格用コマンドは、今回のゲームにおいてＲＴリプレイ入賞（第１ＲＴリプレイ入賞又は第２ＲＴリプレイ入賞）の成立を可能とするリール３２Ｌ，３２Ｍ，３２Ｒの停止順序を演出側ＭＰＵ８２にて特定可能とするコマンドである。昇格用コマンドを受信した演出側ＭＰＵ８２は、昇格用停止順報知を実行するために画像表示装置６３の表示制御を実行するとともにスピーカ６２の音出力制御を実行する。
【０１１６】
ステップＳ５０５にて昇格リプレイに当選していなかった場合には、いずれかの転落リプレイ（第１転落リプレイ又は第２転落リプレイ）に当選しているか否かについて判定し（ステップＳ５０９）、いずれの転落リプレイにも当選していない場合（ステップＳ５０９：ＮＯ）には、そのまま本報知制御処理を終了する。また、ステップＳ５０９にていずれかの転落リプレイに当選している場合（ステップＳ５０９：ＹＥＳ）には、ＡＲＴ状態であるか否かについて判定し（ステップＳ５１０）、ＡＲＴ状態でない場合（ステップＳ５１０：ＮＯ）には、そのまま本報知制御処理を終了する。
【０１１７】
一方、ＡＲＴ状態である場合（ステップＳ５１０：ＹＥＳ）には、転落リプレイ回避用の停止順把握処理を実行する（ステップＳ５１１）。当該転落リプレイ回避用の停止順把握処理では、今回の当選結果に対応する第１転落リプレイ入賞又は第２転落リプレイ入賞の成立を回避可能とするリール３２Ｌ，３２Ｍ，３２Ｒの停止順序の情報を把握する。その後、演出側ＭＰＵ８２への送信対象として、転落回避用コマンドをセットして（ステップＳ５１２）、本報知制御処理を終了する。当該転落回避用コマンドは、今回のゲームにおいて転落リプレイ入賞（第１転落リプレイ入賞又は第２転落リプレイ入賞）の成立を回避可能とするリール３２Ｌ，３２Ｍ，３２Ｒの停止順序を演出側ＭＰＵ８２にて特定可能とするコマンドである。転落回避用コマンドを受信した演出側ＭＰＵ８２は、転落回避用停止順報知を実行するために画像表示装置６３の表示制御を実行するとともにスピーカ６２の音出力制御を実行する。
【０１１８】
なお、詳細な説明は省略するが遊技状態が準備状態である場合であって、役の抽選処理（図１１）にて第１ＲＴモード用抽選テーブル（図１４）のインデックス値ＩＶ＝１２〜１７に当選した場合には、第１転落リプレイ入賞の成立を回避可能とするリール３２Ｌ，３２Ｍ，３２Ｒの停止順序を報知するための処理が実行される。その一方、遊技状態が準備状態である場合において役の抽選処理（図１１）にて第２ＲＴモード用抽選テーブル（図１６）のインデックス値ＩＶ＝８〜１３に当選したとしても、第２転落リプレイ入賞の成立を回避可能とするリール３２Ｌ，３２Ｍ，３２Ｒの停止順序は報知されない。準備状態からＡＲＴ状態への移行条件が第２ＲＴリプレイ入賞の成立であるため、第２ＲＴモードにおいて準備状態への移行が発生した場合には第２転落リプレイ入賞の成立を回避させないことにより、第１ＲＴモードに一旦転落させて第２ＲＴリプレイ入賞が成立する機会を与えることが可能となる。
【０１１９】
次に、主側ＭＰＵ７２にて実行される遊技終了時の対応処理について、図１９のフローチャートを参照しながら説明する。なお、遊技終了時の対応処理は、リール３２Ｌ，３２Ｍ，３２Ｒの回転が全て停止された後、通常処理（図１０）におけるステップＳ３０９にて実行される。
【０１２０】
遊技終了時の対応処理では、ＢＢ当選データが設定されている状態又はＢＢ状態である場合（ステップＳ６０１：ＹＥＳ）、ＢＢ用処理を実行する（ステップＳ６０２）。図２０は、ＢＢ用処理を示すフローチャートである。
【０１２１】
ＢＢ用処理では、先ずＢＢ状態であるか否かについて判定する（ステップＳ７０１）。上述したとおり、本ＢＢ用処理は、いずれかのＢＢ当選データが設定されている状態又はＢＢ状態である場合に実行される処理であるため、ステップＳ７０１にてＢＢ状態でないと判定した場合には、主側ＲＡＭ７４にいずれかのＢＢ当選データが設定されていることを意味する。この場合、今回のゲームにおいてＢＢ入賞が発生したか否かを判定し（ステップＳ７０２）、ＢＢ入賞が発生している場合（ステップＳ７０２：ＹＥＳ）には、主側ＲＡＭ７４に設けられたＢＢ状態フラグに「１」をセットして、遊技状態をＢＢ状態に移行させる（ステップＳ７０３）。これにより、次回以降のゲームにおける抽選処理（図１１）ではＢＢ用抽選テーブルが参照されることとなる。
【０１２２】
その後、ＢＢ状態に移行したことを示すＢＢ移行コマンドを演出制御装置８０への送信対象としてセットすることで、上部ランプ６１、スピーカ６２及び画像表示装置６３においてＢＢ状態用の演出を開始させる（ステップＳ７０４）。そして、主側ＲＡＭ７４に設定されているＢＢ当選データを削除して（ステップＳ７０５）、本ＢＢ用処理を終了する。
【０１２３】
ステップＳ７０１にてＢＢ状態であると判定した場合には、ＢＢ状態用処理を実行して（ステップＳ７０６）、本ＢＢ用処理を終了する。ＢＢ状態用処理では、今回のゲームにおいて遊技媒体の付与が発生したことを条件として、主側ＲＡＭ７４に設けられたＢＢ用カウンタの減算処理を実行する。ＢＢ用カウンタは、ＢＢ状態が開始されてから付与された遊技媒体の合計数が終了基準数以上となったか否かを主側ＭＰＵ７２にて特定するためのカウンタである。ＢＢ用カウンタには、第１ＢＢ状態が開始された場合に第１ＢＢ状態の終了基準数である「４１」がセットされるとともに、第２ＢＢ状態が開始された場合に第２ＢＢ状態の終了基準数である「８９」がセットされる。ＢＢ用カウンタの減算処理では、今回のゲームにおいて付与された遊技媒体の数をＢＢ用カウンタの値から減算する。そして、当該減算後におけるＢＢ用カウンタの値が「０」でない場合には、そのまま本ＢＢ状態用処理を終了する。一方、当該減算後におけるＢＢ用カウンタの値が「０」である場合には、ＢＢ状態を終了させるためのＢＢ終了処理を実行して、本ＢＢ状態用処理を終了する。ＢＢ終了処理では、主側ＲＡＭ７４のＢＢ状態フラグを「０」クリアすることでＢＢ状態を終了させる。また、ＢＢ状態が終了したことを示すコマンドを演出制御装置８０に送信することで、上部ランプ６１、スピーカ６２及び画像表示装置６３におけるＢＢ状態用の演出を終了させる。なお、ＢＢ状態が終了した場合、ＢＢ状態の開始前における抽選モードがいずれのモードであったとしても抽選モードは通常モードとなる。また、ＡＴ状態においてＢＢ状態が開始された場合、ＢＢ状態の開始前における状態に関係なくＢＢ状態の終了後には後述するＡＲＴ準備状態処理（遊技終了時の対応処理（図１９）におけるステップＳ６０８）が実行される状態となる。
【０１２４】
遊技終了時の対応処理（図１９）の説明に戻り、ＢＢ役の当選状態及びＢＢ状態のいずれでもなく（ステップＳ６０１：ＮＯ）、さらにＡＴ状態ではない場合（ステップＳ６０３：ＮＯ）、ＲＴモードの移行処理（ステップＳ６０４）、ゲーム数解除管理処理（ステップＳ６０５）及び移行チャンス管理処理（ステップＳ６０６）を実行する。
【０１２５】
ＲＴモードの移行処理（ステップＳ６０４）では、今回のゲームにおいて第１ＲＴリプレイ入賞が発生していることを特定した場合には第１ＲＴモードに移行させ、今回のゲームにおいて第２ＲＴリプレイ入賞が発生していることを特定した場合には第２ＲＴモードに移行させる。また、ＲＴモードの移行処理では、今回のゲームにおいて第２転落リプレイ入賞が発生していることを特定した場合には第１ＲＴモードに移行させ、今回のゲームにおいて第１転落リプレイ入賞が発生していることを特定した場合には通常モードに移行させる。
【０１２６】
ゲーム数解除管理処理（ステップＳ６０５）では、ＡＴ状態が前回終了する場合に設定された解除ゲーム数分のゲームがＡＴ状態への新たな移行が発生することなく消化された場合にＡＴ状態に移行させるための処理を実行する。つまり、１ゲームが終了する度に解除ゲーム数の値を１減算し、残りの解除ゲーム数の値が「０」となった場合には主側ＲＡＭ７４のＡＴ状態カウンタに「１」をセットする。主側ＲＡＭ７４には、ＡＴ状態であるか否かを特定すること、及びＡＴ状態である場合にはＡＴ状態の滞在モードを特定することを可能とするＡＴ状態カウンタが設けられている。ＡＴ状態カウンタには、遊技状態に応じて「０」〜「３」の数値情報が設定される。具体的には、ＡＴ状態カウンタには、非ＡＴ状態において「０」が設定され、ＡＲＴ準備状態において「１」が設定され、ＡＲＴ状態において「２」が設定され、ＡＲＴ終了分岐状態において「３」が設定される。ステップＳ６０５にてＡＴ状態カウンタに「１」が設定されることにより、遊技終了時の対応処理における次回の処理回では、後述するＡＲＴ準備状態処理（ステップＳ６０８）が実行されることとなる。
【０１２７】
移行チャンス管理処理（ステップＳ６０６）では、非ＢＢ状態であるとともに非ＡＴ状態である遊技状態で行われたゲームにおいてインデックス値ＩＶ＝５で当選となった場合、ＡＴ状態への移行抽選処理を実行する。非ＢＢ状態におけるインデックス値ＩＶ＝５には既に説明したとおりスイカ当選データのみが設定されている。ＡＴ状態への移行抽選処理では非ＢＢ中のＡＴ移行抽選テーブルを主側ＲＯＭ７３から読み出すとともに、主側ＲＡＭ７４において定期的（例えば２ｍｓｅｃ周期）に更新される抽選用カウンタの値を読み出し、抽選用カウンタの値を上記読み出した非ＢＢ中のＡＴ移行抽選テーブルに対して照合する。非ＢＢ中のＡＴ移行抽選テーブルでは、１／２の確率でＡＴ移行当選となる。
【０１２８】
ＡＴ状態への移行抽選処理にてＡＴ移行当選となった場合には、主側ＲＡＭ７４に設けられたＡＲＴゲーム数カウンタに初期継続ゲーム数として「５０」をセットし、主側ＲＡＭ７４のＡＴ状態カウンタに「１」をセットする。ＡＴ状態カウンタに「１」がセットされることにより、遊技終了時の対応処理（図１９）における次回の処理回では、後述するＡＲＴ準備状態処理（ステップＳ６０８）を実行することとなる。
【０１２９】
遊技終了時の対応処理（図１９）の説明に戻り、主側ＲＡＭ７４のＡＴ状態カウンタの値が１以上である場合にはＡＴ状態であることを意味するため、ステップＳ６０３にて肯定判定をしてステップＳ６０７に進む。ステップＳ６０７ではＡＴ状態カウンタの値を把握し、その把握した値に対応する処理を実行する。具体的には、ＡＴ状態カウンタの値が「１」であればＡＲＴ準備状態処理を実行し（ステップＳ６０８）、ＡＴ状態カウンタの値が「２」であればＡＲＴ状態処理を実行し（ステップＳ６０９）、ＡＴ状態カウンタの値が「３」であればＡＲＴ終了分岐処理を実行する（ステップＳ６１０）。ステップＳ６０２の処理を実行した場合、ステップＳ６０６の処理を実行した場合、又はステップＳ６０８〜ステップＳ６１０のいずれかの処理を実行した場合、ゲーム終了コマンドを演出制御装置８０への送信対象としてセットして（ステップＳ６１１）、本遊技終了時の対応処理を終了する。ゲーム終了コマンドは、１ゲームが終了したことを演出制御装置８０に認識させるためのコマンドであり、当該コマンドはタイマ割込み処理（図９）におけるコマンド出力処理（ステップＳ２１０）にて演出制御装置８０に送信される。以下、ステップＳ６０８〜ステップＳ６１０の各処理について説明する。
【０１３０】
まずＡＲＴ準備状態処理（ステップＳ６０８）について説明する。ＡＲＴ準備状態は、ＡＲＴ状態への移行可能条件が成立した場合において、ＡＲＴ状態に移行する前に滞在することとなる状態である。既に説明したとおり、ＡＲＴ準備状態では、インデックス値ＩＶ＝１〜３のいずれかで当選となった場合にベル入賞の成立を可能とするためのリール３２Ｌ，３２Ｍ，３２Ｒの停止順序が報知される。また、既に説明したとおり、ＡＲＴ準備状態では、通常モード用抽選テーブル（図１２）又は第１ＲＴモード用抽選テーブル（図１４）におけるインデックス値ＩＶ＝８〜１１のいずれか（以下、昇格対象役ともいう。）で当選となった場合に第１ＲＴリプレイ入賞又は第２ＲＴリプレイ入賞を成立させるためのリール３２Ｌ，３２Ｍ，３２Ｒの停止順序（昇格発生用の停止順序）が報知される。ＡＲＴ状態への移行は、ＡＲＴ準備状態処理又はＡＲＴ終了分岐処理が実行されている状況において、第１ＲＴモードにて昇格対象役で当選となり昇格発生用の停止順序でリール３２Ｌ，３２Ｍ，３２Ｒが停止されて抽選モードが第２ＲＴモードに移行した場合に発生する。
【０１３１】
ＡＲＴ準備状態処理では、今回のゲームにおいて非ＢＢ状態におけるインデックス値ＩＶ＝４に当選している場合、上乗せ抽選処理を実行する。非ＢＢ状態におけるインデックス値ＩＶ＝４には、既に説明したとおり、スイカ当選データのみが設定されている。上乗せ抽選処理では、上乗せ抽選テーブルを主側ＲＯＭ７３から読み出すとともに、主側ＲＡＭ７４において定期的（例えば２ｍｓｅｃ周期）に更新される抽選用カウンタの値を読み出し、抽選用カウンタの値を上記読み出した上乗せ抽選テーブルに対して照合する。上乗せ抽選テーブルでは、１／２の確率で上乗せ当選となる。上乗せ抽選処理にて上乗せ当選となった場合、主側ＲＡＭ７４のＡＲＴゲーム数カウンタに上乗せゲーム数として「５０」を加算する上乗せ処理を実行する。これにより、ＡＲＴ状態に移行した後における当該ＡＲＴ状態の１実行回の継続ゲーム数が増加することとなる。
【０１３２】
ＡＲＴ準備状態処理では、今回のゲームにおいて第２ＲＴリプレイ入賞が発生したことを特定した場合、主側ＲＡＭ７４のＡＴ状態カウンタに「２」をセットする。これにより、主側ＭＰＵ７２は遊技終了時の対応処理（図１９）における次回の処理回においてＡＲＴ状態処理（ステップＳ６０９）を実行することとなり、遊技状態がＡＲＴ準備状態からＡＲＴ状態に移行する。また、抽選モードが第２ＲＴモードとなるようにするために、主側ＲＡＭ７４のデータ設定を行う。その後、主側ＲＡＭ７４のＡＲＴゲーム数カウンタの値が「０」であることを条件として、主側ＲＡＭ７４のＡＲＴゲーム数カウンタの値を２０加算する。これにより、ＡＲＴ状態の残りのゲーム数が「０」となったタイミングでＢＢ状態に移行した場合には、当該ＢＢ状態においてＡＲＴゲーム数カウンタへの上乗せが発生しなかったとしてもＢＢ状態の終了後においてＡＲＴ状態がある程度は確実に実行されるようにすることが可能となる。
【０１３３】
ＡＲＴ準備状態処理では、その他のＲＴモードの移行処理を実行する。その他のＲＴモードの移行処理では、第１ＲＴリプレイ入賞が発生したことを特定した場合には第１ＲＴモードに移行させ、第１転落リプレイ入賞が発生したことを特定した場合には通常モードに移行させ、第２転落リプレイ入賞が発生したことを特定した場合には第１ＲＴモードに移行させる。
【０１３４】
次に、遊技終了時の対応処理（図１９）におけるＡＲＴ状態処理（ステップＳ６０９）について説明する。ＡＲＴ状態処理では、今回のゲームにおいて非ＢＢ状態におけるインデックス値ＩＶ＝４に当選している場合、ＡＲＴ準備状態処理（ステップＳ６０８）における上乗せ抽選処理と同一の上乗せ抽選処理を実行する。既に説明したとおり、上乗せ抽選処理では、１／２の確率で上乗せ当選となる。上乗せ当選となった場合、主側ＲＡＭ７４のＡＲＴゲーム数カウンタに上乗せゲーム数として「５０」を加算する。これにより、当該ＡＲＴ状態の１実行回の継続ゲーム数が増加することとなる。
【０１３５】
ＡＲＴ状態処理では、主側ＲＡＭ７４のＡＲＴゲーム数カウンタの値を１減算する。そして、その１減算後におけるＡＲＴゲーム数カウンタの値が「０」となっている場合、通常モードであるか否かを判定する。通常モードではない場合、主側ＲＡＭ７４のＡＴ状態カウンタに「３」をセットする。これにより、主側ＭＰＵ７２は遊技終了時の対応処理（図１９）における次回の処理回においてＡＲＴ終了分岐処理（ステップＳ６１０）を実行することとなり、遊技状態がＡＲＴ状態からＡＲＴ終了分岐状態に移行する。一方、通常モードである場合、主側ＲＡＭ７４のＡＴ状態カウンタを「０」クリアする。これにより、ＡＴ状態が終了することとなる。
【０１３６】
ＡＲＴ状態処理では、ＲＴモードの移行処理を実行する。ＲＴモードの移行処理では、第１ＲＴリプレイ入賞が発生したことを特定した場合には第１ＲＴモードに移行させ、第２ＲＴリプレイ入賞が発生したことを特定した場合には第２ＲＴモードに移行させ、第１転落リプレイ入賞が発生したことを特定した場合には通常モードに移行させ、第２転落リプレイ入賞が発生したことを特定した場合には第１ＲＴモードに移行させる。
【０１３７】
次に、遊技終了時の対応処理（図１９）におけるＡＲＴ終了分岐処理（ステップＳ６１０）について説明する。ＡＲＴ終了分岐状態は、ＡＲＴ状態の１実行回が終了した場合に滞在する遊技状態である。既に説明したとおり、ＡＲＴ終了分岐状態では、インデックス値ＩＶ＝１〜３のいずれかで当選となった場合にベル入賞の成立を可能とするためのリール３２Ｌ，３２Ｍ，３２Ｒの停止順序が報知される。一方、ＡＲＴ終了分岐状態において第１転落リプレイ入賞又は第２転落リプレイ入賞の発生を可能とする役に当選したとしてもこれら転落リプレイ入賞の発生を回避するためのリール３２Ｌ，３２Ｍ，３２Ｒの停止順序は報知されない。そして、ＡＲＴ終了分岐状態において第１転落リプレイ入賞が発生して通常モードへ移行した場合には、ＡＴ状態カウンタの値を「０」クリアする。これにより、ＡＴ状態が終了することとなる。
【０１３８】
＜リール制御処理＞
次に、通常処理（図１０）のステップＳ３０７にて実行されるリール制御処理について説明する。リール制御処理の説明に先立ち、各リール３２Ｌ，３２Ｍ，３２Ｒを回転させるためのステッピングモータ３３についてより詳細に説明する。
【０１３９】
図２１（ａ）はステッピングモータ３３の駆動系を示す接続図であり、図２１（ｂ）はステッピングモータ３３の駆動特性を示す図であり、図２２は相励磁の励磁順序が設定された励磁順テーブルを説明するための説明図である。
【０１４０】
ステッピングモータ３３として、ハイブリッド（ＨＢ）型の２相ステッピングモータを使用している。なお、ステッピングモータはハイブリッド型に限らず、種々のステッピングモータを使用することができる。
【０１４１】
ハイブリッド型のステッピングモータ３３は、図２１（ａ）に示すように、中央に配置された回転子９１と、回転子９１の周囲に配置され第１〜第４ポール９２〜９５を有する固定子９０とを備えている。回転子９１は、Ｎ極に着磁された手前側回転子９１ａと、Ｓ極に着磁された奥側回転子９１ｂとで構成され、手前側回転子９１ａの周囲に設けられた歯と歯の間に、奥側回転子９１ｂの周囲に設けられた歯が位置するように１／２ピッチだけ相対的にずらされた状態で回転軸に取り付けられている。そして、手前側回転子９１ａと奥側回転子９１ｂとの間には図示しない筒状磁石が取着されている。
【０１４２】
第１ポール９２と第３ポール９４には、図２１（ｂ）に示すように、励磁コイルＬ０と励磁コイルＬ２がバイファイラ巻きされ、励磁コイルＬ０の巻き終わり端と励磁コイルＬ２の巻き始め端とが結線され、ここに所定の直流電源＋Ｂ（例えば＋２４ボルト）が印加される。同じく、第２ポール９３と第４ポール９５にも励磁コイルＬ１と励磁コイルＬ３がバイファイラ巻きされ、励磁コイルＬ１の巻き終わり端と励磁コイルＬ３の巻き始め端とが結線され、ここに上述した直流電源＋Ｂが印加される。
【０１４３】
第１ポール９２の励磁コイルＬ０に励磁信号を印加し、第１ポール９２をＳ極に励磁するとともに第３ポール９４をＮ極に励磁する相をＡ相とし、これとは逆に第３ポール９４の励磁コイルＬ２に励磁信号を印加し、第１ポール９２をＮ極に励磁するとともに第３ポール９４をＳ極に励磁する相を逆Ａ相と称する。同様に、第２ポール９３の励磁コイルＬ１に励磁信号を印加し、第２ポール９３をＳ極に励磁するとともに第４ポール９５をＮ極に励磁する相をＢ相とし、これとは逆に第４ポール９５の励磁コイルＬ３に励磁信号を印加し、第２ポール９３をＮ極に励磁するとともに第４ポール９５をＳ極に励磁する相を逆Ｂ相と称する。
【０１４４】
ステッピングモータ３３に対する励磁信号は励磁データとして、図２１（ｂ）に示すモータドライバ９６に与えられる。この励磁データは主側ＲＡＭ７４に格納されており、タイマ割込み処理によって適切な励磁データが出力される。この励磁データによってステッピングモータ３３に対する励磁相が定まり、その励磁相に対して励磁信号（電流）が通電される。
【０１４５】
ステッピングモータ３３が１相励磁駆動方式の場合には、Ａ相、Ｂ相、逆Ａ相及び逆Ｂ相に対して順次励磁信号を印加することにより、回転子９１を時計方向又は反時計方向に回転駆動させることができる。つまり、例えばまずＡ相に通電すると、Ｓ極になった第１ポール９２の突起と手前側回転子９１ａの歯、Ｎ極になった第３ポール９４の突起と奥側回転子９１ｂの歯とがそれぞれ吸引力により向き合い、次にＢ相に通電すると、Ｓ極になった第２ポール９３の突起と手前側回転子９１ａの歯、Ｎ極になった第４ポール９５の突起と奥側回転子９１ｂの歯とがそれぞれ吸引力により向き合い、次に逆Ａ相に通電すると、Ｎ極になった第１ポール９２の突起と奥側回転子９１ｂの歯、Ｓ極になった第３ポール９４の突起と手前側回転子９１ａの歯とがそれぞれ吸引力により向き合い、次に逆Ｂ相に通電すると、Ｎ極になった第２ポール９３の突起と奥側回転子９１ｂの歯、Ｓ極になった第４ポール９５の突起と手前側回転子９１ａの歯とがそれぞれ吸引力により向き合う。この順序で励磁することにより、回転子９１は図２１（ａ）において時計方向に回転する。
【０１４６】
本スロットマシン１０では、リール３２Ｌ，３２Ｍ，３２Ｒの回転を開始させて定速回転となるまでの加速期間及び定速回転を維持させるための定速回転期間においては、１相励磁と２相励磁とを交互に行う１−２相励磁駆動が採用されている。１−２相励磁駆動は、励磁順テーブル（図２２）に基づいて行われる。
【０１４７】
図２２に示すように、励磁順テーブルには、０〜７の各励磁順ポインタに対応させて相励磁の種類が設定されている。加速期間及び定速回転期間においては、励磁信号の切り替えタイミングとなる度に現状の励磁順ポインタに対応する相を励磁するための励磁信号が主側ＭＰＵ７２からモータドライバ９６に出力される。励磁順ポインタは、励磁信号が出力される度に「０」から「７」まで「１」ずつ更新されるとともに、当該励磁順ポインタが「７」である状態で更新された場合には「０」に戻る。
【０１４８】
１−２相励磁駆動は、図２２に示すように、Ａ相に通電する１相励磁（励磁順ポインタ０）、Ａ相とＢ相の両方に通電する２相励磁（励磁順ポインタ１）、Ｂ相に通電する１相励磁（励磁順ポインタ２）、Ｂ相と逆Ａ相の両方に通電する２相励磁（励磁順ポインタ３）、逆Ａ相に通電する１相励磁（励磁順ポインタ４）、逆Ａ相と逆Ｂ相の両方に通電する２相励磁（励磁順ポインタ５）、逆Ｂ相に通電する１相励磁（励磁順ポインタ６）、逆Ｂ相とＡ相の両方に通電する２相励磁（励磁順ポインタ７）が行われ、その後（励磁順ポインタ０）に戻るような駆動方式である。
【０１４９】
上述したとおり、本実施形態では５０４パルスの励磁信号によりリールが１周する構成であるため、１パルスの励磁信号に基づく角度変化、すなわち１ステップあたりの角度変化は約０．７１４°となる。
【０１５０】
上記構成のステッピングモータ３３を使用する場合、図２３に示すような駆動特性が要求される。
【０１５１】
この駆動特性は、スタートレバー４１が操作されてからステッピングモータ３３が回転を始め一定の定速回転に至るまでの加速期間ＴＡと定速期間ＴＢとに大別される。加速期間ＴＡは、初期の第１加速期間ＴＡ１とその後の第２加速期間ＴＡ２とに分けられる。また、定速期間ＴＢは、ストップボタン４２〜４４が操作されるまで回転速度を維持しつづける定速回転期間ＴＢ１と、ストップボタン４２〜４４の操作に基づいて所定のスベリを伴いながら停止する停止期間ＴＢ２とに分けられる。
【０１５２】
加速期間ＴＡの長さに関する規制は設けられていない一方、ストップボタン４２〜４４が操作されない場合の加速期間ＴＡ及び定速回転期間ＴＢ１の合計時間は３０ｓｅｃ以上でなければならないという規制が設けられている。停止期間ＴＢ２についても、ストップボタン４２〜４４を操作してから最大約１９０ｍｓｅｃ以内にステッピングモータ３３を停止させることが要求されている。
【０１５３】
＜ステッピングモータ３３の駆動制御＞
次に、ステッピングモータ３３の駆動制御についての構成を説明する。
【０１５４】
既に説明したとおり、ステッピングモータ３３は加速期間ＴＡ（図２３）を経て定速回転の状態に遷移するが、かかる加速期間ＴＡは遊技の強制的な待ち時間となってしまうため、ステッピングモータ３３は加速状態からできるだけ早く定速回転の状態に遷移させることが望ましい。そのためにはステッピングモータ３３の励磁相の切り替えを早く行うようにすればよいが、そうすると脱調や回転の不安定性をもたらす恐れがある。
【０１５５】
特に、ステッピングモータ３３では、初期励磁において回転子９１の歯がポール９２〜９５の突起に吸引されるときに、回転子９１の初期の回転揺れ（往復動を伴った微小振動）が発生する。リールユニット３１の仕様などによっても相違するが、例えば３０ｍｓｅｃで１往復する揺れが５〜６往復程度発生する。したがって、このような初期の回転揺れを考慮に入れながら加速期間ＴＡにおける励磁相の切り替え態様を設定する必要がある。
【０１５６】
かかる初期の回転揺れの影響を抑制しながら、ステッピングモータ３３の加速を行う手法としては、２相励磁による初期励磁の状態をある程度維持するとともにその後の２相励磁と１相励磁との切り替え間隔を徐々に短くしていく手法が考えられる。例えば図２４に示すようなタイミングで励磁相を切り替える構成が考えられる。この場合、初期励磁として２相励磁に設定した状態が１３０割込み（すなわちタイマ割込み処理（図９）の１３０回分）に亘って保持された後に、１相励磁に切り替えられ、その状態を８割込みに亘って保持した後に、２相励磁に切り替えられ、その後、除々に励磁相の切り替え間隔が短くなるように設定されている。当該構成であれば、１９３．７ｍｓｅｃ（＝１．４９ｍｓｅｃ×１３０割込み）が初期励磁期間として設定され、この間に上記初期の回転揺れを消失させることが可能となる。しかしながら、本構成においては加速期間ＴＡが長くなってしまう。
【０１５７】
これに対して、本実施形態のスロットマシン１０では、上記のように２相励磁による初期励磁期間を長く確保するのではなく、初期励磁としてステッピングモータ３３に対して２相励磁を行った後、ステッピングモータ３３に対して何ら励磁を行わない無励磁期間を挟んで、再びステッピングモータ３３に対して初期励磁と同一の２相励磁を行うことにより、上記初期の回転揺れを好適に抑制しながら加速期間ＴＡを短くするようにしている。
【０１５８】
以下、このような加速処理を可能とする励磁パターンについて、図２５を参照しながら詳細に説明する。図２５はリール３２Ｌ，３２Ｍ，３２Ｒの回転を開始させる場合における励磁パターンが設定された回転初期用テーブルを説明するための説明図である。
【０１５９】
回転初期用テーブル（図２５）はスロットマシン１０の製造段階において主側ＲＯＭ７３に予め記憶されている。回転初期用テーブルは全てのリール３２Ｌ，３２Ｍ，３２Ｒに対して共通して利用される。つまり、リール３２Ｌ，３２Ｍ，３２Ｒの回転を開始する場合には左リール３２Ｌ、中リール３２Ｍ及び右リール３２Ｒのそれぞれに対して兼用されるように共通の回転初期用テーブルが１個のみ主側ＲＯＭ７３から主側ＲＡＭ７４に読み出され、その共通の回転初期用テーブルを利用して各リール３２Ｌ，３２Ｍ，３２Ｒの加速期間ＴＡ（図２３）の全期間及び定速回転期間ＴＢ１（図２３）の初期の期間における駆動制御が行われる。
【０１６０】
図２５に示すように、回転初期用テーブルには、ステッピングモータ３３に対して、１相励磁が行われる励磁期間と、２相励磁が行われる励磁期間と、何ら励磁が行われない無励磁期間とが設定されている。１相励磁と２相励磁とで比較した場合、１相励磁の方が２相励磁よりも回転トルクが小さい（すなわち励磁力が弱い）。
【０１６１】
回転初期用テーブル（図２５）を利用して行われるステッピングモータ３３の駆動制御では、切替順序１〜３に設定されている励磁データに基づいて第１加速期間ＴＡ１の加速制御が行われる。図２５に示すように、第１加速期間ＴＡ１には、１番目（切替順序１）の励磁対象及び３番目（切替順序３）の励磁対象として同一の２相励磁が設定されており、当該１番目及び３番目の２相励磁の励磁期間の間に無励磁期間が設定されている。例えば、１番目の励磁相がＡＢ相である場合には、初期励磁としてＡＢ相の励磁が行われ、その後に無励磁期間を挟んで再び初期励磁と同一のＡＢ相の励磁が行われる。
【０１６２】
図２４の回転初期用テーブルのように、初期励磁として２相励磁が設定されているとともに当該２相励磁の励磁期間が長い場合には、回転初期にリール３２Ｌ，３２Ｍ,３２Ｒに与えられる回転トルクが大きいものとなり初期の回転揺れが大きくなってしまう。具体的には、初期の回転揺れの振幅及び周期が大きくなってしまう。この場合には、当該初期の回転揺れを消失させるために２相励磁の励磁期間を長く設定する必要が生じ、図２４に示すように、初期励磁である２相励磁の励磁期間が長くなってしまう。
【０１６３】
これに対して、本実施形態において利用する回転初期用テーブル（図２５）では、１番目（切替順序１）の２相励磁の励磁期間と３番目（切替順序３）の２相励磁の励磁期間との間に無励磁期間が設けられていることにより、回転初期にリール３２Ｌ，３２Ｍ,３２Ｒに与えられる回転トルクが大きくなり過ぎてしまうことが防止されており、初期の回転揺れを小さくすることが可能となっている。初期の回転揺れの振幅及び周期が抑えられていることにより、早期に初期の回転揺れを消失させてリール３２Ｌ，３２Ｍ，３２Ｒの回転を滑らかに開始させることが可能となる。
【０１６４】
２番目（切替順序２）の無励磁期間及び３番目（切替順序３）の２相励磁の励磁期間として、初期の回転揺れを抑えるために必要な期間以上の期間を設定することによりリール３２Ｌ，３２Ｍ，３２Ｒを円滑に加速させることが可能となる。そして、これら２番目の無励磁期間及び３番目の２相励磁の励磁期間として、初期の回転揺れを抑えることが可能な範囲内において短い期間を設定することにより、リール３２Ｌ，３２Ｍ，３２Ｒの円滑な加速を可能としながら加速期間ＴＡの短縮を図ることができる。
【０１６５】
ここで、本実施形態のスロットマシン１０では、最も制動力が小さい４相励磁を１００割込み分（１４９ｍｓｅｃ）に亘って維持させた後、１相励磁を３４割込み分（５０．６６ｍｓｅｃ）に亘って行うことによりリール３２Ｌ，３２Ｍ，３２Ｒの停止が行われる。回転初期用テーブル（図２５）の初期励磁対象は、励磁順テーブル（図２２）においてリール３２Ｌ，３２Ｍ，３２Ｒの停止時に行われた１相励磁の次に設定されている２相励磁となる。前回のリール３２Ｌ，３２Ｍ，３２Ｒの停止時に行われた１相励磁と今回のリール３２Ｌ，３２Ｍ，３２Ｒの回転開始時に行われる２相励磁とが連続的な関係にあることにより、脱調を防止しながらリール３２Ｌ，３２Ｍ，３２Ｒを円滑に加速させることができる。
【０１６６】
図２５に示すように、初期励磁対象である２相励磁の励磁期間はタイマ割込み処理（図９）の２割込み分となっている。既に説明したとおり、タイマ割込み処理（図９）の起動周期は１．４９ｍｓｅｃであり、当該タイマ割込み処理にてステッピングモータ制御処理（ステップＳ２０６）が実行されることにより励磁相の切り替えが行われる。したがって、励磁相の切り替えタイミングはタイマ割込み処理の起動周期に依存することとなり、最短の保持期間はタイマ割込み処理の１割込み分（すなわち１．４９ｍｓｅｃ）となる。初期励磁対象として１相励磁よりも励磁力の強い２相励磁が設定されていることにより、回転初期に回転開始に必要な回転トルクをリール３２Ｌ，３２Ｍ，３２Ｒに対して与えることが可能となっている。そして、当該２相励磁の励磁期間として設定されている期間が２割込み分と短い期間であることにより、回転開始時にリール３２Ｌ，３２Ｍ,３２Ｒに与えられる回転トルクが大きくなり過ぎてしまうことが防止されている。
【０１６７】
なお、初期励磁対象である２相励磁の励磁期間は、２割込み分に限定されることはなく２割込み分よりも短い期間であってもよく、２割込み分よりも長い期間であってもよい。初期励磁対象である２相励磁の励磁期間は、１割込み分〜４割込み分の期間であることが好ましく、より好ましくは１割込み分〜２割込み分の期間である。初期励磁対象である２相励磁の励磁期間を１割込み分〜４割込み分の期間とすることによりリール３２Ｌ，３２Ｍ，３２Ｒの回転初期に与えられる回転トルクが大きくなり過ぎることを防止しながらリール３２Ｌ，３２Ｍ，３２Ｒの回転を開始させるために必要な回転トルクを与えることが可能となる。
【０１６８】
初期励磁対象である２相励磁の励磁期間の後には、上記のとおりステッピングモータ３３に対して何らの励磁が行われない無励磁期間が設定されている。この無励磁期間はタイマ割込み処理（図９）の７割込み分（１０．４３ｍｓｅｃ）となっている。初期励磁として２相励磁を行ってリール３２Ｌ，３２Ｍ，３２Ｒの回転を開始させた後、ステッピングモータ３３を無励磁状態とすることにより回転子９１（図２１（ａ））の回転位置を回転初期用テーブル（図２５）の１番目及び３番目の２相励磁において安定する回転位置に近づけつつ、当該回転子９１の回転速度を抑えることができる。これにより、回転子９１の回転位置が３番目の２相励磁において安定する回転位置に近づいているとともに回転子９１の回転速度が落ちている状態で３番目の２相励磁を開始することが可能となり、初期の回転揺れの振幅及び周期を小さいものとすることが可能となる。
【０１６９】
なお、回転初期用テーブル（図２５）の２番目（切替順序２）に設定されている無励磁期間は７割込み分に限定されることはなく７割込み分よりも短い期間であってもよく、７割込み分よりも長い期間であってもよい。切替順序２の無励磁期間は、１割込み分〜１５割込み分の期間であることが好ましく、より好ましくは４割込み分〜１０割込み分の期間である。切替順序２の無励磁期間として１割込み分以上の期間が設定されていることにより初期の回転揺れを抑えることができる。また、切替順序２の無励磁期間として４割込み分以上の期間が設定されていることにより、リール３２Ｌ，３２Ｍ，３２Ｒの回転速度を十分に緩めて初期の回転揺れを小さいものとすることができる。
【０１７０】
回転初期用テーブル（図２５）の２番目に設定されている無励磁期間の後には、上記のとおり初期励磁対象である２相励磁と同一の２相励磁の励磁期間が設定されている。この２相励磁の励磁期間はタイマ割込み処理（図９）の１７割込み分（２５．３３ｍｓｅｃ）となっている。上記のとおり、３番目（切替順序３）の２相励磁は、回転子９１の回転位置が当該３番目の２相励磁において安定する回転位置に近づいているとともに回転子９１の回転速度が抑えられている状態で開始される。このため、リール３２Ｌ，３２Ｍ，３２Ｒにおける初期の回転揺れの振幅及び周期が小さいものとなり、当該初期の回転揺れを消失させるために当該２相励磁を維持する期間を短縮することができる。これにより、リール３２Ｌ，３２Ｍ，３２Ｒを円滑に加速させることを可能としながら第１加速期間ＴＡ１を短縮することができる。
【０１７１】
なお、回転初期用テーブル（図２５）の３番目（切替順序３）に設定されている２相励磁の励磁期間は１７割込み分の期間に限定されることはなく１７割込み分の期間よりも短い期間であってもよく、１７割込み分の期間よりも長い期間であってもよい。切替順序３の２相励磁の励磁期間は、１０割込み分〜２５割込み分の期間であることが好ましく、より好ましくは１４割込み分〜２０割込み分の期間である。切替順序３の２相励磁の励磁期間として１０割込み分以上の期間が設定されていることにより初期の回転揺れを抑えることができる。また、切替順序３の２相励磁の励磁期間として１４割込み分以上の期間が設定されていることにより、初期の回転揺れを消失させることを可能とすることができる。
【０１７２】
上記のとおり、初期励磁として２相励磁を行った後、無励磁期間を挟んで再び同一の２相励磁を行うことにより、無励磁期間を挟むことなく初期励磁の２相励磁を所定期間に亘って継続する構成と比較して、リール３２Ｌ，３２Ｍ，３２Ｒを円滑に加速させることを可能としながら第１加速期間ＴＡ１を短縮することができる。これにより、第１加速期間ＴＡ１と第２加速期間ＴＡ２との合計期間である加速期間ＴＡを短縮することができる。
【０１７３】
第１加速期間ＴＡ１が終了した後、第２加速期間ＴＡ２では、１相励磁と２相励磁とが交互に行われる。図２５に示すように、第２加速期間ＴＡ２では、切替順序の偶数番目に１相励磁が設定されているとともに、切替順序の奇数番目に２相励磁が設定されている。
【０１７４】
第２加速期間ＴＡ２において、２相励磁の励磁期間はリール３２Ｌ，３２Ｍ，３２Ｒの加速が進行することに伴って段階的に短くなるように設定されている。具体的には、５番目（切替順序５）に設定されている２相励磁は８割込み分に亘って保持され、７番目（切替順序７）に設定されている２相励磁は５割込み分に亘って保持され、９番目（切替順序９）、１１番目（切替順序１１）、１３番目（切替順序１３）、１５番目（切替順序１５）、１７番目（切替順序１７）及び１９番目（切替順序１９）の加速用の励磁順序に設定されている２相励磁は３割込み分に亘って保持され、２１番目（切替順序２１）、２３番目（切替順序２３）、２５番目（切替順序２５）及び２７番目（切替順序２７）の加速用の励磁順序に設定されている２相励磁は２割込み分に亘って保持される。このように回転トルクが大きい２相励磁に保持する期間を最初は長くしながら徐々に短くすることにより脱調の発生及び不安定な回転の発生を抑制しながら、回転速度を徐々に大きくしていくことが可能となる。
【０１７５】
なお、第２加速期間ＴＡ２における奇数番目の切替順序に設定されている２相励磁の励磁期間は上記のものに限定されることはなく、例えば８割込み分の励磁期間から５割込み分の励磁期間に切り換えられるタイミングは上記のタイミングよりも遅いタイミングとしてもよく、５割込み分の励磁期間から３割込み分の励磁期間に切り換えられるタイミングは上記のタイミングよりも遅いタイミングとしてもよい。また、８割込み分の励磁期間→５割込み分の励磁期間→３割込み分の励磁期間→２割込み分の励磁期間といったように第２加速期間ＴＡ２における２相励磁の励磁期間が変更される構成に限定されることはなく、例えば１０割込み分の励磁期間→３割込み分の励磁期間→２割込み分の励磁期間といったように第２加速期間ＴＡ２における２相励磁の励磁期間が変更される構成としてもよく、第２加速期間ＴＡ２における最初の２相励磁（５番目の２相励磁）の励磁期間が１５割込み分である構成としてもよい。
【０１７６】
一方、第２加速期間ＴＡ２における１相励磁の励磁期間は一定となっており、当該励磁期間はステッピングモータ３３を励磁可能な最短期間である１割込み分（１．４９ｍｓｅｃ）となっている。既に説明したとおり第２加速期間ＴＡ２における２相励磁の励磁期間は最短でも２割込み分となっているため、第２加速期間ＴＡ２では、偶数番目の切替順序における各１相励磁の励磁期間は、直後の順番に設定されている２相励磁の励磁期間よりも短い期間となる。１相励磁は２相励磁よりも回転トルクが小さいため、２相励磁への切り換えが早い方がリール３２Ｌ，３２Ｍ，３２Ｒに与える回転トルクを大きくすることが可能となり、加速を早期に完了することが可能となる。その一方、１相励磁が存在しないと回転トルクが大きくなり過ぎてしまい脱調の発生及び不安定な回転の発生が懸念される。これに対して、各１相励磁の励磁期間が直後の順番に設定されている２相励磁の励磁期間よりも短い期間であることにより、脱調の発生及び不安定な回転の発生を抑制しながら加速を早期に完了することが可能となる。特に、各１相励磁の励磁期間が励磁可能な最短期間である１割込み分に設定されていることにより、加速期間ＴＡを極力短くすることが可能となる。
【０１７７】
なお、第２加速期間ＴＡ２において偶数番目の切替順序に設定されている１相励磁の励磁期間は一定である構成に限定されることはなく、例えばリール３２Ｌ，３２Ｍ，３２Ｒの加速が進むに従って１相励磁の励磁期間が段階的に短くなる構成としてもよい。具体的には、第２加速期間ＴＡ２の前半においては１相励磁の励磁期間が２割込み分に設定されており、第２加速期間ＴＡ２の後半においては１相励磁の励磁期間が１割込み分に設定されている構成としてもよい。また、例えば１相励磁の励磁期間は基本的に１割込み分に設定されているが、途中のタイミングである１０番目の切替順序における１相励磁は２割込み分に設定されている構成としてもよい。また、例えば４番目の切替順序である１相励磁は４割込み分であり、６番目の切替順序である１相励磁は３割込み分であり、８番目の切替順序である１相励磁は２割込み分であり、１０番目以降の切替順序である１相励磁はいずれも１割込み分であるといったように、４番目以降の切替順序において１相励磁の励磁期間が１割込み分となるまで徐々に短くなっていく構成としてもよい。但し、これら構成のいずれであっても各１相励磁の励磁期間は、直後の順番に設定されている２相励磁の励磁期間よりも短い期間となっている。これにより、１相励磁の励磁期間が直後の順番に設定されている２相励磁の励磁期間よりも長い期間である構成と比べて加速期間ＴＡを短くすることが可能となる。
【０１７８】
回転初期用テーブルが利用される場合であっても１相励磁及び２相励磁の具体的な内容は励磁順テーブル（図２２）における励磁順ポインタに従って決定される。回転初期用テーブル（図２５）における初期励磁の２相励磁を行う場合に、励磁順テーブルにおいて２相励磁が設定されている所定の励磁順ポインタが制御開始対象のポインタとして選択される。初期励磁（１番目）の２相励磁が行われた後、無励磁期間を挟んで行われる３番目の２相励磁では、励磁順ポインタが更新されることはなく初期励磁の２相励磁と同一の２相励磁が行われる。３番目の励磁順序に設定されている２相励磁が終了した後は、回転初期用テーブルにおいて切替順序が変更される度に、励磁順テーブルにおいて制御対象となる励磁順ポインタが次の順番の励磁順ポインタに切り換えられる。これにより、回転初期用テーブルにおいて１相励磁が設定されている順番の切替順序においては励磁順テーブルにおいても１相励磁に対応するデータが選択され、回転初期用テーブルにおいて２相励磁が設定されている順番の切替順序においては励磁順テーブルにおいても２相励磁に対応するデータが選択される。
【０１７９】
第２加速期間ＴＡ２の駆動制御が終了した後は、定速期間ＴＢ（図２３）の駆動制御が行われる。定速期間ＴＢの駆動制御では、第２加速期間ＴＡ２と同様に１相励磁と２相励磁とが交互に繰り返される。また、定速期間ＴＢにおける１相励磁の励磁期間及び２相励磁の励磁期間は、回転初期用テーブル（図２５）の３３番目（切替順序３３）の２相励磁の場合を除いて、ステッピングモータ３３を励磁可能な最短期間である１割込み分である。
【０１８０】
定速期間ＴＢでは、基本的に、ステッピングモータ３３に対して１割込み分に亘る１相励磁と１割込み分に亘る２相励磁とが交互に行われることにより、リール３２Ｌ，３２Ｍ，３２Ｒが１分間に８０回転する８０ｒｐｍの回転速度で定速回転する。定速期間ＴＢのうち定速回転期間ＴＢ１（図２３）の初期では、リール３２Ｌ，３２Ｍ，３２Ｒの回転速度が設定値（８０ｒｐｍ）よりも遅い状態から加速して設定値に到達し、リール３２Ｌ，３２Ｍ，３２Ｒの回転速度が設定値を超えるオーバーシュートが発生する。定速回転期間ＴＢ１における全ての１相励磁の励磁期間及び２相励磁の励磁期間が１割込み分である場合、リール３２Ｌ，３２Ｍ，３２Ｒの回転速度は、オーバーシュート発生時に最大値をとり、その後に減衰振動しながら設定値である８０ｒｐｍに収束する。
【０１８１】
オーバーシュート発生時におけるリール３２Ｌ，３２Ｍ，３２Ｒの回転速度の最大値は、直前のリール３２Ｌ，３２Ｍ，３２Ｒの加速傾斜が急であるほど大きくなる。また、リール３２Ｌ，３２Ｍ，３２Ｒの回転速度の最大値が大きいほど、減衰振動の振幅が大きくなるとともに、加速期間ＴＡが終了してからリール３２Ｌ，３２Ｍ，３２Ｒの回転速度が設定値に収束するまでに要する収束時間が長くなる。
【０１８２】
本実施形態では、第２加速期間ＴＡ２が終了してから最初にリール３２Ｌ，３２Ｍ，３２Ｒの回転速度が設定値（８０ｒｐｍ）に到達する直前におけるリール３２Ｌ，３２Ｍ，３２Ｒの加速傾斜を緩和すべく回転初期用テーブル（図２５）の３３番目（切替順序３３）の２相励磁の励磁期間として１割込み分ではなく２割込み分の期間が設定されている。
【０１８３】
定速期間ＴＢにおける駆動制御は、回転初期用テーブル（図２５）の３３番目の２相励磁が終了するまで、当該回転初期用テーブルに基づいて行われる。回転初期用テーブル（図２５）の切替順序２８〜切替順序３２では、１割込み分に亘る１相励磁と１割込み分に亘る２相励磁とが交互に繰り返される。そして、回転初期用テーブルの切替順序３３において２割込み分に亘って２相励磁が行われた後、定速期間ＴＢが終了するまで１割込み分に亘る１相励磁と１割込み分に亘る２相励磁とが交互に繰り返される。つまり、定速期間ＴＢでは、基本的に１割込み分に亘る１相励磁と１割込み分に亘る２相励磁とが繰り返され、回転初期用テーブル（図２５）における３３番目の２相励磁の励磁期間のみが２割込み分となる。
【０１８４】
なお、定速回転期間ＴＢ１においてリール３２Ｌ，３２Ｍ，３２Ｒの加速傾斜を緩和すべく２相励磁の励磁期間を２割込み分以上の期間とするタイミングは、回転初期用テーブル（図２５）の３３番目（切替順序３３）のタイミングに限定されない。当該３３番目のタイミングよりも早いタイミングであってもよく、当該３３番目のタイミングよりも遅いタイミングであってもよい。定速回転期間ＴＢ１においてリール３２Ｌ，３２Ｍ，３２Ｒの加速傾斜を緩和すべく２相励磁の励磁期間を２割込み分以上の期間とするタイミングは、３１番目（切替順序３１）〜４１番目（切替順序４１）のいずれかのタイミングであることが好ましく、より好ましくは３１番目（切替順序３１）又は３３番目（切替順序３３）のタイミングである。
【０１８５】
図２５に示すように、３１番目（切替順序３１）のタイミングは、第２加速期間ＴＡ２が終了してから２回目の２相励磁が行われるタイミングである。また、定速回転期間ＴＢ１における１相励磁の励磁期間及び２相励磁の励磁期間の全てを１割込み分の期間とする構成とした場合に、３３番目（切替順序３３）のタイミングは、リール３２Ｌ，３２Ｍ，３２Ｒの回転速度が最初に設定値（８０ｒｐｍ）に到達する直前のタイミングであるとともに、４１番目（切替順序４１）のタイミングは、リール３２Ｌ，３２Ｍ，３２Ｒの回転速度が最大値に到達する直前のタイミングであることが後述する比較試験Ａ〜Ｄ（図４７参照）において実験結果として分かっている。３１番目〜４１番目のいずれかのタイミングにおける２相励磁の励磁期間を２割込み分以上の期間とすることにより、第２加速期間ＴＡ２の終了後、リール３２Ｌ，３２Ｍ，３２Ｒの回転速度が最大値に向かって増大しているタイミングにおいて当該リール３２Ｌ，３２Ｍ，３２Ｒの加速傾斜を緩和することができる。リール３２Ｌ，３２Ｍ，３２Ｒの回転速度が最大値に到達するタイミング以前のタイミングにおいて回転速度を減少させて回転速度の減衰振動の振幅を減少させることにより、早期に回転速度を設定値（８０ｒｐｍ）に収束させることが可能となる。このうち、３１番目又は３３番目のタイミングにおける２相励磁の励磁期間を２割込み分〜５割込み分の期間とすることにより、リール３２Ｌ，３２Ｍ，３２Ｒの回転速度が最初に設定値（８０ｒｐｍ）に到達する直前のタイミングにおいてリール３２Ｌ，３２Ｍ，３２Ｒを減速させて、回転速度の減衰振動の振幅を効果的に減少させることが可能となる。
【０１８６】
回転初期用テーブル（図２５）を利用した駆動制御が終了した後は、励磁順テーブル（図２２）を利用して定速期間ＴＢの続きの駆動制御が行われる。回転初期用テーブル（図２５）を利用した駆動制御が終了した後の定速期間ＴＢでは、１割込み分に亘る１相励磁と１割込み分に亘る２相励磁とが交互に繰り返される。
【０１８７】
回転初期用テーブル（図２５）を利用した駆動制御が終了してから最初に迎える励磁相の切り替えタイミングでは、回転初期用テーブルにおいて最後の切替順序に設定されている励磁相の次の順番となる励磁相が励磁対象となる。具体的には、回転初期用テーブル（図２５）において最後の切替順序（切替順序３３）には２相励磁が設定されているため、２相励磁に対して次の順番となる励磁相である１相励磁が励磁対象となる。また、回転初期用テーブルを利用した駆動制御が終了した後も励磁順テーブル（図２２）の励磁順ポインタがそのまま引き継がれるため、回転初期用テーブルを利用した駆動制御が終了してから最初に迎える励磁相の切り替えタイミングでは回転初期用テーブルを利用した駆動制御の最後に選択されていた励磁順ポインタに対して次の励磁順ポインタに対応するデータが利用される。
【０１８８】
リール３２Ｌ，３２Ｍ，３２Ｒが停止される場合、スロットマシン１０の製造段階において主側ＲＯＭ７３に予め記憶された停止用テーブルが主側ＲＡＭ７４に読み出されて使用される。具体的には、１相励磁と２相励磁とが交互に繰り返されている状況において停止指令が発生することにより停止用テーブルが使用される。停止用テーブルにおいては４相励磁を１００割込みに亘って維持した後に１相励磁を３４割込みに亘って行うデータが設定されている。この１相励磁の対象となる相は、目標とする停止角度の位置に対応する１相となっている。
【０１８９】
４相励磁では、Ａ相、逆Ａ相、Ｂ相及び逆Ｂ相の全てを励磁する。相反する２相を励磁した場合には磁束を打ち消し合うことになるが、ステッピングモータ３３の回転中は誘導電圧によって逆起電力が生じ、例えばＡ相と逆Ａ相とに流れる電流の差分のトルクが発生する。そして、４相励磁とした場合、相反する２相同士において当該トルクが発生する。したがって、４相励磁であっても制動力を生じさせることが可能である。ちなみに、励磁相の種類としては既に説明した１相励磁、２相励磁及び４相励磁以外にも３相励磁が存在している。これらのうち励磁力（又は回転トルク）が最も強いのは２相励磁であり、次に３相励磁であり、次に１相励磁であり、最も弱いのは４相励磁である。
【０１９０】
上記のように制動の開始に際して最も制動力が弱い４相励磁を利用することによりステッピングモータ３３の回転子９１を滑らかに停止させることが可能となる。但し、制動力が弱いことに起因して４相励磁を行った場合、４相励磁を開始したタイミングから慣性によってある程度は回転子９１が進むこととなる。この慣性で進むステップ数はリールユニット３１の仕様によって相違するものであり、そのステップ数はリールユニット３１を利用した実験によって設計段階である程度は把握することが可能であるものの一定とはならずにある程度のばらつきが生じ得る。これに対して、４相励磁を所定期間に亘って行った後に、目標とする停止角度の位置に対応する１相を対象とした１相励磁を所定期間に亘って行うことにより、停止位置を設計した位置とすることが可能となる。
【０１９１】
定速期間ＴＢにおいて停止指令が発生した場合には、１割込みに亘って２相励磁が実行された後に停止用の４相励磁が開始される。なお、停止指令が発生したことに基づいて行われる４相励磁の励磁期間は１００割込み分に限定されることはなく、１００割込み分よりも短くてもよく、１００割込み分よりも長くてもよい。また、４相励磁を１００割込み分に亘って継続させた後に行われる１相励磁の励磁期間は３４割込み分に限定されることはなく、３４割込み分よりも短くてもよく、３４割込み分よりも長くてもよい。
【０１９２】
次に、リール３２Ｌ，３２Ｍ，３２Ｒの駆動制御を行うために主側ＭＰＵ７２にて実行される具体的な処理内容を説明する。
【０１９３】
図２６は主側ＭＰＵ７２において実行されるリール制御処理を示すフローチャートである。なお、リール制御処理は通常処理（図１０）のステップＳ３０７にて実行される。リール制御処理では、先ず各リール３２Ｌ，３２Ｍ，３２Ｒの回転を開始させる回転開始処理を行う（ステップＳ８０１）。回転開始処理について図２７のフローチャートを参照しながら説明する。
【０１９４】
回転開始処理では、まず回転初期用テーブル（図２５）を主側ＲＯＭ７３から主側ＲＡＭ７４に読み出す（ステップＳ９０１）。その後、各リール３２Ｌ，３２Ｍ，３２Ｒのそれぞれに対応する回転初期カウンタ７４ａに「３３」をセットする（ステップＳ９０２〜ステップＳ９０４）。回転初期カウンタ７４ａは、回転初期用テーブル（図２５）を利用する駆動制御中の励磁相の切り替えタイミングにおいて参照すべき切替順序データを主側ＭＰＵ７２にて特定可能とするために主側ＲＡＭ７４に設けられているカウンタである。回転初期カウンタ７４ａは、各リール３２Ｌ，３２Ｍ，３２Ｒのそれぞれに対して１対１で対応させて設けられている。主側ＭＰＵ７２は、回転初期用テーブル（図２５）を利用する駆動制御中にステッピングモータ３３における励磁相の切り替えタイミングとなった場合、回転初期カウンタ７４ａの値に基づいて参照すべき切替順序データを特定する。
【０１９５】
その後、主側ＲＡＭ７４に設けられた要制御フラグに「１」をセットして（ステップＳ９０５）、本回転開始処理を終了する。要制御フラグは、リール３２Ｌ，３２Ｍ，３２Ｒの駆動制御を行う必要があることを主側ＭＰＵ７２にて特定するためのフラグである。要制御フラグに「１」がセットされた状態は、全てのリール３２Ｌ，３２Ｍ，３２Ｒについて停止用テーブルに基づく停止制御が完了した場合に当該要制御フラグが「０」クリアされることで解除される。要制御フラグは、後述するステッピングモータ制御処理（図２８）のステップＳ１０１１にて「０」クリアされる。
【０１９６】
リール制御処理（図２６）の説明に戻り、回転開始処理（ステップＳ８０１）を実行した後は、回転初期用テーブル（図２５）における加速期間ＴＡ（第１加速期間ＴＡ１及び第２加速期間ＴＡ２）が終了したか否かを判定する（ステップＳ８０２）。具体的には、主側ＲＡＭ７４における回転初期カウンタ７４ａを参照し、回転初期カウンタ７４ａの値が「７」以上である場合には加速期間ＴＡが終了していないと判定するとともに、回転初期カウンタ７４ａの値が「６」以下である場合には加速期間ＴＡが終了したと判定する。加速期間ＴＡが終了していない場合（ステップＳ８０２：ＮＯ）には当該加速期間ＴＡが終了するまでステップＳ８０２の処理を繰り返す。そして、加速期間ＴＡが終了した場合（ステップＳ８０２：ＹＥＳ）にステップＳ８０３に進む。
【０１９７】
ステップＳ８０３では、全リール３２Ｌ，３２Ｍ，３２Ｒが停止しているか否かについて判定し、回転中のリール３２Ｌ，３２Ｍ，３２Ｒが１個以上存在する場合（ステップＳ８０３：ＮＯ）には、いずれかのストップボタン４２〜４４が操作されたか否かを判定する（ステップＳ８０４）。加速期間ＴＡが終了するまでステップＳ８０４の判定処理は実行されないため、加速期間ＴＡ中にストップボタン４２〜４４の操作が行われたとしても当該操作に基づいて対応するリール３２Ｌ，３２Ｍ，３２Ｒが停止することはない。なお、主側ＭＰＵ７２は、加速期間ＴＡを含めてストップボタン４２〜４４の操作が無効化されている場合にはストップボタン４２〜４４の図示しないランプを消灯させることにより無効化されていることを遊技者に報知し、各ストップボタン４２〜４４の操作が有効化されている場合には停止指令が発生していないストップボタン４２〜４４のランプを点灯表示することにより、停止指令を発生させることが可能であることを遊技者に報知する。
【０１９８】
いずれかのストップボタン４２〜４４が操作されている場合（ステップＳ８０４：ＹＥＳ）には、当該ストップボタン４２〜４４の操作が有効な操作であるか否かを判定する（ステップＳ８０５）。具体的には、ステップＳ８０４にて検出されたストップボタン４２〜４４の操作が回転中のリール３２Ｌ，３２Ｍ，３２Ｒに対して行われたものであり停止指令の発生契機となるものである場合に有効な操作であると判定する。
【０１９９】
ステップＳ８０５においてストップボタン４２〜４４の操作が有効であった場合には、有効に操作されたストップボタン４２〜４４に対応するリール３２Ｌ，３２Ｍ，３２ＲについてステップＳ８０６〜ステップＳ８１０の処理を行う。具体的には、主側ＲＡＭ７４における制動対象フラグに「１」をセットする（ステップＳ８０６）。制動対象フラグは、回転中のリール３２Ｌ，３２Ｍ，３２Ｒに対応するストップボタン４２〜４４の有効な操作が検出されていることを主側ＭＰＵ７２にて特定可能とするフラグであり、各リール３２Ｌ，３２Ｍ，３２Ｒのそれぞれに１対１で対応させて設けられている。その後、演出側ＭＰＵ８２への送信対象として停止指令コマンドをセットする（ステップＳ８０７）。停止指令コマンドとは、有効な操作が検出されたストップボタン４２〜４４の種類を把握させるべく演出側ＭＰＵ８２に送信されるコマンドである。
【０２００】
その後、ストップボタン４２〜４４が操作されたタイミングで基点位置に到達している到達図柄の図柄番号を把握し（ステップＳ８０８）、主側ＲＡＭ７４に格納されている停止情報に基づいてスベリ数を把握するスベリ数把握処理を実行する（ステップＳ８０９）。停止情報は、抽選処理（図１１）における停止情報第１設定処理（ステップＳ４０９）において主側ＲＯＭ７３から主側ＲＡＭ７４に読み出され、後述する停止情報第２設定処理（リール制御処理（図２６）のステップＳ８１３）においてリール３２Ｌ，３２Ｍ，３２Ｒの停止態様に応じて適宜変更される。スベリ数把握処理では、スベリ数として「０」〜「４」のいずれかの値を特定する。その後、スベリ数把握処理（ステップＳ８０９）にて特定したスベリ数と到達図柄番号とに基づいて基点位置に実際に停止させる停止対象図柄の図柄番号を決定する（ステップＳ８１０）。
【０２０１】
ステップＳ８０４にてストップボタン４２〜４４の操作が検出されなかった場合、ステップＳ８０５にてストップボタン４２〜４４の操作が有効な操作ではないと判定した場合、又はステップＳ８１０にて停止対象図柄を決定した場合には、ステップＳ８１１に進む。ステップＳ８１１では、主側ＲＡＭ７４に設けられた停止情報更新フラグに「１」がセットされているか否かを判定する。停止情報更新フラグは、今回のリール３２Ｌ，３２Ｍ，３２Ｒの停止制御により基点位置に停止する図柄に応じて、停止情報第１設定処理（抽選処理（図１１）におけるステップＳ４０９）又は前回の停止情報第２設定処理（リール制御処理（図２６）におけるステップＳ８１３）にて主側ＲＡＭ７４に格納されたスベリテーブルを更新すべきことを主側ＭＰＵ７２にて特定可能とするフラグである。停止情報更新フラグには、後述するモータ制御処理（図２９）のステップＳ１１１４にて「１」が設定される。
【０２０２】
停止情報更新フラグに「１」が設定されていない場合（ステップＳ８１１：ＮＯ）には、ステップＳ８０３に戻る。一方、停止情報更新フラグに「１」が設定されている場合（ステップＳ８１１：ＹＥＳ）には、当該停止情報更新フラグを「０」クリアし（ステップＳ８１２）、停止情報第２設定処理を実行して（ステップＳ８１３）、ステップＳ８０３に戻る。停止情報第２設定処理では、今回のリール３２Ｌ，３２Ｍ，３２Ｒの停止制御により基点位置に停止する図柄に応じて、停止情報第１設定処理（抽選処理（図１１）におけるステップＳ４０９）又は前回の停止情報第２設定処理（ステップＳ８１３）にて主側ＲＡＭ７４に格納されたスベリテーブルを更新する。これにより、次回のスベリ数把握処理（ステップＳ８０９）では、セットされている当選データ、リール３２Ｌ，３２Ｍ，３２Ｒの停止順序、及び各リール３２Ｌ，３２Ｍ，３２Ｒの停止図柄に対応するスベリテーブルに基づいてスベリ数を算出することが可能となる。なお、スベリ数を算出する構成は、スベリテーブルを利用する構成に限られず、各抽選結果及び各リール３２Ｌ，３２Ｍ，３２Ｒの停止順序に対応するスベリ数データを、リール３２Ｌ，３２Ｍ，３２Ｒの回転中などに導出する構成としてもよい。
【０２０３】
ステップＳ８０３にて全リール３２Ｌ，３２Ｍ，３２Ｒが停止していると判定した場合には、入賞判定処理を実行する（ステップＳ８１４）。入賞判定処理では、各リール３２Ｌ，３２Ｍ，３２Ｒの基点位置に停止している図柄の種類を把握する。そして、各リール３２Ｌ，３２Ｍ，３２ＲにおいてメインラインＭＬ上に停止表示されている図柄の組合せが今回の役の抽選処理において当選となった役に対応する図柄の組合せである場合には当選役の入賞の成立として入賞対応処理を実行する。入賞対応処理では、その入賞が小役入賞であれば媒体付与処理（通常処理（図１０）のステップＳ３０８）において遊技媒体の付与を可能とするように払出対象となるメダルの数を主側ＲＡＭ７４にセットする。一方、その入賞がリプレイ入賞であれば、次回の開始待ち処理（通常処理（図１０）のステップＳ３０２）にて自動投入処理が実行されるようにするためのフラグ設定処理を実行する。
【０２０４】
その後、演出側ＭＰＵ８２への送信対象として入賞結果コマンドをセットして（ステップＳ８１５）、本リール制御処理を終了する。入賞結果コマンドには、今回の入賞成立の有無を示すデータが含まれているとともに、入賞が成立している場合にはその入賞の種類を示すデータが含まれている。
【０２０５】
次に、図２８のフローチャートを参照しながらステッピングモータ制御処理について説明する。ステッピングモータ制御処理は、タイマ割込み処理（図９）のステップＳ２０６にて実行される。
【０２０６】
ステッピングモータ制御処理では、主側ＲＡＭ７４の要制御フラグに「１」がセットされている場合（ステップＳ１００１：ＹＥＳ）、今回の制御対象のリール３２Ｌ，３２Ｍ，３２Ｒについて、リールインデックスセンサ３６の検知結果と励磁データの出力回数とに基づき回転位置を把握する（ステップＳ１００２）。その後、主側ＲＡＭ７４における制動対象フラグに「１」が設定されているか否かを判定する（ステップＳ１００３）。
【０２０７】
今回の制御対象のリール３２Ｌ，３２Ｍ，３２Ｒに対応する制動対象フラグに「１」が設定されている場合（ステップＳ１００３：ＹＥＳ）には、ステップＳ１００２にて把握したリール３２Ｌ，３２Ｍ，３２Ｒの回転位置とリール制御処理（図２６）のステップＳ８１０にて決定された停止対象図柄とに基づき、今回の制動対象のリール３２Ｌ，３２Ｍ，３２Ｒについて、制動開始タイミングであるか否かを判定する（ステップＳ１００４）。そして、制動開始タイミングである場合（ステップＳ１００４：ＹＥＳ）には、制動対象フラグを「０」クリアし（ステップＳ１００５）、主側ＲＡＭ７４に設けられた停止開始フラグに「１」をセットする（ステップＳ１００６）。停止開始フラグは、停止制御を開始すべきリール３２Ｌ，３２Ｍ，３２Ｒを主側ＭＰＵ７２にて特定可能とするフラグであり、各リール３２Ｌ，３２Ｍ，３２Ｒのそれぞれに１対１で対応させて設けられている。停止開始フラグに「１」がセットされることにより、後述するモータ制御処理（図２９）のステップＳ１１１２にて制動設定処理が実行されて対応するリール３２Ｌ，３２Ｍ，３２Ｒの停止制御が開始される。
【０２０８】
ステップＳ１００３にて制動対象フラグに「１」が設定されていないと判定した場合、ステップＳ１００４にて制動開始タイミングでないと判定した場合、又はステップＳ１００６にて停止開始フラグに「１」を設定した場合には、モータ制御処理を実行する（ステップＳ１００７）。図２９はモータ制御処理を示すフローチャートである。
【０２０９】
図２９に示すように、モータ制御処理では、今回の制御対象のリール３２Ｌ，３２Ｍ，３２Ｒが制動中ではない場合（ステップＳ１１０１：ＮＯ）、今回の制御対象のリール３２Ｌ，３２Ｍ，３２Ｒに対応する切替カウンタ７４ｂの値が１以上であることを条件として当該切替カウンタ７４ｂの値を１減算する（ステップＳ１１０２）。切替カウンタ７４ｂは、ステッピングモータ３３における励磁相の切り替えタイミングを主側ＭＰＵ７２にて把握可能とするために主側ＲＡＭ７４に設けられているカウンタである。切替カウンタ７４ｂは、各リール３２Ｌ，３２Ｍ，３２Ｒのそれぞれに対して１対１で対応させて設けられている。
【０２１０】
ステップＳ１１０２にて切替カウンタ７４ｂの値を１減算した後、当該１減算後の切替カウンタ７４ｂの値が「０」となった場合（ステップＳ１１０３：ＹＥＳ）には、励磁相の切り替えタイミングであることを意味するためステップＳ１１０４に進む。ステップＳ１１０４では主側ＲＡＭ７４における回転初期カウンタ７４ａの値が１以上であるか否か判定し、回転初期カウンタ７４ａの値が１以上である場合（ステップＳ１１０４：ＹＥＳ）には、回転初期カウンタ７４ａを１減算する（ステップＳ１１０５）。これにより、今回の制御対象となっているリール３２Ｌ，３２Ｍ，３２Ｒについて次回の励磁相の切り替えを実行する場合、この減算後における回転初期カウンタ７４ａの値に対応した励磁期間のデータが設定される。
【０２１１】
ステップＳ１１０５にて回転初期カウンタ７４ａの値を１減算した後、当該１減算後の回転初期カウンタ７４ａの値が１以上である場合（ステップＳ１１０６：ＹＥＳ）には、切替カウンタの設定処理を実行する（ステップＳ１１０７）。切替カウンタの設定処理では、回転初期用テーブル（図２５）において現状の回転初期カウンタ７４ａの値に対応する切替順序に設定されている励磁期間を制御対象のリール３２Ｌ，３２Ｍ，３２Ｒに対応する切替カウンタ７４ｂに設定する。具体的には、回転初期カウンタ７４ａの値が「３３」である場合には第１加速期間ＴＡ１（図２５）の開始時であることを意味する。この場合、回転初期用テーブル（図２５）の１番目（切替順序１）に設定されている励磁期間である２割込みに対応する「２」を制御対象のリール３２Ｌ，３２Ｍ，３２Ｒに対応する切替カウンタ７４ｂに設定する。また、回転初期カウンタ７４ａの値が「３２」である場合には、回転初期用テーブル（図２５）において２番目（切替順序２）の無励磁期間に設定されている７割込みに対応する「７」を制御対象のリール３２Ｌ，３２Ｍ，３２Ｒに対応する切替カウンタ７４ｂに設定する。
【０２１２】
一方、ステップＳ１１０４において回転初期カウンタ７４ａの値が「０」であると判定した場合には、既に回転初期用テーブル（図２５）を利用する駆動制御が終了していることを意味する。また、ステップＳ１１０６において回転初期カウンタ７４ａの値が「０」であると判定した場合には、回転初期用テーブル（図２５）を利用する駆動制御が終了したことを意味する。ステップＳ１１０４又はステップＳ１１０６にて否定判定を行った場合には、切替カウンタ７４ｂに「１」を設定する（ステップＳ１１０８）。これにより、回転初期用テーブル（図２５）を利用する駆動制御が終了した後の定速期間ＴＢ（図２３）では、１割込みに亘る１相励磁と１割込みに亘る２相励磁とが交互に繰り返される。
【０２１３】
ステップＳ１１０７の処理を実行した場合、又はステップＳ１１０８の処理を実行した場合には、励磁データ設定処理を実行する（ステップＳ１１０９）。図３０は励磁データ設定処理を示すフローチャートである。
【０２１４】
励磁データ設定処理では、先ず励磁順ポインタの更新処理（ステップＳ１２０１〜ステップＳ１２０４）を実行する。具体的には、主側ＲＡＭ７４における回転初期カウンタ７４ａの値が「３１」以上であるか否かを判定する（ステップＳ１２０１）。回転初期カウンタ７４ａの値が「３１」以上でない場合（ステップＳ１２０１：ＮＯ）には、第２加速期間ＴＡ２又は定速期間ＴＢであることを意味するため（図２５参照）、励磁順テーブル（図２２）における励磁順ポインタの値に「１」を加算する（ステップＳ１２０２）。そして、当該１加算後の励磁順ポインタの値が最大値である「７」以下である場合（ステップＳ１２０３：ＹＥＳ）には、ステップＳ１２０５に進む。一方、１加算後の励磁順ポインタの値が最大値（「７」）よりも大きくなった場合（ステップＳ１２０３：ＮＯ）には、当該励磁順ポインタの値を「０」クリアして（ステップＳ１２０４）、ステップＳ１２０５に進む。
【０２１５】
一方、ステップＳ１２０１において回転初期カウンタ７４ａの値が「３１」以上であると判定した場合には、第１加速期間ＴＡ１であることを意味するため（図２５参照）、ステップＳ１２０５に進む。このように、第１加速期間ＴＡ１である場合には励磁順ポインタが更新されないため、回転初期用テーブル（図２５）の切替順序３において、切替順序１（初期励磁）と同一の２相励磁が行われる。
【０２１６】
ステップＳ１２０１にて肯定判定を行った場合、ステップＳ１２０３にて肯定判定を行った場合、又はステップＳ１２０４の処理を行った場合には、主側ＲＡＭ７４における回転初期カウンタ７４ａの値が「１」以上であるか否かを判定する（ステップＳ１２０５）。回転初期カウンタ７４ａの値が「１」以上である場合（ステップＳ１２０５：ＹＥＳ）には、回転初期用テーブル（図２５）を利用した駆動制御が行われていることを意味するため、回転初期用テーブル（図２５）を参照して無励磁期間であるか否かを判定する（ステップＳ１２０６）。既に説明したとおり、本実施形態における回転初期用テーブル（図２５）では、２番目（切替順序２）に無励磁期間が設定されている。無励磁期間である場合（ステップＳ１２０６：ＹＥＳ）には、今回の制御対象のリール３２Ｌ，３２Ｍ，３２Ｒについて主側ＲＡＭ７４に無励磁データを設定する。無励磁データは、ステッピングモータ３３に対して何ら励磁が行われない無励磁状態とするためのデータである。主側ＲＡＭ７４に設定された無励磁データは、後述するステッピングモータ制御処理（図２８）におけるステップＳ１００９にてモータドライバ９６に出力される。モータドライバ９６は、無励磁データを受信した場合、対応するステッピングモータ３３を無励磁状態とする。
【０２１７】
一方、ステップＳ１２０５にて回転初期カウンタ７４ａの値が「１」以上でないと判定した場合、又はステップＳ１２０６にて無励磁期間でないと判定した場合には、励磁順テーブル（図２２）において現状の励磁順ポインタの値に対応させて設定されている励磁データを読み出し、その読み出した励磁データを今回の制御対象のリール３２Ｌ，３２Ｍ，３２Ｒについての今回の励磁データとして主側ＲＡＭ７４に設定して（ステップＳ１２０８）、本励磁データ設定処理を終了する。
【０２１８】
モータ制御処理（図２９）の説明に戻り、ステップＳ１１０３にて切替カウンタ７４ｂの値が「０」でないと判定した場合、又はステップＳ１１０９において励磁データ設定処理（図３０）を実行した場合には、今回の制御対象となっているリール３２Ｌ，３２Ｍ，３２Ｒに対応する停止開始フラグに「１」が設定されているか否かを判定する（ステップＳ１１１０）。そして、対応する停止開始フラグに「１」が設定されていない場合（ステップＳ１１１０：ＮＯ）には、そのまま本モータ制御処理を終了する。一方、対応する停止開始フラグに「１」が設定されている場合（ステップＳ１１１０：ＹＥＳ）には、今回の制御対象となっているリール３２Ｌ，３２Ｍ，３２Ｒの制動開始タイミングであることを意味する。この場合には、停止開始フラグを「０」クリアし（ステップＳ１１１１）、制動設定処理を実行する（ステップＳ１１１２）。制動設定処理では停止用テーブルを主側ＲＯＭ７３から主側ＲＡＭ７４に読み出し、当該停止用テーブルに従った制御を開始する。具体的には、４相励磁を行うための励磁データを主側ＲＡＭ７４に設定する。
【０２１９】
その後、今回の停止制御が既に他の２つのリール３２Ｌ，３２Ｍ，３２Ｒが停止している状況で行われる第３停止の停止制御であるか否かを判定する（ステップＳ１１１３）。そして、今回の停止制御が第３停止の停止制御である場合（ステップＳ１１１３：ＹＥＳ）には、そのまま本モータ制御処理を終了する。
【０２２０】
一方、今回の停止制御が開始されるリール３２Ｌ，３２Ｍ，３２Ｒ以外に回転中のリール３２Ｌ，３２Ｍ，３２Ｒが存在しており、今回の停止制御が第３停止の停止制御でない場合（ステップＳ１１１３：ＮＯ）には、主側ＲＡＭ７４における停止情報更新フラグに「１」をセットして（ステップＳ１１１４）、本モータ制御処理を終了する。既に説明したとおり、停止情報更新フラグに「１」がセットされることにより、リール制御処理（図２６）のステップＳ８１３にて停止情報第２設定処理が実行される。
【０２２１】
ステップＳ１１０１にて制動中であると判定した場合には、制動中処理を実行して（ステップＳ１１１５）、本モータ制御処理を終了する。制動中処理では、停止用テーブルに基づき、４相励磁の励磁期間（１００割込み分）が終了していない場合には、モータドライバ９６に出力する励磁データとして４相励磁の励磁データを主側ＲＡＭ７４に記憶する。また、４相励磁の励磁期間が終了している場合には、１相励磁の励磁期間（３４割込み分）が終了しているか否かを判定し、１相励磁の励磁期間が終了していない場合にはモータドライバ９６に出力する励磁データとして１相励磁の励磁データを主側ＲＡＭ７４に記憶する。一方、１相励磁の励磁期間が終了した場合には今回の制御対象となっているリール３２Ｌ，３２Ｍ，３２Ｒの駆動制御を終了する。
【０２２２】
ステッピングモータ制御処理（図２８）の説明に戻り、ステップＳ１００７においてモータ制御処理を実行した後、回転中の全てのリール３２Ｌ，３２Ｍ，３２Ｒに対してモータ制御処理が終了したか否かを判定し（ステップＳ１００８）、終了していない場合（ステップＳ１００８：ＮＯ）には残りのリール３２Ｌ，３２Ｍ，３２Ｒに対してステップＳ１００２〜ステップＳ１００８の処理を実行する。
【０２２３】
一方、回転中の全てのリール３２Ｌ，３２Ｍ，３２Ｒに対してモータ制御処理が終了している場合（ステップＳ１００８：ＹＥＳ）には、回転中の各リール３２Ｌ，３２Ｍ，３２Ｒに対する励磁データを出力する（ステップＳ１００９）。これにより、モータドライバ９６に励磁データが供給される。その結果、ステッピングモータ３３は即座に励磁データによって指定された励磁相への通電処理を行い、回転子９１に対する励磁処理がなされる。
【０２２４】
その後、全てのリール３２Ｌ，３２Ｍ，３２Ｒについて駆動制御が終了したか否かを判定し（ステップＳ１０１０）、１以上のリール３２Ｌ，３２Ｍ，３２Ｒの駆動制御が終了していない場合（ステップＳ１０１０：ＮＯ）には、そのまま本ステッピングモータ制御処理を終了する。一方、全てのリール３２Ｌ，３２Ｍ，３２Ｒの駆動制御が終了した場合（ステップＳ１０１０：ＹＥＳ）には、主側ＲＡＭ７４における要制御フラグを「０」クリアして（ステップＳ１０１１）、本ステッピングモータ制御処理を終了する。
【０２２５】
＜実施例＞
以下、上記のような回転初期用テーブルを利用する駆動制御を実行する構成を実施例によりさらに詳細に説明するが、本発明はこれらに限定されるものではない。
【０２２６】
＜実施例１＞
ＡＢＳ樹脂により外径２３０ｍｍ、肉厚１．５ｍｍ、重量４９．７ｇとなるように作製した円筒骨格部材３４に対して、ポリカーボネート樹脂製、ベルト長７５４．５ｍｍ、肉厚０．３５ｍｍ、重量１６．７ｇのベルトを巻き、さらに当該円筒骨格部材３４を図３に示すように、ステッピングモータ３３（(株)ブラザーエンタープライズ製ＢＨ２５２５７４６０８）が固定されたモータプレート３５に支持させることにより、一のリールを作製した。また、同様の作製方法により３個のリール３２Ｌ，３２Ｍ，３２Ｒを作製し筐体１１に設置した。
【０２２７】
＜加速期間ＴＡの評価＞
実施例１について、図２２に示すような励磁順テーブル及び図２５に示すような回転初期用テーブルを利用して図２６〜図３０に示すような制御処理を行う第１試験を１０回実施した。各第１試験では、回転開始時における見た目上の揺れの有無及び脱調の有無について目視による評価を行った。その結果を図３１に示す。図３１に示すように、１０回の第１試験のいずれにおいても、回転開始時における見た目上の揺れが発生しないことが確認された。また、当該１０回の第１試験のいずれにおいても、回転開始時に脱調が発生しないことが確認された。
【０２２８】
＜第１加速期間ＴＡ１の励磁パターンを変化させた場合の評価＞
上記実施例１について、図２５、図３２〜図４３に示すような各回転初期用テーブルを設定し、それぞれの場合について、図２２に示すような励磁順テーブルを利用して図２６〜図３０に示すような制御処理を各１０回行い、「加速の滑らかさ」を目視により評価した。その結果を、図４４に示す。図４４において回転初期の励磁パターンＡは図２５に示す回転初期用テーブルを利用した場合に該当し、回転初期の励磁パターンＢは図３２に示す回転初期用テーブルを利用した場合に該当し、回転初期の励磁パターンＣは図３３に示す回転初期用テーブルを利用した場合に該当し、回転初期の励磁パターンＤは図３４に示す回転初期用テーブルを利用した場合に該当し、回転初期の励磁パターンＥは図３５に示す回転初期用テーブルを利用した場合に該当し、回転初期の励磁パターンＦは図３６に示す回転初期用テーブルを利用した場合に該当し、回転初期の励磁パターンＧは図３７に示す回転初期用テーブルを利用した場合に該当し、回転初期の励磁パターンＨは図３８に示す回転初期用テーブルを利用した場合に該当し、回転初期の励磁パターンＩは図３９に示す回転初期用テーブルを利用した場合に該当し、回転初期の励磁パターンＪは図４０に示す回転初期用テーブルを利用した場合に該当し、回転初期の励磁パターンＫは図４１に示す回転初期用テーブルを利用した場合に該当し、回転初期の励磁パターンＬは図４２に示す回転初期用テーブルを利用した場合に該当し、回転初期の励磁パターンＭは図４３に示す回転初期用テーブルを利用した場合に該当する。
【０２２９】
回転初期の励磁パターンＢに該当する図３２の回転初期用テーブルは１番目（切替順序１）の２相励磁の励磁期間が２割込み分ではなく１割込み分である点で回転初期の励磁パターンＡに該当する図２５の回転初期用テーブルと相違し、その他の点は図２５の回転初期用テーブルと同一である。回転初期の励磁パターンＣに該当する図３３の回転初期用テーブルは第１加速期間ＴＡ１に無励磁期間が設定されていない点で回転初期の励磁パターンＡに該当する図２５の回転初期用テーブルと相違している。図３３の回転初期用テーブルにおける第１加速期間ＴＡ１に設定されている２相励磁の励磁期間は、図２５の回転初期用テーブルにおける第１加速期間ＴＡ１の１番目（切替順序１）及び３番目（切替順序３）に設定されている励磁期間の合計よりも長い３２割込み分である。図３３の回転初期用テーブルにおける第２加速期間ＴＡ２及び定速回転期間ＴＢ１における励磁パターンは、図２５の回転初期用テーブルにおける第２加速期間ＴＡ２及び定速回転期間ＴＢ１における励磁パターンと同一である。回転初期の励磁パターンＤに該当する図３４の回転初期用テーブルは１番目（切替順序１）の２相励磁に設定されている励磁期間が２割込み分ではなく４割込み分である点で回転初期の励磁パターンＡに該当する図２５の回転初期用テーブルと相違し、その他の点は図２５の回転初期用テーブルと同一である。
【０２３０】
回転初期の励磁パターンＥに該当する図３５の回転初期用テーブルは２番目（切替順序２）の無励磁期間が７割込み分ではなく４割込み分である点で回転初期の励磁パターンＡに該当する図２５の回転初期用テーブルと相違し、その他の点は図２５の回転初期用テーブルと同一である。回転初期の励磁パターンＦに該当する図３６の回転初期用テーブルは２番目（切替順序２）の無励磁期間が７割込み分ではなく１割込み分である点で回転初期の励磁パターンＡに該当する図２５の回転初期用テーブルと相違し、その他の点は図２５の回転初期用テーブルと同一である。
【０２３１】
回転初期の励磁パターンＧに該当する図３７の回転初期用テーブルは３番目（切替順序３）の２相励磁の励磁期間が１７割込み分ではなく１４割込み分である点で回転初期の励磁パターンＡに該当する図２５の回転初期用テーブルと相違し、その他の点は図２５の回転初期用テーブルと同一である。回転初期の励磁パターンＨに該当する図３８の回転初期用テーブルは３番目（切替順序３）の２相励磁の励磁期間が１７割込み分ではなく１０割込み分である点で回転初期の励磁パターンＡに該当する図２５の回転初期用テーブルと相違し、その他の点は図２５の回転初期用テーブルと同一である。
【０２３２】
回転初期の励磁パターンＩに該当する図３９の回転初期用テーブルは１番目（切替順序１）に設定されている励磁の種類が２相励磁ではなく１相励磁である点で回転初期の励磁パターンＡに該当する図２５の回転初期用テーブルと相違し、その他の点は図２５の回転初期用テーブルと同一である。回転初期の励磁パターンＪに該当する図４０の回転初期用テーブルは１番目（切替順序１）に設定されている励磁の種類が２相励磁ではなく１相励磁であるとともに、３番目（切替順序３）の２相励磁の励磁期間が１７割込み分ではなく４０割込み分である点で回転初期の励磁パターンＡに該当する図２５の回転初期用テーブルと相違し、その他の点は図２５の回転初期用テーブルと同一である。
【０２３３】
回転初期の励磁パターンＫに該当する図４１の回転初期用テーブルは１番目（切替順序１）及び３番目（切替順序３）に設定されている励磁の種類が２相励磁ではなく１相励磁である。図４１の回転初期用テーブルにおける４番目（切替順序４）以降の励磁パターンは、図２５の回転初期用テーブルにおける５番目（切替順序５）以降の励磁パターンと同一である。回転初期の励磁パターンＬに該当する図４２の回転初期用テーブルは１番目（切替順序１）及び３番目（切替順序３）に設定されている励磁の種類が２相励磁ではなく１相励磁である。また、図４２の回転初期用テーブルの４番目（切替順序４）には１００割込み分の期間に亘る２相励磁が設定されている。図４２の回転初期用テーブルにおける５番目（切替順序５）以降の励磁パターンは、図２５の回転初期用テーブルにおける４番目（励磁順序４）以降の励磁パターンと同一である。
【０２３４】
回転初期の励磁パターンＭに該当する図４３の回転初期用テーブルは第１加速期間ＴＡ１に２つの無励磁期間が設定されている点で回転初期の励磁パターンＡに該当する図２５の回転初期用テーブルと相違している。図４３の回転初期用テーブルでは、３番目（切替順序３）及び５番目（切替順序５）に１番目（切替順序１）と同一の２相励磁が設定されているとともに、２番目（切替順序２）及び４番目（切替順序４）に無励磁期間が設けられている。１番目及び３番目の２相励磁の励磁期間は１割込み分であり、５番目の２相励磁の励磁期間は１７割込み分である。また、２番目の無励磁期間は３割込み分であり、４番目の無励磁期間は４割込み分である。図４３の回転初期用テーブルにおける第１加速期間ＴＡ１に設定されている２相励磁の励磁期間の合計は、図２５の回転初期用テーブルにおける第１加速期間ＴＡ１の１番目（切替順序１）及び３番目（切替順序３）に設定されている２相励磁の励磁期間の合計と同一であり、具体的には１９割込み分である。また、図４３の回転初期用テーブルにおける第１加速期間ＴＡ１の２番目（切替順序２）及び４番目（切替順序４）に設定されている無励磁期間の合計は、図２５の回転初期用テーブルにおける第１加速期間ＴＡ１の２番目（切替順序２）に設定されている無励磁期間と同一であり、具体的には７割込み分である。そして、図４３の回転初期用テーブルにおける第２加速期間ＴＡ２及び定速回転期間ＴＢ１における励磁パターンは、図２５の回転初期用テーブルにおける第２加速期間ＴＡ２及び定速回転期間ＴＢ１における励磁パターンと同一である。
【０２３５】
図４４に示すように、回転初期の励磁パターンＣ、回転初期の励磁パターンＩ、及び回転初期の励磁パターンＫについては回転初期における見た目上の揺れが確認され、加速の滑らかさが「不良」であった。回転初期の励磁パターンＣについては第１加速期間ＴＡ１に無励磁期間が設定されておらず初期励磁として２相励磁が３２割込み分に亘って維持されることにより回転開始時に付与される回転トルクが大きくなり過ぎてしまい、３２割込み分の励磁期間では初期の回転揺れを十分に抑制できないものと考えられる。また、回転初期の励磁パターンＩについては初期励磁（切替順序１）として２相励磁よりも励磁力が弱い１相励磁が設定されていることに起因して回転開始時に付与される回転トルクが小さいものとなっている。そして、初期励磁が行われた後、無励磁期間を挟んで行われる３番目（切替順序３）の相励磁が初期励磁と同一の１相励磁ではなく２相励磁に切り替わるため、当該３番目に設定されている１７割込み分の励磁期間では初期の回転揺れを十分に抑制できないものと考えれれる。また、回転初期の励磁パターンＫについては第１加速期間ＴＡ１において無励磁期間を挟んで２相励磁よりも励磁力が弱い１番目（切替順序１）及び３番目（切替順序３）の１相励磁が行われた後に行われる４番目（切替順序４）の２相励磁の励磁期間が８割込み分と短いため、初期の回転揺れを十分に抑制できないものと考えられる。
【０２３６】
一方、回転初期の励磁パターンＦ、回転初期の励磁パターンＨ、及び回転初期の励磁パターンＭについては加速の滑らかさが「普通」であった。具体的には、回転初期における見た目上の揺れがほとんど確認されず、これら回転初期の励磁パターンＦ、回転初期の励磁パターンＨ、及び回転初期の励磁パターンＭにおけるリール３２Ｌ，３２Ｍ，３２Ｒの回転は見た目上の違和感を生じさせないものであった。また、回転初期の励磁パターンＡ、回転初期の励磁パターンＢ、回転初期の励磁パターンＤ、回転初期の励磁パターンＥ、回転初期の励磁パターンＧ、回転初期の励磁パターンＪ、及び回転初期の励磁パターンＬの場合、回転初期における見た目上の揺れは見られず、加速の滑らかさは「良好」であった。
【０２３７】
初期励磁（切替順序１）として２相励磁が行われ、切替順序２の無励磁期間を挟んで初期励磁と同一の２相励磁（切替順序３）が行われる構成の場合、回転初期の励磁パターンＡ、回転初期の励磁パターンＢ、回転初期の励磁パターンＤ、回転初期の励磁パターンＥ、回転初期の励磁パターンＦ、回転初期の励磁パターンＧ、及び回転初期の励磁パターンＨの結果から、初期励磁の２相励磁の励磁期間として１割込み分〜４割込み分の期間が設定されており、無励磁期間として１割込み分〜７割込み分の期間が設定されており、切替順序３の２相励磁の励磁期間として１０割込み分〜１７割込み分の期間が設定されていることにより、リール３２Ｌ，３２Ｍ，３２Ｒの停止位置に関係なく初期の回転揺れを抑えることができることが分かった。このうち、回転初期の励磁パターンＡ、回転初期の励磁パターンＢ、回転初期の励磁パターンＤ、回転初期の励磁パターンＥ、及び回転初期の励磁パターンＧの結果から、初期励磁の２相励磁の励磁期間として１割込み分〜４割込み分の期間が設定されており、無励磁期間として４割込み分〜７割込み分の期間が設定されており、切替順序３の２相励磁の励磁期間として１４割込み分〜１７割込み分の期間が設定されていることにより、リール３２Ｌ，３２Ｍ，３２Ｒの停止位置に関係なく初期の回転揺れを十分に抑えることができることが分かった。
【０２３８】
初期励磁（切替順序１）として１相励磁が行われ、切替順序２の無励磁期間を挟んで切替順序３の２相励磁が行われる構成の場合、回転初期の励磁パターンＪの結果から、切替順序３の２相励磁の励磁期間として４０割込み分以上の期間が設定されていることにより、リール３２Ｌ，３２Ｍ，３２Ｒの停止位置に関係なく初期の回転揺れを十分に抑えることができることが分かった。
【０２３９】
初期励磁（切替順序１）として１相励磁が行われ、切替順序２の無励磁期間を挟んで切替順序３の１相励磁が行われる構成の場合、回転初期の励磁パターンＬの結果から、切替順序３の２相励磁の励磁期間として１００割込み分以上の期間が設定されていることにより、リール３２Ｌ，３２Ｍ，３２Ｒの停止位置に関係なく初期の回転揺れを十分に抑えることができることが分かった。
【０２４０】
また、回転初期の励磁パターンＭ（図４３）の結果から、初期励磁として切替順序１の２相励磁が行われ、切替順序２の無励磁期間を挟んで初期励磁と同一の切替順序３の２相励磁が行われ、さらに切替順序４の無励磁期間を挟んで切替順序５の２相励磁が行われる構成としてもリール３２Ｌ，３２Ｍ，３２Ｒの停止位置に関係なく初期の回転揺れを抑えることができることが分かった。
【０２４１】
＜定速回転期間ＴＢ１の初期の評価＞
実施例１について、図２２に示すような励磁順テーブル及び図２５に示すような加速用テーブルを利用して図２６〜図３０に示すような制御処理を行う第２試験Ａ〜Ｄを実施した。また、実施例１について、図２２に示すような励磁順テーブル及び図４５に示すような回転初期用テーブルを利用して図２６〜図３０に示すような制御処理を行う比較試験Ａ〜Ｄを実施した。第２試験Ａ〜Ｄ及び比較試験Ａ〜Ｄでは、左リール３２Ｌについて画像撮影及び画像解析を行うことで左リール３２Ｌの回転速度を測定し、定速回転期間ＴＢ１の初期におけるオーバーシュートの大小、及び加速期間ＴＡが終了してから左リール３２Ｌの回転速度が設定値（８０ｒｐｍ）に収束するまでに要する収束時間の長短について評価を行った。第２試験Ａ及び比較試験ＡではＡ相励磁（１相励磁）で停止させたステッピングモータ３３に対して初期励磁としてＡＢ相励磁（２相励磁）を行い、第２試験Ｂ及び比較試験ＢではＢ相励磁（１相励磁）で停止させたステッピングモータ３３に対して初期励磁としてＡＢ相励磁（２相励磁）を行い、第２試験Ｃ及び比較試験Ｃでは逆Ａ相励磁（１相励磁）で停止させたステッピングモータ３３に対して初期励磁としてＡＢ相励磁（２相励磁）を行い、第２試験Ｄ及び比較試験Ｄでは逆Ｂ相励磁（１相励磁）で停止させたステッピングモータ３３に対して初期励磁としてＡＢ相励磁（２相励磁）を行った。第２試験Ａ〜Ｄの結果を図４６に示すとともに、比較試験Ａ〜Ｄの結果を図４７に示す。
【０２４２】
図４５の回転初期用テーブルは、３３番目（切替順序３３）の２相励磁の励磁期間として２割込み分ではなく１割込み分が設定されている点で図２５の回転初期用テーブルとは相違し、その他の点は図２５の回転初期用テーブルと同一である。図４５の回転初期用テーブルを利用して実施した比較試験Ａ〜Ｄでは、従来の回転初期用テーブルと同様に、加速期間ＴＡの終了後に１割込み分に亘る１相励磁と１割込み分に亘る２相励磁とが交互に繰り返される。図４７に示すように、比較試験Ａ〜Ｄでは、定速回転期間ＴＢ１の初期に左リール３２Ｌの回転速度が設定値（８０ｒｐｍ）の約１．３１倍（１０５ｒｐｍ）まで上がるオーバーシュートが発生した。図４７に示すように、左リール３２Ｌの回転速度は、加速期間ＴＡが終了してから３回目の２相励磁（３３番目（切替順序３３）の２相励磁）の励磁期間が終了した後であるｔ＝１２５〜１３１ｍｓｅｃのタイミングにおいて設定値（８０ｒｐｍ）に到達し、加速期間ＴＡが終了してから７回目の２相励磁（４１番目（切替順序４１）の２相励磁）の励磁期間が終了した後であるｔ＝１３８〜１４１ｍｓｅｃのタイミングで最大値に到達した。加速期間ＴＡが終了してから左リール３２Ｌの回転速度の減衰振動が収まり回転速度が設定値に収束するまでに要する収束時間ＴＣは約２４６ｍｓｅｃ（約１６７割込み分）であった。
【０２４３】
これに対して、図４６に示すように、図２５の回転初期用テーブルを利用して実施した第２試験Ａ〜Ｄでは、加速期間ＴＡの終了後におけるオーバーシュート発生時の左リール３２Ｌの回転速度は設定値（８０ｒｐｍ）の約１．０４倍（８３ｒｐｍ）に抑えられた。また、加速期間ＴＡが終了してから左リール３２Ｌの回転速度が設定値に収束するまでに要する収束時間ＴＣは約１１１ｍｓｅｃ（約７４割込み分）に短縮された。図２５の回転初期用テーブルを利用する場合、左リール３２Ｌの回転速度が最初に設定値（８０ｒｐｍ）に到達する直前のタイミング（ｔ＝１２２ｍｓｅｃ）において行われる３３番目（切替順序３３）の２相励磁の励磁期間が１割込み分ではなく２割込み分と長いことによりオーバーシュートが発生する直前でリール３２Ｌ，３２Ｍ，３２Ｒの加速傾斜が緩和される。これにより、オーバーシュート発生時に到達する回転速度の最大値が抑えることができる。また、左リール３２Ｌの回転速度の最大値と回転速度の設定値（８０ｒｐｍ）との差が小さくなることにより、回転速度を当該最大値から早期に設定値に収束させることができたと考えられる。これにより、収束時間ＴＣが短縮された。
【０２４４】
＜定速回転期間ＴＢ１の初期の励磁パターンを変化させた場合の評価＞
上記実施例１について、図２５、図４８〜図５５に示すような各回転初期用テーブルを設定し、それぞれの場合について、図２２に示すような励磁順テーブルを利用して図２６〜図３０に示すような制御処理を行い、左リール３２Ｌの回転速度の最大値、及び加速期間ＴＡが終了してから左リール３２Ｌの回転速度が設定値（８０ｒｐｍ）に収束するまでに要する収束時間ＴＣの長さを評価した。その結果を図５６に示す。図５６において回転初期の励磁パターンＡは図２５に示す回転初期用テーブルを利用した場合に該当し、回転初期の励磁パターンＮは図４８に示す回転初期用テーブルを利用した場合に該当し、回転初期の励磁パターンＯは図４９に示す回転初期用テーブルを利用した場合に該当し、回転初期の励磁パターンＰは図５０に示す回転初期用テーブルを利用した場合に該当し、回転初期の励磁パターンＱは図５１に示す回転初期用テーブルを利用した場合に該当し、回転初期の励磁パターンＲは図５２に示す回転初期用テーブルを利用した場合に該当し、回転初期の励磁パターンＳは図５３に示す回転初期用テーブルを利用した場合に該当し、回転初期の励磁パターンＴは図５４に示す回転初期用テーブルを利用した場合に該当し、回転初期の励磁パターンＵは図５５に示す回転初期用テーブルを利用した場合に該当する。
【０２４５】
回転初期の励磁パターンＮに該当する図４８の回転初期用テーブルを利用する駆動制御の励磁パターンは、３３番目（切替順序３３）の２相励磁の励磁期間が２割込み分ではなく３割込み分である点で回転初期の励磁パターンＡに該当する図２５の回転初期用テーブルを利用する駆動制御の励磁パターンと相違し、その他の点は図２５の回転初期用テーブルを利用する駆動制御の励磁パターンと同一である。回転初期の励磁パターンＯに該当する図４９の回転初期用テーブルを利用する駆動制御の励磁パターンは、３３番目（切替順序３３）の２相励磁の励磁期間が２割込み分ではなく５割込み分である点で回転初期の励磁パターンＡに該当する図２５の回転初期用テーブルを利用する駆動制御の励磁パターンと相違し、その他の点は図２５の回転初期用テーブルを利用する駆動制御の励磁パターンと同一である。回転初期の励磁パターンＰに該当する図５０の回転初期用テーブルを利用する駆動制御の励磁パターンは、３３番目（切替順序３３）の２相励磁の励磁期間が２割込み分ではなく１２割込み分である点で回転初期の励磁パターンＡに該当する図２５の回転初期用テーブルを利用する駆動制御の励磁パターンと相違し、その他の点は図２５の回転初期用テーブルを利用する駆動制御の励磁パターンと同一である。
【０２４６】
回転初期の励磁パターンＱに該当する図５１の回転初期用テーブルを利用する駆動制御の励磁パターンは、３３番目（切替順序３３）の２相励磁の励磁期間が２割込み分ではなく１割込み分であるとともに３２番目（切替順序３２）の１相励磁の励磁期間が１割込み分ではなく２割込み分である点で回転初期の励磁パターンＡに該当する図２５の回転初期用テーブルを利用する駆動制御の励磁パターンと相違し、その他の点は図２５の回転初期用テーブルを利用する駆動制御の励磁パターンと同一である。回転初期の励磁パターンＲに該当する図５２の回転初期用テーブルを利用する駆動制御の励磁パターンは、３３番目（切替順序３３）の２相励磁の励磁期間が２割込み分ではなく１割込み分であるとともに３１番目（切替順序３１）の２相励磁の励磁期間が１割込み分ではなく２割込み分である点で回転初期の励磁パターンＡに該当する図２５の回転初期用テーブルを利用する駆動制御の励磁パターンと相違し、その他の点は図２５の回転初期用テーブルを利用する駆動制御の励磁パターンと同一である。回転初期の励磁パターンＳに該当する図５３の回転初期用テーブルを利用する駆動制御の励磁パターンは、３３番目（切替順序３３）の２相励磁の励磁期間が２割込み分ではなく１割込み分であるとともに４１番目（切替順序４１）の２相励磁の励磁期間が１割込み分ではなく２割込み分である点で回転初期の励磁パターンＡに該当する図２５の回転初期用テーブルを利用する駆動制御の励磁パターンと相違し、その他の点は図２５の回転初期用テーブルを利用する駆動制御の励磁パターンと同一である。
【０２４７】
回転初期の励磁パターンＴに該当する図５４の回転初期用テーブルを利用する駆動制御の励磁パターンは、３３番目（切替順序３３）の２相励磁の励磁期間が２割込み分ではなく１割込み分であるとともに６７番目（切替順序６７）の２相励磁の励磁期間が１割込み分ではなく２割込み分である点で回転初期の励磁パターンＡに該当する図２５の回転初期用テーブルを利用する駆動制御の励磁パターンと相違し、その他の点は図２５の回転初期用テーブルを利用する駆動制御の励磁パターンと同一である。回転初期の励磁パターンＵに該当する図５５の回転初期用テーブルを利用する駆動制御の励磁パターンは、４７番目（切替順序４７）の２相励磁の励磁期間が１割込み分ではなく２割込み分である点で回転初期の励磁パターンＡに該当する図２５の回転初期用テーブルを利用する駆動制御の励磁パターンと相違し、その他の点は図２５の回転初期用テーブルを利用する駆動制御の励磁パターンと同一である。
【０２４８】
図５６に示すように、回転初期の励磁パターンＰについては左リール３２Ｌの回転速度の最大値が低減されない結果であるとともに、収束時間ＴＣが短縮されない結果となった。具体的には、左リール３２Ｌの回転速度の最大値は、図４５の回転初期用テーブルを利用して行った比較試験Ａ〜Ｄ（図４７参照）における左リール３２Ｌの回転速度の最大値と同程度の値であるとともに、収束時間ＴＣは、比較試験Ａ〜Ｄ（図４７参照）における収束時間ＴＣと同程度の長さであった。回転初期の励磁パターンＰを利用した試験では、３３番目（切替順序３３）の２相励磁が１２割込み分に亘って維持されることによりリール３２Ｌ，３２Ｍ，３２Ｒが大きく減速した後、再び回転速度の設定値（８０ｒｐｍ）に向かって左リール３２Ｌの加速傾斜が急なものとなったことによりオーバーシュート発生時における左リール３２Ｌの回転速度の最大値が低減されなかったと考えられる。また、３３番目（切替順序３３）の２相励磁が１２割込み分に亘って維持されてリール３２Ｌ，３２Ｍ，３２Ｒが大きく減速したことによりオーバーシュートが発生するタイミングが遅れたこと、及びオーバーシュート発生時における回転速度の最大値が十分に抑えられなかったことに起因して、収束時間ＴＣが短縮されなかったと考えられる。
【０２４９】
図５６に示すように、回転初期の励磁パターンＴについては左リール３２Ｌの回転速度の最大値が低減されない結果であるとともに、収束時間ＴＣの短縮効果が中程度である結果となった。具体的には、左リール３２Ｌの回転速度の最大値は、比較試験Ａ〜Ｄ（図４７参照）における左リール３２Ｌの回転速度の最大値と同程度の値であった。また、収束時間ＴＣは、比較試験Ａ〜Ｄ（図４７参照）における収束時間ＴＣよりも短く、図２５の回転初期用テーブルを利用して行った第２試験Ａ〜Ｄ（図４６参照）における収束時間ＴＣよりも長い時間であった。回転初期の励磁パターンＴ（図５４）における６７番目（切替順序６７）の２相励磁が行われるタイミングは、図４７においてｔ＝１７３ｍｓｅｃに対応するタイミングである。回転初期の励磁パターンＴについては、２相励磁の励磁期間が２割込み分となるタイミングがオーバーシュートの発生後であることによりオーバーシュート発生時にける左リール３２Ｌの回転速度の最大値が低減されなかった。一方、オーバーシュートが発生した後、左リール３２Ｌの回転速度が設定値（８０ｒｐｍ）に収束していく減衰振動中であって左リール３２Ｌの回転速度が増加している途中のタイミングで２相励磁の励磁期間が２割込み分となって左リール３２Ｌの加速傾斜が緩和されたことにより、収束時間ＴＣが短縮されたものと考えられる。
【０２５０】
図５６に示すように、回転初期の励磁パターンＱについては左リール３２Ｌの回転速度の最大値が中程度に低減される結果であるとともに、収束時間ＴＣの短縮効果が中程度である結果となった。具体的には、左リール３２Ｌの回転速度の最大値は、比較試験Ａ〜Ｄ（図４７参照）における左リール３２Ｌの回転速度の最大値よりも小さく、第２試験Ａ〜Ｄ（図４６参照）における左リール３２Ｌの回転速度の最大値よりも大きい値であった。また、収束時間ＴＣは、比較試験Ａ〜Ｄ（図４７参照）における収束時間ＴＣよりも短く、第２試験Ａ〜Ｄ（図４６参照）における収束時間ＴＣよりも長い時間であった。回転初期の励磁パターンＱについては、左リール３２Ｌの回転速度が最初に設定値（８０ｒｐｍ）に到達する直前のタイミングで１相励磁の励磁期間が２割込み分となることにより左リール３２Ｌの加速傾斜が緩和された。しかし、２相励磁よりも回転トルクの小さい１相励磁の励磁期間が２割込み分となる構成であることにより左リール３２Ｌの加速傾斜の緩和効果が限定的であったことに起因して、左リール３２Ｌの回転速度の最大値が中程度に低減されたものと考えられる。また、左リール３２Ｌの回転速度の最大値が中程度に低減されて当該最大値と設定値（８０ｒｐｍ）との差が小さくなったことに起因して、収束時間ＴＣが短縮されたものと考えられる。
【０２５１】
回転初期の励磁パターンＯについては回転速度の最大値が低減される結果であるとともに、収束時間ＴＣの短縮効果が中程度である結果となった。具体的には、左リール３２Ｌの回転速度の最大値は、第２試験Ａ〜Ｄ（図４６参照）における左リール３２Ｌの回転速度の最大値と同程度の値であった。また、収束時間ＴＣは、比較試験Ａ〜Ｄ（図４７参照）における収束時間ＴＣよりも短く、第２試験Ａ〜Ｄ（図４６参照）における収束時間ＴＣよりも長い時間であった。また、回転初期の励磁パターンＳについては左リール３２Ｌの回転速度の最大値が中程度に低減される結果であるとともに、収束時間ＴＣが短縮される結果となった。具体的には、左リール３２Ｌの回転速度の最大値は、比較試験Ａ〜Ｄ（図４７参照）における左リール３２Ｌの回転速度の最大値よりも小さく、第２試験Ａ〜Ｄ（図４６参照）における左リール３２Ｌの回転速度の最大値よりも大きい値であった。また、収束時間ＴＣは、第２試験Ａ〜Ｄ（図４６参照）における収束時間ＴＣと同程度の長さであった。そして、回転初期の励磁パターンＡ、回転初期の励磁パターンＮ、回転初期の励磁パターンＲ、及び回転初期の励磁パターンＵの場合、回転速度の最大値が低減される結果であるとともに、収束時間ＴＣが短縮される結果となった。具体的には、左リール３２Ｌの回転速度の最大値は、第２試験Ａ〜Ｄ（図４６参照）における左リール３２Ｌの回転速度の最大値と同程度の値であった。また、収束時間ＴＣは、第２試験Ａ〜Ｄ（図４６参照）における収束時間ＴＣと同程度の長さであった。
【０２５２】
回転初期の励磁パターンＡ、回転初期の励磁パターンＮ、回転初期の励磁パターンＯ、回転初期の励磁パターンＲ、及び回転初期の励磁パターンＳの結果から、３１番目（切替順序３１）〜４１番目（切替順序４１）のいずれかのタイミングにおける２相励磁の励磁期間を２割込み分〜５割込み分の期間とすることにより、左リール３２Ｌの回転速度を早期に設定値（８０ｒｐｍ）に収束させることができることが分かった。第２加速期間ＴＡ２の終了後、左リール３２Ｌの回転速度が最大値に向かって増大しているタイミングにおいて左リール３２Ｌの加速傾斜が緩和されて回転速度の減衰振動の振幅が減少したことにより、収束時間ＴＣが短縮されたと考えられる。
【０２５３】
このうち、回転初期の励磁パターンＡ、回転初期の励磁パターンＮ、回転初期の励磁パターンＲ、及び回転初期の励磁パターンＳの結果から、３１番目（切替順序３１）〜４１番目（切替順序４１）のいずれかのタイミングにおける２相励磁の励磁期間を２割込み分〜３割込み分の期間とすることにより、収束時間ＴＣを効果的に短縮することができることが分かった。
【０２５４】
また、回転初期の励磁パターンＡ、回転初期の励磁パターンＮ、回転初期の励磁パターンＯ、及び回転初期の励磁パターンＲの結果から、３１番目（切替順序３１）又は３３番目（切替順序３３）のタイミングにおける２相励磁の励磁期間を２割込み分〜５割込み分の期間とすることにより、左リール３２Ｌの回転速度の最大値を効果的に低減して収束時間ＴＣを短縮することができることが分かった。加速期間ＴＡの終了後、左リール３２Ｌの回転速度が最初に設定値（８０ｒｐｍ）に到達する直前のタイミングにおいて左リール３２Ｌの回転速度が低減されたことにより、回転速度の最大値が効果的に低減されたと考えられる。そして、左リール３２Ｌの回転速度の最大値が低減されて当該最大値と設定値との差が小さくなったことにより収束時間ＴＣが短縮されたと考えられる。
【０２５５】
回転初期の励磁パターンＵ（図５５）の結果から、励磁期間を１割込み分の期間よりも長い期間とするタイミングを複数（２つ）設定する構成としても左リール３２Ｌの回転速度の最大値を低減することができるとともに収束時間ＴＣを短縮することができることが分かった。回転初期の励磁パターンＵでは、３３番目（切替順序３３）の２相励磁の励磁期間が２割込み分であることにより左リール３２Ｌの回転速度の最大値が低減されたと考えられる。また、４７番目（切替順序４７）の２相励磁の励磁期間が２割込み分であることにより回転速度の減衰振動中であって回転速度が増加しているタイミングで回転速度の加速傾斜が緩和され、収束時間ＴＣが短縮されたと考えられる。
【０２５６】
以上詳述した本実施形態によれば、以下の優れた効果を奏する。
【０２５７】
第１加速期間ＴＡ１には、ステッピングモータ３３に対して何ら励磁が行われない無励磁状態とする無励磁期間が設定されている。これにより、回転開始時に付与される回転トルクが大きくなり過ぎることを防止することが可能となっている。
【０２５８】
無励磁期間（切替順序２）の前に初期励磁（切替順序１）として２相励磁が行われる。初期励磁として１相励磁よりも励磁力の強い２相励磁を行うことにより、リール３２Ｌ，３２Ｍ，３２Ｒの回転を開始させるために必要な回転トルクを与えることができる。
【０２５９】
無励磁期間（切替順序２）の後に初期励磁（切替順序１）と同一の２相励磁が行われる。これにより、切替順序３の２相励磁の励磁期間を短いものとしながら当該２相励磁（切替順序３）の励磁期間中に初期の回転揺れを消失させて次の１相励磁（切替順序４）に移ることが可能となる。
【０２６０】
初期励磁としての２相励磁の励磁期間は、１割込み分〜４割込み分の期間であることが好ましく、より好ましくは１割込み分〜２割込み分の期間である。初期励磁対象である２相励磁の励磁期間を１割込み分〜４割込み分の期間とすることによりリール３２Ｌ，３２Ｍ，３２Ｒの回転初期に与えられる回転トルクが大きくなり過ぎることを防止しながらリール３２Ｌ，３２Ｍ，３２Ｒの回転を開始させるために必要な回転トルクを与えることが可能となる。
【０２６１】
初期励磁（切替順序１）後の無励磁期間（切替順序２）は、１割込み分〜１５割込み分の期間であることが好ましく、より好ましくは４割込み分〜１０割込み分の期間である。無励磁期間として１割込み分以上の期間が設定されていることにより初期の回転揺れを抑えることができる。また、無励磁期間として４割込み分以上の期間が設定されていることにより、リール３２Ｌ，３２Ｍ，３２Ｒの回転速度を十分に緩めて初期の回転揺れを小さいものとすることができる。そして、無励磁期間として４割込み分〜１０割込み分の期間が設定されていることにより、初期の回転揺れを小さいものとすることを可能としながら、第１加速期間ＴＡ１を短縮することができる。
【０２６２】
無励磁期間（切替順序２）後の２相励磁（切替順序３）の励磁期間は、１０割込み分〜２５割込み分の期間であることが好ましく、より好ましくは１４割込み分〜２０割込み分の期間である。切替順序３の２相励磁の励磁期間として１０割込み分以上の期間が設定されていることにより初期の回転揺れを抑えることができる。また、切替順序３の２相励磁の励磁期間として１４割込み分以上の期間が設定されていることにより、初期の回転揺れを消失させることを可能とすることができる。そして、切替順序３の２相励磁の励磁期間が２０割込み分以下の期間抑えられていることにより、第１加速期間ＴＡ１を短いものとしてリール３２Ｌ，３２Ｍ，３２Ｒを早期に加速させることが可能となっている。
【０２６３】
第１加速期間ＴＡ１において、初期励磁として２相励磁を設定し、３番目（切替順序３）及び５番目（切替順序５）に初期励磁と同一の２相励磁を設定するとともに、２番目（切替順序２）及び４番目（切替順序４）に無励磁期間を設定することにより第１加速期間ＴＡ１中にリール３２Ｌ，３２Ｍ，３２Ｒの回転速度が上がり過ぎることを防止して初期の回転揺れを小さいものとすることができる。これにより、リール３２Ｌ，３２Ｍ，３２Ｒを滑らかに加速させることが可能となる。
【０２６４】
リール３２Ｌ，３２Ｍ，３２Ｒの停止制御では、４相励磁が行われた後に１相励磁が行われる。そして、リール３２Ｌ，３２Ｍ，３２Ｒの加速制御では、停止制御の最後に行われた１相励磁に連続する２相励磁が初期励磁として行われる。リール３２Ｌ，３２Ｍ，３２Ｒの停止制御の最後に行われる１相励磁と次の加速制御にて行われる２相励磁とが連続的な関係にあることにより、回転初期に脱調が発生することを防止し、リール３２Ｌ，３２Ｍ，３２Ｒを円滑に加速させることができる。
【０２６５】
基本的に１割込み分に亘る１相励磁と１割込み分に亘る２相励磁とを交互に繰り返してリール３２Ｌ，３２Ｍ，３２Ｒを定速回転させる定速回転期間ＴＢ１において、１相励磁及び２相励磁の励磁期間のうち一部の相励磁の励磁期間を１割込み分の期間よりも長い期間とすることにより、リール３２Ｌ，３２Ｍ，３２Ｒの加速傾斜を緩和することができるとともに、回転速度の最大値を低減することができる。これにより、第２加速期間ＴＡ２が終了してからリール３２Ｌ，３２Ｍ，３２Ｒの回転速度が設定値に収束するまでに要する収束時間ＴＣを短縮することができるとともに、リール３２Ｌ,３２Ｍ，３２Ｒの回転を滑らかなものとすることができる。
【０２６６】
定速回転期間ＴＢ１において、１相励磁よりも回転トルクの大きい一部の２相励磁の励磁期間を１割込み分よりも長い期間とすることにより、リール３２Ｌ，３２Ｍ，３２Ｒの加速傾斜を効率的に緩和させることができるとともに、リール３２Ｌ，３２Ｍ，３２Ｒの回転速度の最大値を低減することができる。
【０２６７】
定速回転期間ＴＢ１においてリール３２Ｌ，３２Ｍ，３２Ｒの加速傾斜を緩和すべく２相励磁の励磁期間を２割込み分以上の期間とするタイミングは、３１番目（切替順序３１）〜４１番目（切替順序４１）のいずれかのタイミングであることが好ましく、より好ましくは３１番目（切替順序３１）又は３３番目（切替順序３３）のタイミングである。３１番目〜４１番目のいずれかのタイミングにおける２相励磁の励磁期間を２割込み分〜５割込み分の期間とすることにより、第２加速期間ＴＡ２の終了後、リール３２Ｌ，３２Ｍ，３２Ｒの回転速度が最大値に向かって増大しているタイミングにおいて回転速度を減少させて回転速度の減衰振動の振幅を減少させることができる。これにより、早期に回転速度を設定値（８０ｒｐｍ）に収束させることが可能となる。また、３１番目又は３３番目のタイミングにおける２相励磁の励磁期間を２割込み分〜５割込み分の期間とすることにより、リール３２Ｌ，３２Ｍ，３２Ｒの回転速度が最初に設定値（８０ｒｐｍ）に到達する直前のタイミングにおいてリール３２Ｌ，３２Ｍ，３２Ｒを減速させて、回転速度の最大値を低減することができる。これにより、リール３２Ｌ，３２Ｍ，３２Ｒの加速期間ＴＡから定速期間ＴＢへの遷移を円滑なものとすることができるとともに、早期にリール３２Ｌ，３２Ｍ，３２Ｒの回転速度を設定値に収束させることができる。
【０２６８】
３１番目（切替順序３１）〜４１番目（切替順序４１）のいずれかのタイミングで行われる２相励磁の励磁期間は２割込み分〜５割込み分の期間であることが好ましく、より好ましくは２割込み分〜３割込み分の期間である。３１番目（切替順序３１）〜４１番目（切替順序４１）のいずれかのタイミングで行われる２相励磁の励磁期間を２割込み分〜３割込み分の期間とすることにより、収束時間ＴＣを効果的に短縮することができる。
【０２６９】
＜他の実施形態＞
なお、上述した実施形態の記載内容に限定されず、本発明の趣旨を逸脱しない範囲内で種々の変形改良が可能である。例えば以下のように変更してもよい。ちなみに、以下の別形態の構成を、上記実施形態の構成に対して、個別に適用してもよく、組合せて適用してもよい。
【０２７０】
（１）定速回転期間ＴＢ１において２相励磁の励磁期間を１割込み分ではなく２割込み分の期間とするタイミングを把握可能とする処理構成を備えている構成としてもよい。本構成における回転初期用テーブルには、加速期間ＴＡ（第１加速期間ＴＡ１及び第２加速期間ＴＡ２）におけるステッピングモータ３３の励磁パターンのみが設定されている。具体的には、本構成における回転初期用テーブルには、上記第１の実施形態における回転初期用テーブル（図２５）の切替順序１〜切替順序２７の励磁パターンのみが設定されている。
【０２７１】
回転開始処理（図２７）のステップＳ９０２〜ステップＳ９０４では、各リール３２Ｌ，３２Ｍ，３２Ｒの回転初期カウンタ７４ａに「２７」が設定される。主側ＲＡＭ７４には、定速回転期間ＴＢ１において２相励磁の励磁期間として２割込み分の期間を設定するタイミングを特定可能とする期間変更カウンタが設けられている。期間変更カウンタは、各リール３２Ｌ，３２Ｍ，３２Ｒのそれぞれに対して１対１で対応させて設けられている。主側ＭＰＵ７２は、回転初期カウンタ７４ａの値が「０」となり第２加速期間ＴＡ２が終了した場合に期間変更カウンタに「６」を設定する。
【０２７２】
主側ＭＰＵ７２は、モータ制御処理（図２９）において、ステッピングモータ３３における相励磁の切り替えタイミングとなる度に期間変更カウンタの値を１減算し、期間変更カウンタの値が「０」となったことに基づいて、２相励磁の励磁期間として２割込み分の期間を設定すべきタイミングであることを特定する。主側ＭＰＵ７２は、期間変更カウンタの値が１以上である場合、又は期間変更カウンタの値が既に「０」である場合には切替カウンタ７４ｂに「１」を設定する。一方、主側ＭＰＵ７２は、１減算後の期間変更カウンタの値が「０」となった場合には切替カウンタ７４ｂに「２」を設定する。これにより、図２５の回転初期用テーブルにおける切替順序３３と同一のタイミングで行われる２相励磁の励磁期間を２割込み分の期間とすることができる。
【０２７３】
本構成では、回転初期用テーブルに設定されているステッピングモータ３３の励磁パターンを加速期間ＴＡにおける励磁パターンのみとすることができるため、主側ＲＯＭ７３において回転初期用テーブルを記憶しておくための記憶容量を低減することができる。
【０２７４】
（２）上記第１の実施形態において回転初期用テーブル（図２５）の１番目（切替順序１）と３番目（切替順序３）との間に無励磁期間に代えて１相励磁より回転トルクが弱い４相励磁の励磁期間が設定されている構成としてもよい。第１加速期間ＴＡ１において、初期励磁として２相励磁が行われた後、４相励磁の励磁期間を挟んで再び初期励磁と同一の２相励磁が行われる構成としても回転開始時に付与される回転トルクが大きくなり過ぎることを防止することができる。
【０２７５】
（３）上記第１の実施形態において回転初期用テーブルの初期励磁として２相励磁が設定されている構成に代えて、２相励磁よりも回転トルクが小さいものの１相励磁よりも回転トルクが大きい３相励磁が設定されている構成としてもよい。例えば、第１加速期間ＴＡ１において、初期励磁として３相励磁が行われた後、無励磁期間を挟んで再び初期励磁と同一の３相励磁が行われる構成としてもよい。また、第１加速期間ＴＡ１において、初期励磁として３相励磁が行われた後、１相励磁よりも回転トルクが小さい４相励磁の励磁期間を挟んで再び初期励磁と同一の３相励磁が行われる構成としてもよい。
【０２７６】
（４）上記第１の実施形態において第１加速期間ＴＡ１の無励磁期間の前後に行われる相励磁は同一の２相励磁に限定されない。例えば、初期励磁として２相励磁が行われた後、無励磁期間を挟んで３相励磁が行われる構成としてもよく、初期励磁として３相励磁が行われた後、無励磁期間を挟んで２相励磁が行われる構成としてもよい。
【０２７７】
（５）上記第１の実施形態において定速期間ＴＢにおけるリール３２Ｌ，３２Ｍ，３２Ｒの回転速度の最大値を低減するための構成は、１割込み分の期間よりも長い期間に亘って１相励磁又は２相励磁が行われる構成に限定されない。リール３２Ｌ，３２Ｍ，３２Ｒの回転速度が最大値に到達する前のタイミングにおいて１相励磁よりも回転トルクが弱い４相励磁を行ってリール３２Ｌ，３２Ｍ，３２Ｒの加速傾斜を緩和する構成してもよく、当該タイミングにおいて一時的にステッピングモータ３３に対して何ら励磁が行われない無励磁の状態としてリール３２Ｌ，３２Ｍ，３２Ｒの加速傾斜を緩和する構成としてもよい。
【０２７８】
（６）上記第１の実施形態においてリール３２Ｌ，３２Ｍ，３２Ｒの回転制御を行う場合に２相励磁に代えて、当該２相励磁よりも回転トルクが小さいものの１相励磁よりも回転トルクが大きい３相励磁が行われる構成としてもよい。
【０２７９】
（７）１相励磁と２相励磁とが交互に行われている第２加速期間ＴＡ２の途中で、３相励磁又は４相励磁の励磁期間が単発的に発生する構成としてもよい。また、第２加速期間ＴＡ２の途中で、ステッピングモータ３３に対して何ら励磁が行われない無励磁期間が単発的に発生する構成としてもよい。
【０２８０】
（８）停止指令が発生した場合に４相励磁を開始させるタイミングは２相励磁が行われた後のタイミングに限定されない。例えば停止指令が発生した場合には定速期間ＴＢにおいて１相励磁が行われた後に停止用の４相励磁が開始される構成としてもよく、停止指令が発生した場合には直前に行われた相励磁の種類に関わらず４相励磁が開始される構成としてもよい。
【０２８１】
（９）リール３２Ｌ，３２Ｍ，３２Ｒの停止制御は、４相励磁を行った後、１相励磁を行うことで当該停止制御を終了する構成に限定されない。例えば、停止指令が発生した場合に４相励磁のみを所定期間に亘って行うことでリール３２Ｌ，３２Ｍ，３２Ｒの停止制御を終了する構成としてもよい。
【０２８２】
（１０）リール３２Ｌ，３２Ｍ，３２Ｒの回転制御の内容を、スロットマシン１０のリール３２Ｌ，３２Ｍ，３２Ｒ以外の回転体に適用してもよい。例えばパチンコ機に設けられたドラムなどの回転体の加速制御の内容として適用してもよく、演出用の回転体としてトランプを模した可動物が設けられている構成においては当該可動物の加速制御の内容として適用してもよい。
【０２８３】
（１１）リール３２Ｌ，３２Ｍ，３２Ｒの加速制御の内容を、リール３２Ｌ，３２Ｍ，３２Ｒが回転開始後において一旦停止した後に回転を開始する場合における加速制御の内容として利用してもよい。また、リール３２Ｌ，３２Ｍ，３２Ｒが完全には停止しておらずわずかに揺動している状況から回転を開始する場合における加速制御の内容として利用してもよい。
【０２８４】
（１２）有効ラインがメインラインＭＬの１本のみである構成に限定されることはなく、有効ラインが２本、３本又は４本以上である構成としてもよい。この場合、ベットされた遊技媒体の数が多いほど有効ラインの数が多くなる構成としてもよく、ベットされた遊技媒体の数とは無関係に最大数の有効ラインが設定される構成としてもよい。
【０２８５】
（１３）主側ＭＰＵ７２から演出側ＭＰＵ８２に送信される情報の種類は上記第１の実施形態におけるものに限定されることはなく、例えば遊技媒体の付与に対応する入賞が成立した場合、その入賞により付与される遊技媒体の数の情報が主側ＭＰＵ７２から演出側ＭＰＵ８２に送信される構成としてもよい。この場合、入賞により付与される遊技媒体の数の情報を画像表示装置６３などにおいて報知することが可能となる。また、全てのリール３２Ｌ，３２Ｍ，３２Ｒが停止していない状況であっても一部のリール３２Ｌ，３２Ｍ，３２Ｒの回転が停止される場合又は停止された場合に、それに対応する情報が主側ＭＰＵ７２から演出側ＭＰＵ８２に送信される構成としてもよい。この場合、リール３２Ｌ，３２Ｍ，３２Ｒの回転状況に対応する演出を画像表示装置６３などにおいて行うことが可能となる。
【０２８６】
（１４）上記第１の実施形態では、小役入賞が成立した場合にメダルを払い出す特典を付与する構成としたが、かかる構成に限定されるものではなく、遊技者に何らかの特典が付与される構成であればよい。例えば、小役入賞が成立した場合にメダル以外の賞品を払い出す構成であってもよい。また、現実のメダル投入やメダル払出機能を有さず、遊技者の所有するメダルをクレジット管理するスロットマシンにおいては、クレジットされたメダルの増加が特典の付与に相当する。
【０２８７】
（１５）本発明を所謂Ｂタイプのスロットマシンに適用してもよく、またＣタイプ、ＡタイプとＣタイプの複合タイプ、ＢタイプとＣタイプの複合タイプ、さらにはＲＴゲーム、ＣＴゲーム又はＡＴゲームを備えたタイプなど、どのようなスロットマシンにこの発明を適用してもよい。
【０２８８】
（１６）各リール３２Ｌ，３２Ｍ，３２Ｒの図柄としては、絵、数字、文字等に限らず、幾何学的な線や図形等であってもよい。また、光や色等によって図柄を構成することも可能であるし、立体的形状等によっても図柄を構成し得るし、これらを複合したものであっても図柄を構成し得る。即ち、図柄は識別性を有した情報としての機能を有するものであればよい。
【０２８９】
（１７）上記第１の実施形態では、スロットマシン１０について具体化した例を示したが、遊技媒体として遊技球を利用して遊技が行われるパチンコ機に対して適用してもよく、スロットマシンとパチンコ機とを融合した形式の遊技機に適用してもよい。
【０２９０】
＜上記各実施形態から抽出される発明群について＞
以下、上述した各実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。
【０２９１】
＜特徴Ａ群＞
特徴Ａ１．周回体（リール３２Ｌ，３２Ｍ，３２Ｒ）と、
前記周回体を回転させる駆動手段（ステッピングモータ３３）と、
前記駆動手段を駆動制御する駆動制御手段（主側ＭＰＵ７２における回転開始処理（図２７）及びステッピングモータ制御処理（図２８）を実行する機能）と、
を備え、
前記駆動手段は、励磁されることにより前記周回体を回転させるステッピングモータであり、
前記駆動制御手段は、前記駆動手段を励磁して前記周回体の回転を加速させる所定駆動制御（加速期間ＴＡの駆動制御）を行う所定駆動制御手段（主側ＭＰＵ７２におけるステップＳ１１０１〜ステップＳ１１０７及びステップＳ１１０９の処理を実行する機能、主側ＭＰＵ７２におけるステップＳ１２０１〜ステップＳ１２０８の処理を実行する機能）を備えており、
当該所定駆動制御手段は、前記所定駆動制御が行われる加速期間の途中で前記駆動手段に対して何ら励磁を行わない無励磁期間を発生させることを特徴とする遊技機。
【０２９２】
特徴Ａ１によれば、所定駆動制御が行われる加速期間の途中で無励磁期間を発生させることにより、回転初期に駆動手段に加えられる励磁力が強くなり過ぎてしまうことを防止することができる。これにより、周回体の初期の回転揺れを小さいものとすることが可能となるとともに、周回体の加速を円滑に行うことが可能となる。
【０２９３】
特徴Ａ２．前記所定駆動制御手段は、初期励磁として前記駆動手段に対して所定相励磁（２相励磁）を行った後、前記無励磁期間を発生させることを特徴とする特徴Ａ１に記載の遊技機。
【０２９４】
特徴Ａ２によれば、無励磁期間が初期励磁の次という早いタイミングに設定されていることにより、回転初期に駆動手段に加えられる励磁力が強くなり過ぎてしまうことを早期に回避することができる。
【０２９５】
特徴Ａ３．前記所定駆動制御手段が初期励磁として前記駆動手段に対して前記所定相励磁を行う期間は、前記駆動手段に対して励磁可能な期間における最短期間の４倍以下の期間（４割込み分以下の期間であり約６．０ｍｓｅｃ以下の期間）であることを特徴とする特徴Ａ２に記載の遊技機。
【０２９６】
特徴Ａ３によれば、初期励磁として行われる所定相励磁の励磁期間を励磁可能な期間における最短期間の４倍以下の期間とすることにより、回転初期に周回体に加えられる回転トルクが大きくなり過ぎることを防止することができるとともに、所定駆動制御に要する時間を短縮することができる。
【０２９７】
特徴Ａ４．前記所定駆動制御手段は、初期励磁として第１期間に亘って前記駆動手段に対して所定相励磁（２相励磁）を行った後、第２期間に亘って前記無励磁期間を発生させ、その後に第３期間に亘って前記駆動手段に対して前記初期励磁と同一の前記所定相励磁を行うことを特徴とする特徴Ａ１乃至Ａ３のいずれか１に記載の遊技機。
【０２９８】
特徴Ａ４によれば、初期励磁として第１期間に亘って行われる所定相励磁と第３期間に亘って行われる所定相励磁との間に無励磁期間が設定されていることにより、第１期間と第３期間との合計期間に亘って所定相励磁が連続的に行われる構成と比較して、周回体の初期の回転揺れを小さいものとすることができるとともに、初期の回転揺れを消失させるために要する時間を短縮することができる。
【０２９９】
また、無励磁期間の次に初期励磁と同一の所定相励磁が行われる構成であることにより、第３期間に亘って所定相励磁を行っている間に初期の回転揺れを消失させて次の相励磁に移ることができる。これにより、周回体の加速を円滑に行うことができる。
【０３００】
特徴Ａ５．前記第２期間は、前記駆動手段に対して励磁可能な期間における最短期間の４倍以上の期間（４割込み分以上の期間であり約６．０ｍｓｅｃ以上の期間）であることを特徴とする特徴Ａ４に記載の遊技機。
【０３０１】
特徴Ａ５によれば、無励磁期間を励磁可能な期間における最短期間の４倍以上の期間とすることにより、周回体の回転速度を十分に抑えた状態で第３期間に亘る所定相励磁を開始することができる。これにより、周回体の初期の回転揺れを小さいものとし、周回体の加速を好適に行うことができる。
【０３０２】
特徴Ａ６．前記第３期間は、前記駆動手段に対して励磁可能な期間における最短期間の１０倍以上の期間（１０割込み分以上の期間であり約１４．９ｍｓｅｃ以上の期間）であることを特徴とする特徴Ａ４又はＡ５に記載の遊技機。
【０３０３】
特徴Ａ６によれば、無励磁期間後に行われる所定相励磁の励磁期間を励磁可能な期間における最短期間の１０倍以上の期間とすることにより、当該第３期間中に周回体の初期の回転揺れを抑えることができる。これにより、周回体の回転初期に見た目上の揺れが発生することを防止することができるとともに、脱調が発生することを防止することができる。よって、周回体の初期の加速を円滑なものとすることができる。
【０３０４】
特徴Ａ７．前記所定相励磁は２相励磁であることを特徴とする特徴Ａ２乃至Ａ６のいずれか１に記載の遊技機。
【０３０５】
２相励磁の励磁力は、１相励磁、３相励磁及び４相励磁の励磁力よりも強い。この場合に、上記特徴Ａ２乃至Ａ６のいずれか１の構成を備え、初期励磁として相対的に励磁力が強い２相励磁を行うことにより、周回体の回転を開始させるために十分な強さの励磁力を回転初期の駆動手段に加えることができる。また、初期励磁として２相励磁が行われた後に無励磁期間を発生させることにより、回転初期の駆動手段に加えられる励磁力が強くなり過ぎて初期の回転揺れが大きくなることを防止することができる。
【０３０６】
特徴Ａ８．前記駆動制御手段は、
前記駆動手段に対して、前記所定相励磁よりも励磁力が弱い特定相励磁（１相励磁）と前記所定相励磁とを交互に行う所定回転制御（定速期間ＴＢの駆動制御）を行う所定回転制御手段（主側ＭＰＵ７２におけるステップＳ１１０１〜ステップＳ１１０９の処理を実行する機能、主側ＭＰＵ７２におけるステップＳ１２０１〜ステップＳ１２０８の処理を実行する機能）と、
前記所定回転制御中に所定契機が発生したことに基づいて、前記所定相励磁及び前記特定相励磁よりも励磁力が弱い特別相励磁（４相励磁）を行った後、前記特定相励磁を行う所定制動制御（停止制御）を行う所定制動手段（主側ＭＰＵ７２におけるステップＳ１１１０〜ステップＳ１１１５の処理を実行する機能）と、
を備えていることを特徴とする特徴Ａ２乃至Ａ７のいずれか１に記載の遊技機。
【０３０７】
特徴Ａ８によれば、所定駆動制御における初期励磁を所定制動制御において最後に行われた特定相励磁と連続的な関係にある所定相励磁とすることが可能となる。これにより、周回体の回転初期に脱調が発生することを防止しながら周回体の回転初期における加速を円滑なものとすることができる。
【０３０８】
特徴Ａ９．前記駆動制御手段は、
前記所定駆動制御の後、前記駆動手段に対して、相対的に励磁力が強い所定相励磁（２相励磁）と相対的に励磁力が弱い特定相励磁（１相励磁）とがそれぞれの励磁期間が所定期間となるようにして交互に行われるようにする所定回転制御（定速期間ＴＢの駆動制御）を行う所定回転制御手段（主側ＭＰＵ７２におけるステップＳ１１０１〜ステップＳ１１０９の処理を実行する機能、主側ＭＰＵ７２におけるステップＳ１２０１〜ステップＳ１２０８の処理を実行する機能）と、
当該所定回転制御手段による前記所定回転制御が行われている途中で、少なくとも１回の励磁期間を前記所定期間よりも長い特定期間に設定する特定設定手段（主側ＭＰＵ７２におけるステップＳ１１０７の処理を実行する機能）と、
を備えていることを特徴とする特徴Ａ１乃至Ａ８のいずれか１に記載の遊技機。
【０３０９】
特徴Ａ９によれば、基本的に所定期間に亘る所定相励磁と所定期間に亘る特定相励磁とが交互に行われる所定回転制御において、少なくとも１回の励磁期間として特定期間が設定されることにより周回体の回転速度を低減させることができる。このため、周回体の回転速度が上昇している状況や周回体の回転速度が設定値を超えている状況において周回体の回転速度を低減することが可能となり、周回体の回転速度を早期に収束させることが可能となる。
【０３１０】
特徴Ａ１０．前記所定期間は、前記駆動手段に対して励磁可能な期間における最短期間（１割込み分の期間であり約１．５ｍｓｅｃの期間）であることを特徴とする特徴Ａ９に記載の遊技機。
【０３１１】
特徴Ａ１０によれば、所定期間が励磁可能な期間における最短期間であることにより、所定回転制御において周回体の回転速度を早期に収束させることができる。
【０３１２】
特徴Ａ１１．前記特定設定手段は、前記所定回転制御の開始後、２回目の前記所定相励磁（３１番目（切替順序３１）の２相励磁）が行われるタイミングから７回目の前記所定相励磁（４１番目（切替順序４１）の２相励磁）が行われるタイミングまでの少なくとも１回の励磁期間を前記特定期間に設定することを特徴とする特徴Ａ９又はＡ１０に記載の遊技機。
【０３１３】
特徴Ａ１１によれば、周回体の回転速度が最大値に到達するタイミング以前のタイミングで周回体の回転速度を低減することにより、回転速度の最大値を低減することが可能となる。これにより、周回体の回転速度が上がり過ぎることを防止して周回体を円滑に回転させることができる。また、周回体の回転速度が収束するまでに要する時間を短縮することができる。
【０３１４】
特徴Ａ１２．前記特定設定手段が励磁期間として前記特定期間を設定する対象は、前記所定相励磁であることを特徴とする特徴Ａ９乃至Ａ１１のいずれか１に記載の遊技機。
【０３１５】
特徴Ａ１２によれば、特定相励磁よりも励磁力の強い所定相励磁の励磁期間として特定期間を設定する構成とすることにより、所定相励磁の励磁期間として特定期間を設定する構成と比較して、周回体の回転速度を短時間で効果的に低減することができる。これにより、周回体の円滑な回転を継続させながら回転速度を早期に収束させることが可能となる。
【０３１６】
特徴Ａ１３．前記特定期間は、前記駆動手段に対して励磁可能な期間における最短期間の５倍以下の期間（５割込み分以下の期間であり約７．５ｍｓｅｃ以下の期間）であることを特徴とする特徴Ａ９乃至Ａ１２のいずれか１に記載の遊技機。
【０３１７】
特徴Ａ１３によれば、特定相励磁及び所定相励磁のうち少なくとも１回の相励磁の励磁期間として励磁可能な期間における最短期間の５倍以下の期間を設定して周回体の回転速度を低減する構成とすることにより、周回体の回転速度が下がり過ぎて回転速度が収束するまでに要する時間が延びてしまうことを防止することができる。
【０３１８】
特徴Ａ１４．前記所定相励磁は２相励磁であり、前記特定相励磁は１相励磁であることを特徴とする特徴Ａ９乃至Ａ１３のいずれか１に記載の遊技機。
【０３１９】
特徴Ａ１４によれば、基本的に所定期間に亘る１相励磁と所定期間に亘る２相励磁とが交互に行われる所定回転制御において、１相励磁及び２相励磁のうち少なくとも１回の相励磁の励磁期間として所定期間よりも長い特定期間を設定して、周回体の回転速度を低減することができる。これにより、周回体の回転速度を早期に収束させることが可能となる。
【０３２０】
なお、特徴Ａ１〜Ａ１４の構成に対して、特徴Ａ１〜Ａ１４、特徴Ｂ１〜Ｂ６のうちいずれか１又は複数の構成を適用してもよい。これにより、その組み合わせた構成による相乗的な効果を奏することが可能となる。
【０３２１】
上記特徴Ａ群に係る発明によれば、以下の課題を解決することが可能である。
【０３２２】
周回体を利用する遊技機としては、例えばスロットマシンがある。スロットマシンは、外周部に複数の図柄が付与されたリールを複数備えており、表示部を通じて各リールに付与された図柄の一部が視認可能な構成となっている。そして遊技者がメダルを投入してスタートレバーを操作することで各リールが回転を開始し、各リールが回転を開始した後にストップボタンを操作することで各リールが順次停止する。また、スロットマシンの内部ではメダルの投入とスタートレバーの操作を条件として抽選を行っており、抽選の結果が当選であり且つ予め設定された有効ライン上に遊技者が当選となった図柄を停止させることを条件として所定枚数のメダルが払い出されたり、遊技者に有利な所定のゲームが発生するなどの特典が付与される。
【０３２３】
また、上記のように周回体としてリールを利用する遊技機としては、スロットマシン以外にも、遊技媒体としてメダルの代わりに遊技球を用いて上記スロットマシンと同様の遊技を行うことを可能とする遊技機が挙げられる。また、パチンコ機において内部抽選の結果に応じた演出を遊技者に提供するために上記周回体を利用するものも挙げられる。
【０３２４】
上記のような周回体を周回させるための駆動手段としては、ステッピングモータが一般的に用いられている。この場合、周回開始条件が成立した場合には、ステッピングモータによる駆動が開始されて、加速期間を経て定速期間へと移行する。そして、この定速期間が所定の期間に亘って継続された後に、周回停止条件の成立に基づき停止される。
【０３２５】
ここで、上記例示などのような遊技機においては周回体の回転制御を好適に行う必要があり、この点について未だ改良の余地がある。
【０３２６】
＜特徴Ｂ群＞
特徴Ｂ１．周回体（リール３２Ｌ，３２Ｍ，３２Ｒ）と、
前記周回体を回転させる駆動手段（ステッピングモータ３３）と、
前記駆動手段を駆動制御する駆動制御手段（主側ＭＰＵ７２における回転開始処理（図２７）及びステッピングモータ制御処理（図２８）を実行する機能）と、
を備え、
前記駆動手段は、励磁されることにより前記周回体を回転させるステッピングモータであり、
前記駆動制御手段は、
前記駆動手段に対して、相対的に励磁力が強い所定相励磁（２相励磁）と相対的に励磁力が弱い特定相励磁（１相励磁）とがそれぞれの励磁期間が所定期間となるようにして交互に行われるようにする所定回転制御（定速期間ＴＢの駆動制御）を行う所定回転制御手段（主側ＭＰＵ７２におけるステップＳ１１０１〜ステップＳ１１０９の処理を実行する機能、主側ＭＰＵ７２におけるステップＳ１２０１〜ステップＳ１２０８の処理を実行する機能）と、
当該所定回転制御手段による前記所定回転制御が行われている途中で、少なくとも１回の励磁期間を前記所定期間よりも長い特定期間に設定する特定設定手段（主側ＭＰＵ７２におけるステップＳ１１０７の処理を実行する機能）と、
を備えていることを特徴とする遊技機。
【０３２７】
特徴Ｂ１によれば、基本的に所定期間に亘る所定相励磁と所定期間に亘る特定相励磁とが交互に行われる所定回転制御において、少なくとも１回の励磁期間として特定期間が設定されることにより周回体の回転速度を低減させることができる。このため、周回体の回転速度が上昇している状況や周回体の回転速度が設定値を超えている状況において周回体の回転速度を低減することが可能となり、早期に周回体の回転速度を設定値に収束させることが可能となる。
【０３２８】
特徴Ｂ２．前記所定期間は、前記駆動手段に対して励磁可能な期間における最短期間（１割込み分の期間であり約１．５ｍｓｅｃの期間）であることを特徴とする特徴Ｂ１に記載の遊技機。
【０３２９】
特徴Ｂ２によれば、所定期間が励磁可能な期間における最短期間であることにより、所定回転制御において周回体の回転速度を早期に収束させることができる。
【０３３０】
特徴Ｂ３．前記駆動制御手段は、前記駆動手段を励磁して前記周回体の回転を加速させる所定駆動制御（加速期間ＴＡの駆動制御）を行う所定駆動制御手段（主側ＭＰＵ７２におけるステップＳ１１０１〜ステップＳ１１０７及びステップＳ１１０９の処理を実行する機能、主側ＭＰＵ７２におけるステップＳ１２０１〜ステップＳ１２０８の処理を実行する機能）を備えており、
前記所定回転制御手段は、前記所定駆動制御の後に前記所定回転制御を行うものであり、
前記特定設定手段は、前記所定回転制御の開始後、２回目の前記所定相励磁（３１番目（切替順序３１）の２相励磁）が行われるタイミングから７回目の前記所定相励磁（４１番目（切替順序４１）の２相励磁）が行われるタイミングまでの少なくとも１回の励磁期間を前記特定期間に設定することを特徴とする特徴Ｂ１又はＢ２に記載の遊技機。
【０３３１】
特徴Ｂ３によれば、周回体の回転速度が最大値に到達するタイミング以前のタイミングで周回体の回転速度を低減することにより、回転速度の最大値を低減することが可能となる。これにより、周回体の回転速度が上がり過ぎることを防止して周回体を円滑に回転させることができる。また、周回体の回転速度が収束するまでに要する時間を短縮することができる。
【０３３２】
特徴Ｂ４．前記特定設定手段が励磁期間として前記特定期間を設定する対象は、前記所定相励磁であることを特徴とする特徴Ｂ１乃至Ｂ３のいずれか１に記載の遊技機。
【０３３３】
特徴Ｂ４によれば、特定相励磁よりも励磁力の強い所定相励磁の励磁期間として特定期間を設定する構成とすることにより、所定相励磁の励磁期間として特定期間を設定する構成と比較して、周回体の回転速度を短時間で効果的に低減することができる。これにより、周回体の円滑な回転を継続させながら回転速度を早期に収束させることが可能となる。
【０３３４】
特徴Ｂ５．前記特定期間は、前記駆動手段に対して励磁可能な期間における最短期間の５倍以下の期間（５割込み分以下の期間であり約７．５ｍｓｅｃ以下の期間）であることを特徴とする特徴Ｂ１乃至Ｂ４のいずれか１に記載の遊技機。
【０３３５】
特徴Ｂ５によれば、特定相励磁及び所定相励磁のうち少なくとも１回の相励磁の励磁期間として励磁可能な期間における最短期間の５倍以下の期間を設定して周回体の回転速度を低減する構成とすることにより、周回体の回転速度が下がり過ぎて回転速度が収束するまでに要する時間が延びてしまうことを防止することができる。
【０３３６】
特徴Ｂ６．前記所定相励磁は２相励磁であり、前記特定相励磁は１相励磁であることを特徴とする特徴Ｂ１乃至Ｂ５のいずれか１に記載の遊技機。
【０３３７】
特徴Ｂ６によれば、基本的に所定期間に亘る１相励磁と所定期間に亘る２相励磁とが交互に行われる所定回転制御において、１相励磁及び２相励磁のうち少なくとも１回の相励磁の励磁期間として所定期間よりも長い特定期間を設定して、周回体の回転速度を低減することができる。これにより、周回体の回転速度を早期に収束させることが可能となる。
【０３３８】
なお、特徴Ｂ１〜Ｂ６の構成に対して、特徴Ａ１〜Ａ１４、特徴Ｂ１〜Ｂ６のうちいずれか１又は複数の構成を適用してもよい。これにより、その組み合わせた構成による相乗的な効果を奏することが可能となる。
【０３３９】
上記特徴Ｂ群に係る発明によれば、以下の課題を解決することが可能である。
【０３４０】
周回体を利用する遊技機としては、例えばスロットマシンがある。スロットマシンは、外周部に複数の図柄が付与されたリールを複数備えており、表示部を通じて各リールに付与された図柄の一部が視認可能な構成となっている。そして遊技者がメダルを投入してスタートレバーを操作することで各リールが回転を開始し、各リールが回転を開始した後にストップボタンを操作することで各リールが順次停止する。また、スロットマシンの内部ではメダルの投入とスタートレバーの操作を条件として抽選を行っており、抽選の結果が当選であり且つ予め設定された有効ライン上に遊技者が当選となった図柄を停止させることを条件として所定枚数のメダルが払い出されたり、遊技者に有利な所定のゲームが発生するなどの特典が付与される。
【０３４１】
また、上記のように周回体としてリールを利用する遊技機としては、スロットマシン以外にも、遊技媒体としてメダルの代わりに遊技球を用いて上記スロットマシンと同様の遊技を行うことを可能とする遊技機が挙げられる。また、パチンコ機において内部抽選の結果に応じた演出を遊技者に提供するために上記周回体を利用するものも挙げられる。
【０３４２】
上記のような周回体を周回させるための駆動手段としては、ステッピングモータが一般的に用いられている。この場合、周回開始条件が成立した場合には、ステッピングモータによる駆動が開始されて、加速期間を経て定速期間へと移行する。そして、この定速期間が所定の期間に亘って継続された後に、周回停止条件の成立に基づき停止される。
【０３４３】
ここで、上記例示などのような遊技機においては周回体の回転制御を好適に行う必要があり、この点について未だ改良の余地がある。
【０３４４】
以下に、以上の各特徴を適用し得る又は各特徴に適用される遊技機の基本構成を示す。
【０３４５】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０３４６】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【符号の説明】
【０３４７】
１０…スロットマシン、３２Ｌ，３２Ｍ，３２Ｒ…リール、３３…ステッピングモータ、７２…主側ＭＰＵ、ＴＡ１…第１加速期間、ＴＡ２…第２加速期間、ＴＢ…定速期間。
【図１】
2019202037.tif 000003
【図２】
2019202037.tif 000004
【図３】
2019202037.tif 000005
【図４】
2019202037.tif 000006
【図５】
2019202037.tif 000007
【図６】
2019202037.tif 000008
【図７】
2019202037.tif 000009
【図８】
2019202037.tif 000010
【図９】
2019202037.tif 000011
【図１０】
2019202037.tif 000012
【図１１】
2019202037.tif 000013
【図１２】
2019202037.tif 000014
【図１３】
2019202037.tif 000015
【図１４】
2019202037.tif 000016
【図１５】
2019202037.tif 000017
【図１６】
2019202037.tif 000018
【図１７】
2019202037.tif 000019
【図１８】
2019202037.tif 000020
【図１９】
2019202037.tif 000021
【図２０】
2019202037.tif 000022
【図２１】
2019202037.tif 000023
【図２２】
2019202037.tif 000024
【図２３】
2019202037.tif 000025
【図２４】
2019202037.tif 000026
【図２５】
2019202037.tif 000027
【図２６】
2019202037.tif 000028
【図２７】
2019202037.tif 000029
【図２８】
2019202037.tif 000030
【図２９】
2019202037.tif 000031
【図３０】
2019202037.tif 000032
【図３１】
2019202037.tif 000033
【図３２】
2019202037.tif 000034
【図３３】
2019202037.tif 000035
【図３４】
2019202037.tif 000036
【図３５】
2019202037.tif 000037
【図３６】
2019202037.tif 000038
【図３７】
2019202037.tif 000039
【図３８】
2019202037.tif 000040
【図３９】
2019202037.tif 000041
【図４０】
2019202037.tif 000042
【図４１】
2019202037.tif 000043
【図４２】
2019202037.tif 000044
【図４３】
2019202037.tif 000045
【図４４】
2019202037.tif 000046
【図４５】
2019202037.tif 000047
【図４６】
2019202037.tif 000048
【図４７】
2019202037.tif 000049
【図４８】
2019202037.tif 000050
【図４９】
2019202037.tif 000051
【図５０】
2019202037.tif 000052
【図５１】
2019202037.tif 000053
【図５２】
2019202037.tif 000054
【図５３】
2019202037.tif 000055
【図５４】
2019202037.tif 000056
【図５５】
2019202037.tif 000057
【図５６】
2019202037.tif 000058